(57)【要約】組織修正手技中にテザーをロックおよび／または切断するデバイスおよび方法を説明する。いくつかの変化例では、テザーは、組織の２つの断片または切片を接合することによって組織を引き締めるために使用されてもよい。引張力を受け得るテザーは、引張力を維持するためにロックされ得、余分なテザーは、デバイスおよび／または方法のうちの１つ以上を使用して切断され得る。デバイスおよび／または方法は、例えば、低侵襲性手技において使用されてもよい。
2012505048.tif 000002
【特許請求の範囲】
【請求項１】
テザーを固定するデバイスであって、該デバイスは、
プラグを受容するように構成されるロック部材であって、近位端と、遠位端と、該ロック部材を通る管腔とを備えるロック部材と、
テザーの一部分を該ロック部材の管腔内に固定するために該管腔内で回転可能であるプラグであって、外面を備えるプラグと
を備え、該ロック部材は、内面を備える壁部分を備え、該プラグの外面は、該プラグが該ロック部材の管腔内に少なくとも部分的に配置されるときに、該壁部分の内面と整列可能である少なくとも１つの外形を有する、デバイス。
【請求項２】
細長い部材をさらに備え、該細長い部材は、前記ロック部材が解放可能に連結される遠位部分を備える、請求項１に記載のデバイス。
【請求項３】
前記ロック部材の前記壁部分は、テザーの通過のために整列可能である第１および第２の開口を備える、請求項１に記載のデバイス。
【請求項４】
前記第１および第２の開口は、それらを通過するテザーが前記ロック部材の前記管腔の中心を横断しないように位置する、請求項３に記載のデバイス。
【請求項５】
前記ロック部材は、管状部材を備える、請求項１に記載のデバイス。
【請求項６】
前記プラグは、少なくとも約１°回転可能であることにより、前記ロック部材の前記管腔内でテザーの一部分を固定する、請求項１に記載のデバイス。
【請求項７】
前記プラグは、多くとも約１８０°回転可能であることにより、前記ロック部材の前記管腔内でテザーの一部分を固定する、請求項６に記載のデバイス。
【請求項８】
前記プラグは、多くとも約１８０°回転可能であることにより、前記ロック部材の前記管腔内でテザーの一部分を固定する、請求項１に記載のデバイス。
【請求項９】
前記プラグは、前記ロック部材の前記管腔を通過するテザーを引張ることによって、該ロック部材の該管腔内で回転可能である、請求項１に記載のデバイス。
【請求項１０】
前記ロック部材の前記管腔内で前記プラグを回転させるための引張ワイヤをさらに備える、請求項１に記載のデバイス。
【請求項１１】
テザーを切断するように構成される切断部材をさらに備える、請求項１に記載のデバイス。
【請求項１２】
前記プラグは、前記ロック部材の前記管腔内でテザーの一部分に係合するように構成される少なくとも１つの突起を備える、請求項１に記載のデバイス。
【請求項１３】
前記少なくとも１つの突起は、少なくとも１つの隆起の形態をしている、請求項１２に記載のデバイス。
【請求項１４】
前記プラグは、階段状構成を形成する複数の突起を備える、請求項１に記載のデバイス。
【請求項１５】
前記プラグは、歯車形状部分を備える、請求項１に記載のデバイス。
【請求項１６】
前記歯車形状部分は、複数の歯を備え、各歯は、前の歯よりも次第に長くなる、請求項１５に記載のデバイス。
【請求項１７】
テザーの少なくとも一部分がロック部材の管腔内に配置されるときに、該テザーを固定する方法であって、該方法は、
該ロック部材の管腔内に少なくとも部分的に配置されるプラグを回転させるように、該テザーを引張ることを含み、
該ロック部材は、内面を有する壁部分を備え、該プラグは、該プラグが回転させられると、該壁部分の内面と整列可能である少なくとも１つの外形を有する外面を備える、方法。
【請求項１８】
前記ロック部材の前記管腔の中へ、少なくとも部分的に前記プラグを前進させることをさらに含む、請求項１７に記載の方法。
【請求項１９】
前記ロック部材の前記壁部分は、第１および第２の開口を備え、前記方法は、前記テザーが該第１および第２の開口を通過するときに前記プラグを回転させることを含む、請求項１７に記載の方法。
【請求項２０】
前記プラグを回転させることは、該プラグの前記外面と前記ロック部材の前記壁部分の前記内面との間に前記テザーの一部分を固定する、請求項１７に記載の方法。
【請求項２１】
前記ロック部材は、管状部材を備える、請求項１７に記載の方法。
【請求項２２】
前記テザーを引張ることは、前記プラグを少なくとも約１°だけ回転させる、請求項１７に記載の方法。
【請求項２３】
前記テザーを引張ることは、前記プラグを多くとも約１８０°だけ回転させる、請求項２２に記載の方法。
【請求項２４】
前記テザーを引張ることは、前記プラグを多くとも約１８０°だけ回転させる、請求項１７に記載の方法。
【請求項２５】
前記ロック部材は、細長い部材の遠位部分に解放可能に連結される、請求項１７に記載の方法。
【請求項２６】
前記細長い部材の前記遠位部分から前記ロック部材を分断することをさらに含む、請求項２５に記載の方法。
【請求項２７】
前記細長い部材の前記遠位部分から前記ロック部材を分断することは、プッシュ部材によって該ロック部材に力を印加することを含む、請求項２６に記載の方法。
【請求項２８】
前記テザーを切断することをさらに含む、請求項１７に記載の方法。
【請求項２９】
テザーを固定するデバイスであって、
プラグを受容するように構成されるロック部材であって、第１および第２の開口を備える壁部分と、近位端と、遠位端と、該ロック部材を通る管腔とを備えるロック部材と、
テザーが通過するために該第１および第２の開口と整列可能である第３の開口備えるプラグと
を備える、デバイス。
【請求項３０】
前記第３の開口は、それを通過するテザーを固定するために、前記第１および第２の開口のうちの少なくとも１つと不整列であることができる、請求項２９に記載のデバイス。
【請求項３１】
ロック部材を備えるデバイスを使用して、テザーを固定する方法であって、該ロック部材は、壁部分と、近位端と、遠位端と、該ロック部材を通る管腔と、第１および第２の開口を備えるプラグとを備え、該方法は、
該プラグと該ロック部材との間に該テザーを固定するために、該テザーが該第１および第２の開口を通して送られたときに、該ロック部材の該管腔の中へ少なくとも部分的に該プラグを前進させることを含む、方法。
【請求項３２】
前記テザーを前記第１の開口を通して前進させることをさらに含む、請求項３１に記載の方法。
【請求項３３】
前記テザーは、前記プラグが前記ロック部材の前記管腔内に少なくとも部分的に配置されている間に、前記第１の開口を通して前進させられる、請求項３２に記載の方法。
【請求項３４】
前記第２の開口を通して前記テザーを前進させることをさらに含む、請求項３２に記載の方法。
【請求項３５】
前記テザーは、前記プラグが前記ロック部材の前記管腔内に少なくとも部分的に配置されている間に、前記第２の開口を通して前進させられる、請求項３２に記載の方法。
【請求項３６】
テザーを固定するデバイスであって、該デバイスは、
ロック部材であって、壁部分と、近位端と、遠位端と、該ロック部材を通る管腔とを備えるロック部材と、
プラグであって、該プラグが該ロック部材の該管腔内に少なくとも部分的に配置されるときに、該ロック部材の該壁部分の中の溝または第１の開口に係合するように構成される少なくとも１つの突起を備えるプラグと
を備え、該プラグおよび該ロック部材は、その間にテザーを固定するように構成される、デバイス。
【請求項３７】
前記プラグの前記少なくとも１つの突起は、前記ロック部材の前記壁部分の中の前記溝または第１の開口とスナップ嵌合を形成するように構成される、請求項３６に記載のデバイス。
【請求項３８】
プラグと、ロック部材であって、内面を有する壁部分、近位端、遠位端、および該ロック部材を通る管腔を備えるロック部材とを備えるデバイスを使用して、テザーを固定する方法であって、該方法は、
該ロック部材の管腔内に該プラグを少なくとも部分的に嵌合することと、
該プラグと該ロック部材との間に該テザーを固定するために、該テザーの一部分が該ロック部材の管腔内に配置されている間に、該プラグの中の溝または第１の開口を該ロック部材の壁部分の該内面上の少なくとも１つの突起と係合させることと
を含む、方法。
【請求項３９】
前記ロック部材の前記壁部分の前記内面上の前記少なくとも１つの突起は、前記プラグの中の前記溝または第１の開口とスナップ嵌合を形成する、請求項３８に記載の方法。
【請求項４０】
テザーを固定するためのデバイスであって、該デバイスは、
ロック部材であって、壁部分と、近位端と、遠位端と、該ロック部材を通る管腔とを備えるロック部材と、
本体部分と、頭部分とを備えるプラグであって、該頭部分は、一旦該ロック部材の管腔内にあると第１の方向に該頭部分の並進を可能にするが、該第１の方向とは反対の第２の方向には可能にしない一方向特徴を備える、プラグと
を備え、該プラグおよび該ロック部材は、該プラグが該ロック部材の管腔内に少なくとも部分的に配置されるときに、その間に該テザーを固定するように構成される、デバイス。
【請求項４１】
前記第１の方向に前記プラグを押すように構成されるプッシュ部材をさらに備える、請求項４０に記載のデバイス。
【請求項４２】
テザーを固定するデバイスであって、
プラグを受容するように構成されるロック部材であって、壁部分と、近位端と、遠位端と、該ロック部材を通る管腔とを備えるロック部材と、
本体部分と、該本体部分から延在するアンカ部分とを備えるプラグと
を備え、該プラグおよび該ロック部材は、その間にテザーを固定するように構成される、デバイス。
【請求項４３】
前記アンカ部分が組織に係合するように該組織の中へ該アンカ部分を前進させることをさらに含む、請求項４２に記載のデバイス。
【請求項４４】
ロック部材を使用してテザーを固定する方法であって、該ロック部材は、第１の表面を有する第１の部分と、第２の表面を有する第２の部分とを備え、該第１および第２の部分は、ヒンジによって相互に連結され、該方法は、
該第１の表面が該第２の表面と接触していないときに、該第１および第２の表面のうちの１つの上に該テザーを設置することと、
該ロック部材の該第１および第２の部分の間に該テザーの一部分を固定するように、該第１の表面を該第２の表面と接触させることと
を含む、方法。
【請求項４５】
テザーを固定するデバイスであって、
プラグを受容するように構成されるロック部材であって、近位端と、遠位端と、該ロック部材を通る管腔とを備えるロック部材と、
プラグと、
該プラグを該ロック部材に連結するように、該プラグと該ロック部材との間に延在する連結部材と
を備える、デバイス。
【請求項４６】
ロック部材と、該ロック部材の前記管腔内に摺動可能に配置される締付け部材とを使用してテザーを固定する方法であって、
該締付け部材によってテザーを締付けることと、
該ロック部材の該管腔の中へ該締付け部材を引込むことと
を含む、方法。
【請求項４７】
第１のリング部分を備えるプラグと、ロック部材とを使用して、第１のテザーを固定する方法であって、該ロック部材は、壁部分と、近位端と、遠位端と、該ロック部材を通る管腔とを備え、該方法は、
該プラグと該ロック部材の壁部分との間に該第１のテザーを固定するために、該プラグを少なくとも部分的に該ロック部材の管腔の中へ前進させることと、
第２のテザーを該第１のリング部分を通過させることと、
該第２のテザーを被検体の組織に固定することと
を含む、方法。
【請求項４８】
前記ロック部材は、第２のリング部分をさらに備え、前記方法は、該第２のリング部分に前記第２のテザーを通過させることをさらに含む、請求項４７に記載の方法。
【請求項４９】
前記被検体の組織に前記第２のテザーを固定することをさらに含む、請求項４８に記載の方法。
【請求項５０】
前記プラグは、第２のリング部分をさらに備え、前記方法は、該第２のリング部分に前記第２のテザーを通過させることをさらに含む、請求項４７に記載の方法。
【請求項５１】
前記被検体の組織に前記第２のテザーを固定することをさらに含む、請求項５０に記載の方法。
【請求項５２】
前記第１および第２のテザーは、同じテザーである、請求項４７に記載の方法。
【請求項５３】
前記第１のテザーは、前記ロック部材の前記壁部分の中の少なくとも１つの開口を通過する、請求項４７に記載の方法。
【請求項５４】
プラグと、ロック部材とを使用して、第１のテザーを固定する方法であって、該ロック部材は、壁部分と、第１のリング部分と、近位端と、遠位端と、該ロック部材を通る管腔とを備え、該方法は、
該第１のテザーを該プラグと該ロック部材の壁部分との間に固定するために、該プラグを少なくとも部分的に該ロック部材の該管腔の中へ前進させることと、
第２のテザーを該第１のリング部分に通過させることと、
該第２のテザーを被検体の組織に固定することと
を含む、方法。
【請求項５５】
前記ロック部材は、第２のリング部分をさらに備え、前記方法は、該第２のリング部分に前記第２のテザーを通過させることをさらに含む、請求項５４に記載の方法。
【請求項５６】
前記被検体の組織に前記第２のテザーを固定することをさらに含む、請求項５５に記載の方法。
【請求項５７】
前記第１および第２のテザーは、同じテザーである、請求項５４に記載の方法。
【請求項５８】
前記第１のテザーは、前記ロック部材の前記壁部分の中の少なくとも１つの開口を通過する、請求項５４に記載の方法。
【請求項５９】
テザーを固定する方法であって、
管状部材が開放構成にあるロック部材の中空領域内に少なくとも部分的に配置されている間に、該管状部材を通して該テザーを前進させることと、
該中空領域から該テザーも引き抜くことなく、該中空領域から該管状部材を引き抜くことと
を含み、該管状部材が該中空領域から引き抜かれたときに、該ロック部材が閉鎖構成を成すことにより、該ロック部材は該テザーを締め付け、それにより、該テザーを固定する、方法。
【請求項６０】
テザーを固定する方法であって、
コイルが１次構成にあり、管状部材の管腔内に少なくとも部分的に配置されている間に、該コイルを通して該テザーを前進させることと、
該コイルが該管状部材の該管腔から出て、該コイルが該テザーを固定する２次構成を成すように、該管状部材に対して該コイルを並進させることと
を含む、方法。
【発明の詳細な説明】
【技術分野】
【０００１】
（関連出願の相互参照）
本願は、米国仮特許出願第６１／１０４，６８１号（２００８年１０月１０日出願）の利益を主張し、この出願の開示は、その全体が本明細書に参考として援用される。
【０００２】
（発明の分野）
本明細書で説明されるデバイスおよび方法は、概して、被検者の体内の標的部位まで配備されたテザーの終端に関する。より具体的には、本明細書で説明されるデバイスおよび方法は、そのようなテザーが標的部位まで配備された後に、それらをロック（ｌｏｃｋｉｎｇ）および／または切断することに関する。
【背景技術】
【０００３】
多くの異なる種類の医療手技が、テザーの使用を伴っている。例えば、テザーは、（例えば、組織の２つの断片または切片を接合することによって）組織を引き締める、または圧縮するために使用され得る。組織は、例えば、筋肉組織または脂肪組織等の軟組織であってもよい。実施例として、いくつかの組織引き締め手技では、テザーに連結されるアンカが組織に埋め込まれ、次いで、アンカを介して組織を引き締めるか、または圧縮する締め上げ効果を提供するためにテザーが引張られる。心臓弁修復に適用される、そのような手技のためのデバイスおよび方法の実施例は、例えば、その全てが、それらの全体が参照することにより本明細書に組み込まれる、特許文献１、特許文献２、および特許文献３において説明されている。
【０００４】
組織の引締めまたは圧縮のいくつかの方法は、組織の２つの断片を通してテザーを通すステップと、テザーに引張力を印加するステップと、引張力を維持するようにテザーを縛る、または結ぶステップとを含む。次いで、余分なテザー材料が切断され、除去されてもよい。しかしながら、テザーを結ぶ、縛る、および／または切断するときに必要とされる操作は、（例えば、制限された空間により）困難となり得る。また、ある方法は、テザーの引張力を十分に維持しない場合がある。加えて、テザーを結ぶ、縛る、および／または切断するいくつかの方法は、過度に複雑である、および／または時間がかかる場合がある。
【先行技術文献】
【特許文献】
【０００５】
【特許文献１】米国特許出願公開第２００６／０１２２６３３号明細書
【特許文献２】米国特許出願公開第２００６／０１９００３０号明細書
【特許文献３】米国特許出願公開第２００８／０１７２０３５号明細書
【発明の概要】
【発明が解決しようとする課題】
【０００６】
したがって、テザーの引張力を維持することに役立つように、テザーを効果的にロックおよび／または切断するための方法およびデバイスを提供することが望ましいであろう。さらに、そのような方法およびデバイスが、比較的使用しやすいおよび／または使用することに効率的であることが望ましいであろう。
【課題を解決するための手段】
【０００７】
本明細書では、（例えば、組織の２つ以上の断片または切片を接合することによって）組織を引き締める、または圧縮するために使用されてきたテザー等の、テザーをロックおよび／または切断するためのデバイスおよび方法を説明する。
【０００８】
ここで説明されるデバイスのある変化例は、管腔内でプラグを受容するように構成される、ロック部材（例えば、管状部材）と、管腔内でテザーの一部分を固定するようにロック部材の管腔内で回転可能なプラグとを備える。プラグの外面は、プラグがロック部材の管腔内に少なくとも部分的に配置されるときに、ロック部材の壁部分の内面と整列可能な少なくとも１つの外形（例えば、湾曲）を有してもよい。
【０００９】
ロック部材の壁部分は、それを通るテザーの通過のために整列可能な第１および第２の開口を備えてもよい。第１および第２の開口は、それを通過するテザーがロック部材の管腔の中心を横断しないように位置してもよい。プラグは、ロック部材の管腔を通過するテザーを引張ることによって、ロック部材の管腔内で回転可能であってもよい。プラグは、ロック部材の管腔内でテザーの一部分を固定するように、少なくとも約１°（例えば、少なくとも約１０°、少なくとも約２０°、少なくとも約４５°、少なくとも約９０°、少なくとも約１３５°）および／または多くても約１８０°（例えば、多くても約１３５°、多くても約９０°、多くても約４５°、多くても約２０°、多くても約１０°）回転可能であってもよい。デバイスはさらに、ロック部材の管腔内でプラグを回転させるための引張ワイヤを備えてもよい。プラグは、ロック部材の管腔内でテザーの一部分に係合するように構成される、（例えば、少なくとも１つの隆起の形態をしている）少なくとも１つの突起を備えてもよい。ある変化例では、プラグは、複数の突起を備えてもよい。例えば、プラグは、階段状構成を形成する複数の突起を備えてもよい。いくつかの変化例では、プラグは、各歯が前の歯よりも次第に長い、複数の歯を備える歯車形状部分等の、歯車形状部分を備えてもよい。
【００１０】
ここで説明される方法のある変化例は、テザーの少なくとも一部分がロック部材の管腔内に配置されるときに、テザーを引張るステップを含んでもよい。テザーを引張るステップは、プラグがロック部材の管腔内に少なくとも部分的に配置されるときにプラグを回転させてもよい。いくつかの変化例では、方法は、テザーがロック部材の壁部分の中の第１および第２の開口を通過するときに、プラグを回転させるステップを含んでもよい。プラグを回転させるステップは、プラグの外面とロック部材の壁部分の内面との間でテザーの一部分を固定してもよい。方法はさらに、少なくともロック部材の管腔の中へプラグを前進させるステップを含んでもよい。
【００１１】
ここで説明されるデバイスのいくつかの変化例は、プラグを受容するように構成され、第１および第２の開口を備える壁部分と、管腔とを備える、ロック部材（例えば、管状部材）を備えてもよい。デバイスはさらに、それを通るテザーの通過のために第１および第２の開口と整列可能な第３の開口備える、プラグを備えてもよい。第３の開口は、それを通過するテザーを固定するように、第１および第２の開口のうちの少なくとも１つから不整列させること可能であってもよい。テザーは、例えば、プラグとロック部材の壁部分との間に固定されてもよい。プラグは、少なくとも２つの開口を備えてもよい。
【００１２】
ここで説明される方法のある変化例は、プラグがロック部材の管腔内に少なくとも部分的に配置されるときに、ロック部材およびプラグの相対位置を調整するステップを含んでもよい。これは、ロック部材の壁部分の中の第１および第２の開口、ならびにプラグの中の第３の開口を通過するテザーを固定してもよい。方法はさらに、少なくとも部分的にロック部材の管腔の中へプラグを前進させるステップを含んでもよい。いくつかの変化例では、方法はさらに、ロック部材の壁部分の中の第１の開口を通して、プラグの中の第２の開口を通して、および／またはロック部材の壁部分の中の第３の開口を通して、テザーを前進させるステップを含んでもよい。テザーは、プラグとロック部材との間に固定されてもよい。
【００１３】
ここで説明されるデバイスのいくつかの変化例は、壁部分および管腔を備える、ロック部材（例えば、管状部材）と、第１および第２の開口を備える、プラグとを備えてもよい。プラグは、ロック部材の管腔内で少なくとも部分的に嵌合するように構成されてもよく、第１および第２の開口は、それを通して送られるテザーがプラグとロック部材との間に固定されるように構成されてもよい。ある変化例では、プラグは、テザーを固定する前にロック部材内で固定されてもよい。
【００１４】
ここで説明される方法のいくつかの変化例は、プラグとロック部材との間でテザーを固定するように、テザーが第１および第２の開口を通して送られたときに、少なくとも部分的にロック部材の管腔の中へプラグを前進させるステップを含んでもよい。プラグは、テザーを固定するために使用される前に、ロック部材に固定されてもよい。方法はさらに、（例えば、プラグがロック部材の管腔内に少なくとも部分的に配置されている間に、および／またはプラグがロック部材で固定されている間に）第１および／または第２の開口を通してテザーを前進させるステップを含んでもよい。
【００１５】
ここで説明されるデバイスのある変化例は、壁部分および管腔を備える、ロック部材（例えば、管状部材）と、プラグがロック部材の管腔内に少なくとも部分的に配置されるときに、ロック部材の壁部分の中の溝または第１の開口に係合するように構成される、少なくとも１つの突起を備える、プラグとを備えてもよく、プラグおよびロック部材は、その間でテザーを固定するように構成される。プラグ上の突起は、ロック部材の壁部分の中の溝または第１の開口とスナップ嵌合を形成するように構成されてもよい。プラグの少なくとも一部分は、ロック部材内で嵌合するよう圧縮され、次いで、ロック部材とスナップ嵌合を形成するよう解放されるように構成されてもよい。デバイスはさらに、ロック部材に向かってプラグを押すように構成されるプッシュ部材を備えてもよい。いくつかの変化例では、プラグは、第２の開口を備えてもよい。ロック部材の壁部分は、それを通るテザーの経路指定のためにプラグの第２の開口と整列可能である、第３の開口を備えてもよい。
【００１６】
ここで説明される方法のいくつかの変化例は、プラグ上の少なくとも１つの突起がロック部材の壁部分の中の溝または第１の開口に係合するまで、テザーの一部分がロック部材の管腔内に配置されている間に、ロック部材の管腔の中へプラグを前進させるステップを含んでもよい。ロック部材の管腔の中へプラグを前進させるステップは、プラグとロック部材との間でテザーの一部分を固定してもよい。プラグ上の突起は、ロック部材の壁部分の中の溝または第１の開口とスナップ嵌合を形成してもよい。方法はさらに、突起がロック部材の壁部分の中の溝または第１の開口に係合した後、プラグの第２の開口を通してテザーを前進させるステップを含んでもよい。ある変化例では、方法は、プラグがロック部材の管腔内に完全に配置されるまで、ロック部材の管腔の中へプラグを前進させるステップを含んでもよい。
【００１７】
ここで説明されるデバイスのいくつかの変化例は、細長い部材と、細長い部材の遠位部分に連結される管状部材であって、管腔を備える管状部材とを備えてもよい。管状部材はさらに、それを通るテザーの通過のためにサイズ決定および成形される、少なくとも１つの非円形開口、および／またはそれを通るテザーの通過のためにサイズ決定および成形される、少なくとも１つの円形開口を備える、壁部分を備えてもよい。非円形開口は、例えば、馬蹄形であってもよい。
【００１８】
ここで説明される方法のある変化例は、管状部材が細長い部材の遠位部分に連結されるときに、管状部材の壁部分の中の非円形開口を通してテザーを送るステップを含んでもよい。非円形開口を通してテザーを送るステップは、テザーを圧縮してもよい。
【００１９】
ここで説明されるデバイスのいくつかの変化例は、壁部分および管腔を備える、ロック部材（例えば、管状部材）と、ロック部材の管腔内で少なくとも部分的に嵌合するように構成さるプラグとを備えてもよい。壁部分の内面は、プラグがロック部材の管腔内に少なくとも部分的に配置されるときに、プラグの中の溝または第１の開口に係合するように構成される、少なくとも１つの突起を備えてもよい。加えて、プラグおよびロック部材は、その間でテザーを固定するように構成される。ロック部材の壁部分の内面上の突起は、プラグの中の溝または第１の開口とスナップ嵌合を形成するように構成されてもよい。デバイスはさらに、ロック部材に向かってプラグを押すように構成されるプッシュ部材を備えてもよい。ある変化例では、プラグはさらに、第２の開口を備えてもよい。ロック部材の壁部分は、それを通るテザーの通過のためにプラグの第２の開口と整列可能である、第３の開口を備えてもよい。
【００２０】
ここで説明される方法のいくつかの変化例は、ロック部材の管腔内でプラグを少なくとも部分的に嵌合するステップと、テザーの一部分がロック部材の管腔内に配置されている間に、プラグの中の溝または第１の開口を、ロック部材の壁部分の内面上の突起と係合させるステップとを含んでもよい。これは、例えば、プラグとロック部材との間でテザーを固定してもよい。突起は、プラグの中の溝または第１の開口とスナップ嵌合を形成してもよい。突起は、ロック部材の内面上に穴縁または周縁を備えてもよい。方法はさらに、プラグがロック部材の管腔内に完全に配置されるまで、ロック部材の管腔の中へプラグを前進させるステップを含んでもよい。
【００２１】
ここで説明されるデバイスのある変化例は、壁部分および管腔を備える、ロック部材（例えば、管状部材）と、本体部分および一方向特徴を備える頭部分を備える、プラグとを備えてもよい。一方向特徴は、一旦ロック部材の管腔内にあると第１の方向に頭部分の並進を可能にしてもよいが、第１の方向とは反対の第２の方向には可能にしなくてもよい。プラグおよびロック部材は、プラグがロック部材の管腔内に少なくとも部分的に配置されるときに、その間でテザーを固定するように構成されてもよい。デバイスはさらに、第１の方向にプラグを押すように構成される、プッシュ部材を備えてもよい。プラグは、それを通るテザーの通過のために構成される、少なくとも１つの開口を備えてもよい。
【００２２】
ここで説明される方法のいくつかの変化例は、プラグとロック部材との間でテザーを固定するように、プラグがロック部材の管腔内に少なくとも部分的に配置されるまで、ロック部材の管腔の中へプラグを前進させるステップを含んでもよい。
【００２３】
ここで説明されるデバイスのある変化例は、プラグを受容するように構成され、壁部分および管腔を備える、ロック部材と、本体部分および本体部分から延在するアンカ部分を備える、プラグとを備えてもよく、プラグおよびロック部材は、その間でテザーを固定するように構成される。デバイスは、ロック部材の管腔にプラグを押し込むように構成されるプッシュ部材をさらに備えてもよい。
【００２４】
ここで説明される方法のある変化例は、プラグとロック部材との間でテザーを固定するように、プラグが管腔内に少なくとも部分的に配置されるまで、ロック部材の管腔の中へプラグを前進させるステップを含んでもよい。方法はさらに、アンカ部分が組織に係合するように、組織の中へアンカ部分を前進させるステップを含んでもよい。
【００２５】
ここで説明されるデバイスのいくつかの変化例は、第１の表面を有する第１の部分と、第２の表面を有する第２の部分とを備える、ロック部材を備えてもよく、第１および第２の部分は、ヒンジ（例えば、リビングヒンジ）によって相互に連結される。ロック部材は、第１の表面が第２の表面に接触しない開放構成と、第１の表面が第２の表面に接触する閉鎖構成とを有してもよく、閉鎖構成において第１および第２の表面の間でテザーを固定するように構成されてもよい。第１および第２の表面は、相互に接触すると相互に連結するように構成されてもよい。例えば、第１の表面は、溝または開口を備えてもよく、第２の表面は、第１の表面が第２の表面に接触すると溝または開口に係合するように構成される、少なくとも１つの突起を備えてもよい。第１および第２の表面のうちの少なくとも１つは、型押加工されてもよい。第１および第２の表面は、相互の左右対称像であってもよい。
【００２６】
ここで説明される方法のある変化例は、第１の表面が第２の表面と接触していないときに、第１および第２の表面のうちの一方または両方の上にテザーを設置するステップと、ロック部材の第１および第２の部分の間でテザーの一部分を固定するように、第１の表面を第２の表面と接触させるステップとを含んでもよい。方法はさらに、第１の表面を第２の表面と連結するステップ、および／またはテザーを切断するステップを含んでもよい。
【００２７】
ここで説明されるデバイスのいくつかの変化例は、プラグと、プラグを受容するように構成される管腔を備える、ロック部材（例えば、管状部材）と、プラグをロック部材に連結するようにプラグとロック部材との間に延在する、連結部材とを備えてもよい。連結部材は、ロック部材および／またはプラグと一体であってもよい。連結部材は、テザーを備えてもよい。ここで説明される方法のいくつかの変化例は、プラグとロック部材の壁部分との間でテザーの一部分を固定するように、テザーの一部分がロック部材の管腔内に配置されるときに、少なくとも部分的にロック部材の管腔の中へプラグを前進させるステップを含んでもよい。テザーは、ロック部材の壁部分の中の少なくとも１つの開口を通過してもよい。
【００２８】
ここで説明されるデバイスのいくつかの変化例は、管腔を備えるロック部材（例えば、管状部材）と、ロック部材の管腔内で摺動可能に配置される締付け部材とを備えてもよい。締付け部材は、ロック部材の管腔から前進させられ、かつロック部材の管腔の中へ引込まれるように構成されてもよく、また、ロック部材の中へ引込まれたときにテザーを締付けるように構成されてもよい。いくつかの変化例では、締付け部材は、ジョーを備えてもよい。ここで説明される方法のある変化例は、締付け部材でテザーを締付けるステップと、ロック部材の管腔の中へ締付け部材を引込むステップとを含んでもよい。
【００２９】
ここで説明されるデバイスのいくつかの変化例は、管腔を備えるロック部材（例えば、管状部材）と、プラグをロック部材に連結するように、およびロック部材の管腔の中へプラグを前進させるように構成される、少なくとも２つの連結部分を備える、プラグとを備えてもよい。ここで説明される方法のある変化例は、プラグをロック部材に連結するステップと、ロック部材の管腔の中へプラグを前進させ、それにより、プラグとロック部材の壁部分との間でテザーを固定するステップとを含んでもよい。テザーは、ロック部材の壁部分の中の少なくとも１つの開口を通過してもよい。方法はさらに、テザーを切断するステップを含んでもよい。
【００３０】
ここで説明されるデバイスのいくつかの変化例は、壁部分および管腔を備える、ロック部材（例えば、管状部材）と、ロック部材の管腔内で少なくとも部分的に嵌合するように構成されるプラグとを備えてもよい。プラグは、ロック部材の壁部分の外面の中の溝または開口に係合するように構成される、少なくとも１つのフックを備えてもよい。プラグは、プラグがロック部材の管腔内に少なくとも部分的に配置されるときに、ロック部材の壁部分の内面に対してテザーを固定するように構成されてもよい。
【００３１】
ある方法の変化例は、プラグとロック部材の壁部分との間でテザーを固定するように、少なくとも部分的にロック部材の管腔の中へプラグを前進させるステップと、ロック部材にプラグを固定するように、プラグのフックを、ロック部材の壁部分の外面の中の溝または開口と係合させるステップとを含んでもよい。テザーは、ロック部材の壁部分の中の少なくとも１つの開口を通過してもよい。
【００３２】
いくつかのデバイスの変化例は、壁部分および管腔を備える、ロック部材（例えば、管状部材）と、プラグとロック部材の壁部分との間でテザーを固定するように、ロック部材の管腔内で少なくとも部分的に嵌合するように構成されるプラグとを備えてもよい。プラグは、それを通るテザーの通過のために構成される、第１のリング部分を備えてもよく、第１のリング部分の少なくとも一部分は、プラグがロック部材の管腔内に少なくとも部分的に配置されるときに、ロック部材の管腔の外部にあってもよい。ロック部材はさらに、それを通るテザーの通過のために構成される、第２のリング部分を備えてもよい。
【００３３】
いくつかの方法の変化例は、プラグとロック部材の壁部分との間で第１のテザーを固定するように、少なくとも部分的にロック部材の管腔の中へプラグを前進させるステップと、第１のリング部分に第２のテザーを通過させるステップと、被検体の組織に第２のテザーを固定するステップとを含んでもよい。ロック部材はさらに、第２のリング部分を備えてもよく、方法はさらに、第２のリング部分に第２のテザーを通過させるステップを含んでもよい。プラグはさらに、第２のリング部分を備えてもよく、方法はさらに、第２のリング部分に第２のテザーを通過させるステップを含んでもよい。方法はまた、被検体の組織に第２のテザーを固定するステップを含んでもよい。第１および第２のテザーは、同じテザーであってもよい。第１のテザーは、ロック部材の壁部分の中の少なくとも１つの開口を通過してもよい。
【００３４】
いくつかのデバイスの変化例は、壁部分および管腔を備える、ロック部材（例えば、管状部材）と、プラグとロック部材の壁部分との間でテザーを固定するように、ロック部材の管腔内で少なくとも部分的に嵌合するように構成されるプラグとを備えてもよい。ロック部材はさらに、それを通るテザーの通過のために構成される、第１のリング部分を備えてもよい。第１のリング部分は、ロック部材の壁部分から延在してもよい。ロック部材はさらに、それを通るテザーの通過のために構成される、第２のリング部分を備えてもよい。
【００３５】
ここで説明される方法のいくつかの変化例は、プラグとロック部材の壁部分との間で第１のテザーを固定するように、少なくとも部分的にロック部材の管腔の中へプラグを前進させるステップと、第１のリング部分に第２のテザーを通過させるステップと、被検体の組織に第２のテザーを固定するステップとを含んでもよい。ロック部材はさらに、第２のリング部分を備えてもよく、方法はさらに、第２のリング部分に第２のテザーを通過させるステップを含んでもよい。方法はまた、被検体の組織に第２のテザーを固定するステップを含んでもよい。第１および第２のテザーは、同じテザーであってもよい。第１のテザーは、ロック部材の壁部分の中の少なくとも１つの開口を通過してもよい。
【００３６】
デバイスのいくつかの変化例は、管状部材と、第１の締付け部分、第２の締付け部分、およびその間の中空領域を備える、ロック部材とを備えてもよい。中空領域は、ロック部材が開放構成であるときに、管状部材の少なくとも一部分を受容するように構成されてもよい。ロック部材はまた、中空領域が管状部材のいずれの部分も受容するように構成されず、第１の締付け部分が第２の締付け部分に対して締付ける、閉鎖構成を有してもよい。第１の締付け部分は、第１の複数の歯を備えてもよく、第２の締付け部分は、ロック部材が閉鎖構成であるときに第１の複数の歯に接触する、第２の複数の歯を備えてもよい。
【００３７】
いくつかの方法の変化例は、管状部材が開放構成のロック部材の中空領域内に少なくとも部分的に配置されている間に、管状部材を通してテザーを前進させるステップと、中空領域からテザーも引き抜くことなく、中空領域から管状部材を引き抜くステップとを含んでもよい。ロック部材がテザーを締付け、それにより、テザーを固定するように、管状部材が中空領域から引き抜かれたときに、ロック部材は、閉鎖構成を成してもよい。
【００３８】
あるデバイスの変化例は、管腔を備える管状部材と、管状部材の管腔内に少なくとも部分的に配置されるときに１次構成を有する、コイルとを備えてもよい。コイルは、管状部材の管腔内に配置されていないときに２次構成を成すように構成されてもよい。加えて、コイルは、コイルがその１次構成であるときに、それを通るテザーの前進のために構成されてもよく、コイルがその２次構成であるときに、テザーを固定するように構成されてもよい。いくつかの方法の変化例は、コイルがその１次構成あり、管状部材の管腔内に少なくとも部分的に配置されるときに、コイルを通してテザーを前進させるステップと、コイルが管状部材の管腔から出て、コイルがテザーを固定する２次構成を成すように、管状部材に対してコイルを並進させるステップとを含んでもよい。
【００３９】
本明細書で説明されるデバイスのある変化例は、細長い部材（例えば、カテーテル）を備えてもよい。また、ロック部材を備えるデバイスのいくつかの変化例では、ロック部材は、細長い部材の遠位部分に解放可能に連結されてもよい。ある方法の変化例は、（例えば、プッシュ部材でロック部材に力を印加することによって）細長い部材の遠位部分からロック部材を分断するステップを含んでもよい。本明細書で説明されるデバイスのいくつかの変化例は、テザーを切断するように構成される切断部材を備えてもよい。方法は、１つ以上のテザーを切断してもよい。
【００４０】
あるデバイスの変化例は、近位部分および遠位部分を有する本体を備える、プラグと、近位部分および遠位部分を備える、ロック部材と、プラグ本体に連結される、またはプラグ本体と一体である、切断部材とを備えてもよい。ロック部材はさらに、少なくとも部分的にそれを通って延在する管腔を備えてもよく、管腔は、プラグを受容するようにサイズ決定および成形される。いくつかの変化例では、プラグは、ロック部材の管腔と摩擦嵌合を形成してもよい。ロック部材はまた、それを通るテザーの通過のためにサイズ決定および成形される、少なくとも１つの開口を有する壁部分を備えてもよい。場合によっては、ロック部材は、代替として、または加えて、管腔の遠位部分に停止段部を備えてもよい。切断部材は、プラグの近位または遠位部分に位置してもよく、および／またはプラグ本体の外面の少なくとも一部分を包囲してもよい。ある変化例では、プラグは、切断部材を備える、コレットを備えてもよい。デバイスのいくつかの変化例はさらに、ロック部材の管腔にプラグを押し込むように構成されてもよい、プッシュ部材を備えてもよい。ある変化例では、プッシュ部材は、切断部材を備えてもよい。いくつかのそのような変化例では、プッシュ部材は、プラグを押すため、およびテザーを切断するための両方に使用されてもよい。
【００４１】
あるデバイスの変化例は、近位部分および遠位部分を有する本体を備える、プラグと、近位部分、遠位部分、および少なくとも部分的にそれを通って延在する管腔を備える、ロック部材とを備えてもよく、ロック部材は、プラグを受容し、管腔内でプラグと摩擦嵌合を形成するように構成されてもよい。いくつかの変化例では、ロック部材は、第１の切断部材を備えてもよい。ロック部材はさらに、それを通るテザーの通過のためにサイズ決定および成形される、少なくとも１つの開口を備える、壁部分を備えてもよい。いくつかの変化例では、第１の切断部材は、ロック部材の遠位部分に位置してもよく、それを通るテザーの通過のためにサイズ決定および成形される開口を有してもよい。ある変化例では、第１の切断部材は、ロック部材の管腔の内面の少なくとも一部分を包囲してもよい。
【００４２】
あるデバイスの変化例では、プラグはさらに、プラグ本体に連結される、またはプラグ本体と一体である、第２の切断部材を備えてもよい。第２の切断部材は、プラグがロック部材の管腔内で受容されると、第１の切断部材に実質的に接触してもよい。デバイスはまた、管腔の縦軸に対して横方向に、ロック部材の管腔を通過するテザーを引き出すように構成されてもよい、テザーガイドを含んでもよい。
【００４３】
デバイスのいくつかの変化例は、近位および遠位部分を有する本体を備える、プラグと、近位および遠位部分ならびに少なくとも部分的にそれを通って延在する管腔を備える、ロック部材と、プラグ接触部分および切断部材を備える、プッシュ部材とを備えてもよい。ロック部材の管腔は、プラグを受容し、かつプラグと摩擦嵌合を形成するように構成されてもよく、プッシュ部材は、ロック部材の管腔にプラグを押し込むように構成されてもよい。ロック部材はさらに、それを通るテザーの通過のためにサイズ決定および成形される、少なくとも１つの開口を備える、壁部分を備えてもよい。いくつかの変化例では、切断部材は、プッシュ部材の本体上の少なくとも１つの剪断刃の形態であってもよく、および／またはプッシュ部材のプラグ接触部分に対して対称に配設されてもよい。１つまたは複数の剪断刃はまた、プッシュ部材の外周の少なくとも一部分を包囲してもよい。プッシュ部材は、切断部材が覆われる第１の構成と、切断部材が覆われない、または露出される第２の構成とを有してもよい。
【００４４】
ここで説明される方法のいくつかの変化例は、管腔を通過するテザーを固定するように、部分的にロック部材の管腔の中へ、切断部材を備えるプラグを前進させるステップと、テザーを切断するように、さらに管腔の中へプラグを前進させるステップとを含んでもよい。テザーは、プラグの壁と管腔の壁との間に固定されてもよい。
【００４５】
ここで説明される方法のある変化例は、管腔を通過するテザーを固定するように、部分的にロック部材の管腔の中へプラグを前進させるステップと、テザーを切断するように、さらにロック部材の管腔の中へプラグを前進させるステップとを含んでもよい。テザーは、例えば、ロック部材の管腔の中に配置された切断部材と接触することによって、切断されてもよい。
【００４６】
いくつかの方法の変化例は、プラグの壁と管腔の壁との間でテザーを固定するように、部分的にロック部材の管腔の中へ、第１の切断部材を備えるプラグを前進させるステップと、第１の切断部材が、ロック部材の管腔内に配置された第２の切断部材に接触するように、さらにロック部材の管腔の中へプラグを前進させるステップとを含んでもよい。
【００４７】
いくつかの方法の変化例は、管腔を通過するテザーを固定するように、部分的にロック部材の管腔の中へプラグを前進させるために、プッシュ部材を使用するステップを含んでもよく、プッシュ部材は、切断部材を備える。テザーは、例えば、プラグの壁と管腔の壁との間に固定されてもよい。方法はまた、切断部材がロック部材の一部分（例えば、遠位または近位部分）に接触し、テザーを切断するまで、プッシュ部材を前進させるステップを含んでもよい。ある変化例では、切断部材は、ロック部材の近位部分の段部において出るにつれて、テザーに接触し、切断してもよい。
【００４８】
いくつかの方法の変化例は、部分的にロック部材の管腔の中へプラグを前進させ、それにより、管腔を通過するテザーを固定するために、プッシュ部材を使用するステップを含んでもよい。テザーは、例えば、プラグの壁と管腔の壁との間に固定されてもよい。ある変化例では、プッシュ部材は、切断部材を備えてもよい。そのような変化例では、方法はさらに、例えば、切断部材がロック部材の一部分に接触してそれを切断するまで、プッシュ部材を前進させるステップを含んでもよい。いくつかの変化例では、切断部材は、テザーが存在するロック部材の管腔の側面開口部において、テザーを切断してもよい。ある変化例では、切断部材は、ロック部材の管腔の中の段部において出るにつれて、テザーに接触し、切断してもよい。
【００４９】
ここで説明される、ある方法の変化例は、部分的にロック部材の管腔の中へプラグを前進させ、それにより、ロック部材の管腔を通過するテザーを固定するために、プッシュ部材を使用するステップを含んでもよい。テザーは、例えば、プラグの壁と管腔の壁との間に固定されてもよい。いくつかの変化例では、ロック部材は、それを通るテザーの通過のためにサイズ決定および成形される、少なくとも２つの開口を備えてもよい。ある変化例では、切断部材は、プラグに連結されてもよく、方法はさらに、切断部材を前進させて、ロック部材の段部に接触し、テザーを切断するように、プラグを押すステップを含んでもよい。
【００５０】
いくつかの方法の変化例は、管腔を通過するテザーを固定するように、部分的にロック部材の管腔の中へプラグを前進させるために、第１のプッシュ部材を使用するステップを含んでもよく、プラグの近位部分は、延長可能な切断部材に連結される。いくつかのそのような変化例では、第２のプッシュ部材は、延長可能な切断部材を前進させ、それにより、テザーを切断するために使用されてもよい。
【図面の簡単な説明】
【００５１】
【図１】図１Ａおよび１Ｂは、テザーを使用した、被検体の組織の引き締めまたは圧縮を図示する。
【図２】図２は、テザーをロックするためのデバイスの変化例を示す。
【図３】図３Ａ−３Ｄは、テザーをロックするためのデバイスおよび方法の変化例を示す。
【図４】図４Ａおよび４Ｂは、テザーをロックするためのデバイスの別の変化例を示す。
【図５−１】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−２】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−３】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−４】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−５】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−６】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−７】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−８】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図５−９】図５Ａ−５Ｈは、テザーをロックするためのデバイスおよび方法の変化例を図示する。図５Ｉ−５Ｐは、テザーをロックするためのデバイスの構成要素の変化例を示す。図５Ｑ−５Ｘは、テザーをロックするためのデバイスおよび方法の付加的な変化例を図示する。
【図６】図６および７は、テザーをロックするためのデバイスの変化例の側面断面図である。
【図７】図６および７は、テザーをロックするためのデバイスの変化例の側面断面図である。
【図８】図８は、テザーをロックするためのデバイスの付加的な変化例の部分断面図における側面図である。
【図９】図９Ａおよび９Ｂは、テザーをロックするためのデバイスおよび方法の変化例を図示する。
【図１０】図１０および１１は、テザーをロックするためのデバイスの変化例の側面断面図である。
【図１１】図１０および１１は、テザーをロックするためのデバイスの変化例の側面断面図である。
【図１２】図１２は、テザーをロックするためのデバイスの別の変化例の部分断面図における側面図である。
【図１３】図１３および１４は、テザーをロックするためのデバイスの変化例の側面断面図である。
【図１４】図１３および１４は、テザーをロックするためのデバイスの変化例の側面断面図である。
【図１５】図１５は、テザーをロックするためのデバイスの構成要素の変化例の側面断面図である。
【図１６】図１６Ａおよび１６Ｂは、テザーをロックするためのデバイスの変化例の斜視図である。
【図１７−１】図１７Ａおよび１７Ｂは、テザーをロックするためのデバイスの変化例の斜視図であり、図１７Ｃは、図１７Ａおよび１７Ｂのデバイスの側面図であり、図１７Ｄは、図１７Ａ−１７Ｃのデバイスの側面斜視図であり、図１７Ｅおよび１７Ｆは、図１７Ｄのデバイスの正面図であり、図１７Ｇは、図１７Ａ−１７Ｆのデバイスの側面断面図である。
【図１７−２】図１７Ａおよび１７Ｂは、テザーをロックするためのデバイスの変化例の斜視図であり、図１７Ｃは、図１７Ａおよび１７Ｂのデバイスの側面図であり、図１７Ｄは、図１７Ａ−１７Ｃのデバイスの側面斜視図であり、図１７Ｅおよび１７Ｆは、図１７Ｄのデバイスの正面図であり、図１７Ｇは、図１７Ａ−１７Ｆのデバイスの側面断面図である。
【図１７−３】図１７Ａおよび１７Ｂは、テザーをロックするためのデバイスの変化例の斜視図であり、図１７Ｃは、図１７Ａおよび１７Ｂのデバイスの側面図であり、図１７Ｄは、図１７Ａ−１７Ｃのデバイスの側面斜視図であり、図１７Ｅおよび１７Ｆは、図１７Ｄのデバイスの正面図であり、図１７Ｇは、図１７Ａ−１７Ｆのデバイスの側面断面図である。
【図１８】図１８Ａおよび１８Ｂは、テザーをロックするためのデバイスの変化例の上面図である。
【図１９−１】図１９Ａは、テザーをロックするためのデバイスの変化例の斜視図であり、図１９Ｂは、図１９Ａのデバイスの側面図であり、図１９Ｃは、デバイスの構成要素が相互に連結された時の図１９Ａおよび１９Ｂのデバイスの正面図であり、図１９Ｄは、図１９Ａ−１９Ｃのデバイスの側面断面図であり、図１９Ｅは、図１９Ａ−１９Ｄのデバイスの上面図である。
【図１９−２】図１９Ａは、テザーをロックするためのデバイスの変化例の斜視図であり、図１９Ｂは、図１９Ａのデバイスの側面図であり、図１９Ｃは、デバイスの構成要素が相互に連結された時の図１９Ａおよび１９Ｂのデバイスの正面図であり、図１９Ｄは、図１９Ａ−１９Ｃのデバイスの側面断面図であり、図１９Ｅは、図１９Ａ−１９Ｄのデバイスの上面図である。
【図２０−１】図２０Ａは、テザーを切断するために使用されてもよい、デバイスの変化例の側面図であり、図２０Ｂは、線２０Ｂ−２０Ｂに沿って得られた、図２０Ａのデバイスの断面図である。
【図２０−２】図２０Ｃは、テザーを切断するために使用されてもよい、デバイスの変化例の側面図であり、図２０Ｄは、線２０Ｄ−２０Ｄに沿って得られた、図２０Ｃのデバイスの断面図である。
【図２０−３】図２０Ｅは、テザーを切断するために使用されてもよい、デバイスの変化例の側面図であり、図２０Ｆは、線２０Ｆ−２０Ｆに沿って得られた、図２０Ｅのデバイスの断面図である。
【図２０−４】図２０Ｇは、テザーを切断するために使用されてもよい、デバイスの変化例の側面図であり、図２０Ｈは、線２０Ｈ−２０Ｈに沿って得られた、図２０Ｇのデバイスの断面図である。
【図２１】図２１Ａ、２１Ｂ、および２２−２５は、テザーをロックするためのデバイスの変化例の部分断面図における側面図である。
【図２２】図２１Ａ、２１Ｂ、および２２−２５は、テザーをロックするためのデバイスの変化例の部分断面図における側面図である。
【図２３】図２１Ａ、２１Ｂ、および２２−２５は、テザーをロックするためのデバイスの変化例の部分断面図における側面図である。
【図２４】図２１Ａ、２１Ｂ、および２２−２５は、テザーをロックするためのデバイスの変化例の部分断面図における側面図である。
【図２５】図２１Ａ、２１Ｂ、および２２−２５は、テザーをロックするためのデバイスの変化例の部分断面図における側面図である。
【図２６】図２６Ａは、テザーをロックするためのデバイスの変化例の側面図であり、図２６Ｂは、図２６Ａのデバイスの斜視図である。
【図２７】図２７Ａは、テザーをロックするためのデバイスの別の変化例の側面図であり、図２７Ｂは、図２７Ａのデバイスの斜視図である。
【図２８】図２８Ａは、テザーをロックするためのデバイスの付加的な変化例の側面図であり、図２８Ｂは、図２８Ａのデバイスの斜視図である。
【図２９】図２９Ａは、テザーをロックするためのデバイスの別の変化例の側面図であり、図２９Ｂは、図２９Ａのデバイスの斜視図である。
【図３０】図３０Ａは、テザーをロックするためのデバイスの構成要素の変化例の側面図であり、図３０Ｂおよび３０Ｃは、図３０Ａの構成要素を備えるテザーをロックするためのデバイスの部分断面図における側面図である。
【図３１】図３１Ａおよび図３１Ｂは、テザーをロックするためのデバイスの変化例の側面斜視図である。
【図３２】図３２は、テザーをロックするためのデバイスおよび方法の変化例を図示する。
【図３３】図３３Ａ−３３Ｅは、テザーをロックするためのデバイスの変化例を図示する。
【図３４Ａ】図３４Ａ−３４Ｃは、テザーをロックするためのデバイスおよび方法の変化例を図示する。
【図３４Ｂ】図３４Ａ−３４Ｃは、テザーをロックするためのデバイスおよび方法の変化例を図示する。
【図３４Ｃ】図３４Ａ−３４Ｃは、テザーをロックするためのデバイスおよび方法の変化例を図示する。
【図３５】図３５Ａ−３５Ｄは、テザーをロックするためのデバイスの変化例を示す。
【図３６】図３６は、テザーをロックするためのデバイスの変化例を示す。
【図３７】図３７は、テザーをロックするためのデバイスの変化例の斜視図である。
【図３８】図３８は、テザーをロックするためのデバイスの変化例の側面図である。
【図３９−１】図３９Ａ−３９Ｅは、テザーをロックするためのデバイスの構成要素の変化例の側面図である。
【図３９−２】図３９Ａ−３９Ｅは、テザーをロックするためのデバイスの構成要素の変化例の側面図である。
【図４０Ａ】図４０Ａは、テザーをロックするためのデバイスの変化例の側面斜視図であり、図４０Ｂおよび４０Ｃは、図４０Ａのデバイスの部分断面図における側面図である。
【図４０Ｂ】図４０Ａは、テザーをロックするためのデバイスの変化例の側面斜視図であり、図４０Ｂおよび４０Ｃは、図４０Ａのデバイスの部分断面図における側面図である。
【図４０Ｃ】図４０Ａは、テザーをロックするためのデバイスの変化例の側面斜視図であり、図４０Ｂおよび４０Ｃは、図４０Ａのデバイスの部分断面図における側面図である。
【図４１】図４１は、テザーをロックするためのデバイスの別の変化例の部分断面図における側面図である。
【図４２−１】図４２Ａは、テザーをロックするためのデバイスの構成要素の変化例の斜視図であり、図４２Ｂは、図４２Ａの構成要素を備えるデバイスを図示し、図４２Ｃ−４２Ｇは、図４２Ａの構成要素を備えるデバイスを使用して、テザーをロックするための方法の変化例を図示する。
【図４２−２】図４２Ａは、テザーをロックするためのデバイスの構成要素の変化例の斜視図であり、図４２Ｂは、図４２Ａの構成要素を備えるデバイスを図示し、図４２Ｃ−４２Ｇは、図４２Ａの構成要素を備えるデバイスを使用して、テザーをロックするための方法の変化例を図示する。
【図４２−３】図４２Ａは、テザーをロックするためのデバイスの構成要素の変化例の斜視図であり、図４２Ｂは、図４２Ａの構成要素を備えるデバイスを図示し、図４２Ｃ−４２Ｇは、図４２Ａの構成要素を備えるデバイスを使用して、テザーをロックするための方法の変化例を図示する。
【図４３】図４３Ａおよび４３Ｂは、テザーをロックするためのデバイスの変化例の斜視図である。
【図４４−１】図４４Ａおよび４４Ｂは、テザーをロックするために使用されてもよい、デバイスの異なる変化例の部分断面図における側面図である。
【図４４−２】図４４Ｃおよび４４Ｄは、テザーをロックするために使用されてもよい、デバイスの構成要素の変化例の側面図である。
【図４４−３】図４４Ｅは、テザーをロックするために使用されてもよい、デバイスの変化例の部分断面図における側面図である。
【図４５−１】図４５Ａ−４５Ｆは、テザーをロックするために使用されてもよい、デバイスおよび方法の変化例を図示する。
【図４５−２】図４５Ａ−４５Ｆは、テザーをロックするために使用されてもよい、デバイスおよび方法の変化例を図示する。
【図４５−３】図４５Ｇは、テザーをロックするために使用されてもよい、デバイスの別の変化例の分解図である。
【図４６−１】図４６Ａおよび４６Ｂは、テザーをロックするために使用されてもよい、デバイスの変化例の部分断面図である。
【図４６−２】図４６Ｃおよび４６Ｄは、テザーをロックするためのデバイスの変化例の斜視図である。
【図４７】図４７Ａは、テザーをロックするためのデバイスの変化例の斜視図であり、図４７Ｂは、図４７Ａのデバイスの側面図である。
【図４８】図４８および４９は、テザーをロックするためのデバイスの変化例の斜視図である。
【図４９】図４８および４９は、テザーをロックするためのデバイスの変化例の斜視図である。
【図５０−１】図５０Ａおよび５０Ｂは、テザーをロックするためのデバイスおよび方法のさらなる変化例を図示する。
【図５０−２】図５０Ｃは、テザーおよびテザーロックデバイスの変化例の斜視図であり、図５０Ｄは、線５０Ｄ−５０Ｄに沿って得られた、図５０Ｃのテザーおよびデバイスの正面断面図であり、図５０Ｅは、平らにされた時の図５０Ｃのデバイスの概略図であり、図５０Ｆは、テザーをロックするために使用されている時の図５０Ｃのデバイスの説明図である。
【図５０−３】図５０Ｃは、テザーおよびテザーロックデバイスの変化例の斜視図であり、図５０Ｄは、線５０Ｄ−５０Ｄに沿って得られた、図５０Ｃのテザーおよびデバイスの正面断面図であり、図５０Ｅは、平らにされた時の図５０Ｃのデバイスの概略図であり、図５０Ｆは、テザーをロックするために使用されている時の図５０Ｃのデバイスの説明図である。
【図５１】図５１Ａおよび５１Ｂは、テザーをロックするためのデバイスおよび方法の変化例を図示する。
【図５２】図５２は、一体ロック特徴を備えるテザーの変化例を示す。
【図５３】図５３Ａおよび５３Ｂは、テザーをロックするためのデバイスおよび方法の変化例を図示する。
【図５４】図５４は、テザーをロックするためのデバイスおよび方法の変化例を図示する。
【図５５】図５５は、テザーをロックするためのデバイスの別の変化例を図示する。
【図５６】図５６Ａおよび５６Ｂは、テザーをロックするためのデバイスおよび方法の変化例を図示する。
【図５７】図５７は、テザーをロックするためのデバイスおよび方法の変化例を図示する。
【図５８−１】図５８Ａおよび５８Ｂは、カテーテルの中へテザーを装填するためのデバイスの例証的な変化例である。
【図５８−２】図５８Ｃおよび５８Ｄは、テザー挿入デバイスの例示的な変化例の断面図である。
【図５９】図５９Ａは、テザーをロックするために使用されてもよい、デバイスの変化例の斜視図であり、図５９Ｂは、線５９Ｂ−５９Ｂに沿って得られた、図５９Ａのデバイスの断面図である。
【図６０−１】図６０Ａ−６０Ｒは、テザーロックデバイスの構成要素の変化例を通して、種々のテザーロック構成を示す。
【図６０−２】図６０Ａ−６０Ｒは、テザーロックデバイスの構成要素の変化例を通して、種々のテザーロック構成を示す。
【図６０−３】図６０Ａ−６０Ｒは、テザーロックデバイスの構成要素の変化例を通して、種々のテザーロック構成を示す。
【図６０−４】図６０Ａ−６０Ｒは、テザーロックデバイスの構成要素の変化例を通して、種々のテザーロック構成を示す。
【図６０−５】図６０Ａ−６０Ｒは、テザーロックデバイスの構成要素の変化例を通して、種々のテザーロック構成を示す。
【図６０−６】図６０Ａ−６０Ｒは、テザーロックデバイスの構成要素の変化例を通して、種々のテザーロック構成を示す。
【図６０−７】図６０Ａ−６０Ｒは、テザーロックデバイスの構成要素の変化例を通して、種々のテザーロック構成を示す。
【図６０−８】図６０Ａ−６０Ｒは、テザーロックデバイスの構成要素の変化例を通して、種々のテザーロック構成を示す。
【図６１】図６１Ａ−６１Ｆは、テザーを切断するために使用されてもよい、デバイスの種々の実施例を図示する。
【図６２】図６２は、テザーを切断するためのデバイスの変化例の部分断面図における側面図である。
【図６３】図６３Ａおよび６３Ｂは、テザーを切断するために使用されてもよい、デバイスの実施例を図示する。
【図６４】図６４Ａ−６４Ｄは、テザーを切断するために使用されてもよい、デバイスの変化例を図示する。
【図６５】図６５Ａおよび６５Ｂは、テザーを切断するために使用されてもよい、デバイスの付加的な変化例を示す。
【図６５Ｃ】図６５Ｃは、テザーを切断するために使用されてもよい、デバイスの変化例を図示する。
【図６６−１】図６６Ａおよび６６Ｂは、テザーを切断するために使用されてもよい、デバイスの変化例の斜視図である。
【図６６−２】図６６Ｃおよび６６Ｄは、テザーを切断するために使用されてもよい、デバイスの付加的な変化例の側面図である。
【図６７】図６７Ａおよび６７Ｂは、テザーをロックし、切断するために使用されてもよい、デバイスの異なる変化例を示す。
【図６８−１】図６８Ａは、テザーをロックし、切断するために使用されてもよい、デバイスの一変化例の部分断面図における側面図であり、図６８Ｂおよび６８Ｃは、テザーをロックし、切断するために使用されてもよい、デバイスの異なる変化例の側面斜視図であり、図６８Ｄ−６８Ｇは、テザーをロックし、切断するために使用されてもよい、デバイスの異なる変化例の側面図であり、図６８Ｈ−６８Ｊは、テザーをロックし、切断するために使用されてもよい、デバイスの付加的な変化例の側面斜視図である。
【図６８−２】図６８Ａは、テザーをロックし、切断するために使用されてもよい、デバイスの一変化例の部分断面図における側面図であり、図６８Ｂおよび６８Ｃは、テザーをロックし、切断するために使用されてもよい、デバイスの異なる変化例の側面斜視図であり、図６８Ｄ−６８Ｇは、テザーをロックし、切断するために使用されてもよい、デバイスの異なる変化例の側面図であり、図６８Ｈ−６８Ｊは、テザーをロックし、切断するために使用されてもよい、デバイスの付加的な変化例の側面斜視図である。
【図６８−３】図６８Ａは、テザーをロックし、切断するために使用されてもよい、デバイスの一変化例の部分断面図における側面図であり、図６８Ｂおよび６８Ｃは、テザーをロックし、切断するために使用されてもよい、デバイスの異なる変化例の側面斜視図であり、図６８Ｄ−６８Ｇは、テザーをロックし、切断するために使用されてもよい、デバイスの異なる変化例の側面図であり、図６８Ｈ−６８Ｊは、テザーをロックし、切断するために使用されてもよい、デバイスの付加的な変化例の側面斜視図である。
【図６９】図６９Ａは、テザーをロックし、切断するために使用されてもよい、デバイスの変化例の部分断面図における側面斜視図であり、図６９Ｂは、テザーをロックし、切断するために使用されてもよい、デバイスの構成要素の変化例の側面図であり、図６９Ｃは、テザーをロックし、切断するために使用されてもよい、デバイスの構成要素の変化例の側面斜視図である。
【図７０】図７０Ａは、テザーをロックし、切断するために使用されてもよい、デバイスの変化例の部分断面図における側面斜視図であり、図７０Ｂは、テザーをロックし、切断するために使用されてもよい、デバイスの構成要素の変化例の部分断面図における側面図である。
【図７１】図７１は、テザーをロックし、切断するために使用されてもよい、デバイスおよび方法の変化例の部分断面図における側面図である。
【図７２】図７２Ａおよび７２Ｂは、テザーをロックし、切断するために使用されてもよい、デバイスの異なる変化例の部分断面図における側面図である。
【図７３−１】図７３Ａおよび７３Ｂは、テザーをロックし、切断するために使用されてもよい、デバイスおよび方法の変化例の部分断面図における例証的な側面図である。
【図７３−２】図７３Ｃおよび７３Ｄは、テザーをロックし、切断するために使用されてもよい、デバイスおよび方法の付加的な変化例の部分断面図における例証的な側面図である。
【図７４】図７４Ａおよび７４Ｂは、テザーをロックし、切断するために使用されてもよい、デバイスおよび方法の異なる変化例の断面図である。
【図７５】図７５Ａおよび７５Ｂは、テザーをロックし、切断するために使用されてもよい、デバイスおよび方法の変化例の部分断面図における側面図である。
【図７６】図７６は、テザーをロックし、切断するために使用されてもよい、デバイスおよび方法の変化例の部分断面図における側面図である。
【発明を実施するための形態】
【００５２】
ここでは、（例えば、組織を引き締める、または圧縮するようにテザーが引張られた後に）テザーをロックおよび／または切断するためのデバイスおよび方法を説明する。ここで説明されるデバイスおよび方法は、そのようなテザーロックおよび／または切断が所望される、任意の適切な手技および場所で使用されてもよい。そのように限定されないが、ここで説明されるデバイスおよび方法は、例えば、自然開口部経腔的内視鏡手術（「ＮＯＴＥＳ」）手技、心臓弁修復手技（例えば、僧帽弁輪修復手技）、および／または内視鏡手技（例えば、腹腔鏡検査および／または関節鏡検査）で使用されてもよい。ここで説明されるデバイスおよび方法は、適宜に、非侵襲または低侵襲手技（例えば、低侵襲経皮的手技）で、または侵襲的手術（例えば、開胸手術）等の侵襲的手技で使用されてもよい。ここで説明されるデバイスのうちのいくつかが、テザーをロックまたは切断するために使用されてもよい一方で、ここで説明される他のデバイスは、テザーのロックおよび切断の両方を行うために使用されてもよい。ここで、方法およびデバイスの具体的実施例を以下でさらに詳細に説明する。
【００５３】
ここで図を参照すると、図１Ａは、被検体の組織（１０６）の中へ固着された、２つのアンカ（１００）および（１０４）を示す。テザー（１１０）は、アンカ（１００）に固定して固着され、アンカ（１０４）のループ領域（１１４）を通される。図１Ｂに示されるように、テザー（１１０）が矢印（Ａ１）の方向に引張られると、アンカ（１００）および（１０４）が近づけられ、アンカ（１００）および（１０４）の間の組織の長さが短縮されるように、締め上げ効果が生じる。このように、組織（１０６）は、収集および／または圧縮されてもよい。２つのアンカが図１Ａおよび１Ｂに示されているが、場合によっては、複数のアンカが使用されてもよい。加えて、アンカは、全て同じサイズおよび形状を有してもよく、または異なるサイズおよび／または形状を有してもよい。テザー（１１０）が所望の量だけ引張られた後、テザー（１１０）は、引張力を維持するようにロックされてもよく、場合によっては、テザー（１１０）の余分な部分が切断され、除去されてもよい。
【００５４】
上記の過程は、多種多様な組織で使用されてもよい。例えば、いくつかの変化例では、テザーによって相互に接続されるアンカが、僧帽弁輪の領域中の組織の中へ配備されてもよい。次いで、テザーは、（例えば、僧帽弁逆流を低減するように）僧帽弁輪を再構築する、締め上げ効果を提供するように、引張られてもよい。その後、ロックデバイスが、テザーを適所でロックするために使用されてもよく、それにより、締め上げ効果を維持する。最終的に、切断デバイスが、テザーの余分な部分を除去するために使用されてもよい。僧帽弁修復は、その全てが、それらの全体で参照することにより本明細書に組み込まれる、米国特許出願公開第２００６／０１２２６３３Ａ１号、同第２００６／０１９００３０Ａ１号、同第２００８／０１７２０３５Ａ１号、および同第２００８／０１７７３８０Ａ１号において説明されている。
【００５５】
ある変化例では、上記の過程は、弁機能障害を体験している心臓を修復するために使用される、心室リモデリング手技等の心臓再形成手技で使用されてもよい。心臓再形成手技を含む、心臓修復手技は、例えば、その全体で参照することにより本明細書に組み込まれる、２００８年１０月１７日出願の米国特許出願第１２／２５３，７９２号で説明されている。
【００５６】
上記で論議されるように、本明細書で説明されるデバイスおよび方法は、適宜に、体内のいくつかの異なる部位のうちのいずれかで、および／またはいくつかの異なる種類の手技のうちのいずれかを支援するために、使用されてもよい。一実施例として、本明細書で説明されるデバイスおよび方法は、ＮＯＴＥＳ手技で使用されてもよい。別の実施例では、本明細書で説明されるデバイスおよび方法は、僧帽弁修復を伴うもの以外の心臓手技で使用されてもよい。例えば、それらは、大動脈弁または三尖弁を修復するため、または人工心臓弁を固定するために使用されてもよく、あるいは、それらは心臓ポートで使用されてもよい。別の実施例として、デバイスおよび方法は、１つ以上のテザーが弁形成リングを補強するために使用される、手技で採用されてもよい。加えて、本明細書で説明されるデバイスおよび方法は、例えば、種々の切開手術手技で使用されてもよい。
【００５７】
ここで説明される方法およびデバイスとともに使用するためのアンカは、任意の好適なアンカであってもよい。アンカは、任意の好適な材料でできていてもよく、任意の好適なサイズであってもよく、および任意の好適な形状であってもよい。アンカは、１つの材料または２つ以上の材料でできていてもよい。アンカの材料の実施例は、ニッケル・チタン合金およびバネステンレス鋼等の超弾性または形状記憶材料を含む。アンカの形状の実施例は、Ｔタグ、リベット、ステープル、フック（例えば、Ｃ字形または半円形フック、他の形状の曲線フック、直線フック、有刺フック）、複数のループ状アンカ、クリップ、および同等物を含む。アンカは、自己拡張し、組織の中へ自己固定するように構成されてもよいが、そのような様式で構成される必要はない。同じ形状の複数のアンカが使用されてもよく、または異なる形状を有する複数のアンカが使用されてもよい。同様に、同じサイズの複数のアンカが使用されてもよく、または異なるサイズを有する複数のアンカが使用されてもよい。好適なアンカの例証的実施例は、例えば、その全てが、それらの全体で参照することにより本明細書に組み込まれる、米国特許出願公開第２００５／０２７３１３８Ａ１号、同第２００８／００４５９８２Ａ１号、同第２００８／００４５９８３Ａ１号、同第２００８／００５１８１０Ａ１号、同第２００８／００５１８３２Ａ１号、および同第２００８／００５８８６８Ａ１号で説明されている。また、アンカが説明されているが、任意の他の種類の好適な締結具またはインプラント（例えば、リード線、電極等）が、ここで説明されるデバイスおよび／または方法のうちの１つ以上とともに使用されてもよい。加えて、本明細書で説明されるデバイスおよび方法を採用する、いくつかの手技は、いずれのアンカまたは他の種類の締結具も伴わなくてもよい。一実施例として、ここで説明されるデバイスおよび方法のある変化例は、組織を通して縫われた縫合糸をロックおよび／または切断するために使用されてもよい。
【００５８】
テザーは、材料の１つの長い断片または２つ以上の断片であってもよく、縫合糸、縫合糸状材料、ＤＡＣＲＯＮ（登録商標）ポリエステル細片、高密度ポリエチレン（ＨＤＰＥ）、または同等物等の、任意の好適な材料を含んでもよい。いくつかの変化例では、テザーは、モノフィラメントまたはマルチフィラメント織物用繊維糸または繊維の形態であってもよい。テザーはまた、種々の編組織物構成を有してもよい。１本のテザーを使用して組織を引き締める、または圧縮するための手技が説明されているが、組織を修正するための他の手技は、２本、３本、４本、５本、または１０本のテザー等の複数のテザーの使用を伴ってもよい。複数のテザーが使用される時、テザーのうちの少なくともいくつかは、異なるアンカと関連付けられ（例えば、固定して取り付けられ）てもよく、および／またはテザーのうちの少なくともいくつかは、同じアンカと関連付けられ（例えば、固定して取り付けられ）てもよい。本明細書で説明されるデバイスおよび方法は、単一テザー手技に、または複数テザー手技に適用されてもよい。一実施例として、ロックおよび／または切断デバイスが、同時に、または異なるときに、２つ以上のテザーをロックおよび／または切断するために使用されてもよい。
【００５９】
上記で説明されるように、１つ以上のアンカが固定され、テザーが引張られた後、次いで、テザーは、引張力（したがって、締め上げ効果）を維持するように適所にロックまたは固定されてもよい。ロックデバイスの異なる変化例を以下でさらに詳細に説明する。
【００６０】
例えば、図２は、プラグ（２１３）および中空ロック部材（２０６）を備えるロック要素（２０５）を含む、ロックデバイス（２０１）を示す。中空ロック部材（２０６）は、デバイスの遠位領域中で管状の細長い部材（２０３）に解放可能に連結される。細長い部材（２０３）は、その長さの全体または一部分にわたって可撓性であってもよい。図２に示されるように、中空ロック部材（２０６）は、細長い部材（２０３）の遠位延長部の形態をしている（すなわち、中空ロック部材（２０６）は、細長い部材（２０３）の遠位端を超えて延在する）。しかしながら、いくつかの変化例では、ロックデバイスは、細長い部材と、細長い部材に連結されるが、細長い部材の遠位延長部を形成しない、ロック部材とを備えてもよい。再び図２を参照して、中空ロック部材（２０６）は、細長い部材（２０３）の外形を維持し、かつ細長い部材と共通壁を共有してもよい。しかし、場合によっては、ロックデバイスは、細長い部材と、外形が細長い部材よりも小さい、または長いロック部材とを備えてもよい。代替として、または加えて、細長い部材およびロック部材は、共通壁を共有しなくてもよい。
【００６１】
図２に示されたデバイスは、カテーテルとして構成されているが、他の構成が使用されてもよい。また、デバイスは、例えば、デバイスが使用される特定の手技の要件に応じて、（例えば、外科的手技で使用するために）拡大または（例えば、低侵襲手技で使用するために）縮小されてもよい。
【００６２】
図２に示されるように、テザー（２１０）は、ロックデバイス（２０１）の遠位領域、特に、中空ロック部材（２０６）を通される。任意の好適なロック要素がロックデバイスの一部として含まれてもよいが、テザーがプラグとロック部材の壁との間に固定されるように、ロック要素（２０５）は、プラグ（２１３）が中空ロック部材（２０６）の中へ前進させられるとテザーをロックする。示されるように、テザー（２１０）は、中空ロック部材（２０６）の壁（２１２）の中の複数の開口を通される。しかしながら、いくつかの変化例では、テザーが、ロック部材の壁の中の１つだけの開口を通されてもよい。代替として、または加えて、テザーは、ロックデバイスの１つ以上の他の場所で（例えば、ロック要素の遠位で）１つ以上の開口（例えば、通路または穴）を通過してもよい。ある変化例では、それを通してテザーが送られる、１つ以上の開口は、（例えば、１つまたは複数の開口を通るテザーの通過を増進するように）放射状であってもよい。
【００６３】
ロック要素が固定されるまで、デバイスは、（例えば、摺動することによって）テザーに沿って移動させられてもよく、またはテザーは、デバイスを通して引かれてもよい。したがって、テザーは、テザーの遠位にデバイスを摺動することによって、締め上げ効果を提供するために使用されてもよい。図２に示されたデバイスを通る開口は、デバイスがテザーに沿って依然として容易に摺動することができるように設置されてもよい。いくつかの変化例では、テザーは、図２によって提案されるように、ロック要素の内外に巻装するように、ロック要素の中へ通されてもよい。
【００６４】
テザーは、製造中に、またはユーザによって、デバイスに螺合または連結されてもよい。例えば、以下でさらに説明されるように、ラッソがデバイスの中の開口を通されてもよい。次いで、ラッソは、テザーに係合するため、および（ラッソの反対端を引張ることによって）開口を通してテザーを通すために使用されてもよい。
【００６５】
いくつかの変化例では、デバイスは、テザーがアンカを通して所望の量だけ引張られるまで、テザーに沿って摺動されてもよく、その時点で、テザーは、ロック要素を使用して適所に固定されてもよい。例えば、上記で説明されるように、図２のテザー（２１０）は、ロック要素（２０５）の中空ロック部材（２０６）にプラグ（２１３）を押し込むことによって適所に固定されてもよい（例えば、プラグとロック部材との間の締まり嵌めの結果として）。図２に示された変化例では、プラグ（２１３）は、プラグと中空ロック部材（２０６）の内壁との間でテザーの少なくとも一部分を圧縮することによって、テザー（２１０）を固定する。
【００６６】
いくつかの変化例では、デバイスは、プラグと、中空ロック部材とを備えてもよく、その少なくとも１つは、プラグが中空ロック部材から解放される可能性を制限する、１つ以上の特徴を備える。例えば、プラグおよび／または中空ロック部材は、接着剤、糊、またはセメントを含んでもよく、および／または、一旦プラグが中空ロック部材に挿入されると、プラグがロック部材内で保持されるように、少なくとも部分的に変形可能であってもよい。一実施例として、プラグは、ロック部材の中へプラグをロックすることに役立つように、圧縮性または弾性である材料を含んでもよい。ある変化例では、プラグは、ロック部材の内面と相互作用する多角形（例えば、六角形）辺を有してもよい。プラグは、中実または中空であってもよい。プラグは、テザーとの摩擦を増加させるように、その表面上に段差、くぼみ、リブ、溝、または穴を有してもよい。ロック部材は、ロック構成でプラグを担持することに役立つように、１つ以上の構造（例えば、周縁、ブラケット等）を含んでもよく、または備えてもよい。いくつかの変化例では、ロック部材自体が、代替として、または加えて、断面が多角形であってもよい。ある変化例では、プラグおよびロック部材は、以下で説明されるように、対応する幾何学形状を有してもよい。デバイスのいくつかの変化例では、プラグおよびロック部材はそれぞれ、ロック部材の中でのプラグの保持を増進する、異なる特徴を含んでもよい。
【００６７】
図２に示されたデバイスはさらに、中空ロック部材（２０６）内でテザー（２１０）を固定するように、適所にプラグ（２１３）を押し込むためのプッシュ部材（２１５）を含む。プッシュ部材（図２では棒として示されているが、他の好適な形態のプッシュ部材が使用されてもよい）は、デバイスの管腔内で摺動可能であってもよい。いくつかの変化例では、プッシュ部材は、１つ以上のガイド（例えば、プッシュ部材の方向を誘導する）および／または１つ以上の停止部（例えば、プッシュ部材によって移動させられる距離および／またはプッシュ部材によって印加される力を制限する）を含んでもよい。したがって、プッシュ部材が極端に前方に押されること、または（デバイスの他の部分からのロック要素の分離後に）ロック要素または組織を阻害し得る、過剰な力を印加することを防止するように、デバイスおよび／またはプッシュ部材上に運動制限特徴があってもよい。
【００６８】
上記で説明されるように、ロック要素が、デバイスの他の部分に解放可能に連結されてもよい。任意の適切な方法が、そのような解放可能な連結を提供するために使用されてもよい。いくつかの変化例では、ロック要素（またはその一部分）は、デバイスの他の部分からロック要素を解放するように分離または断絶することができる領域等の、解放可能な連結領域を含んでもよい。一実施例として、ロック要素が、デバイスの他の部分に壊れやすく接続されてもよく、かつ壊れやすい接続を断絶することによってデバイスから分断されてもよい。例えば、ロック要素は、デバイスの別の部分（例えば、細長い部材の遠位部分）に融合されてもよい。融合領域は、デバイスの他の部分からロック要素を分断するように、後で断絶されてもよい。融合過程中に印加される熱および／または圧力の量、ならびに融合領域の数およびそれらの場所は、特定の量の力を融合領域に印加して、それらを断絶することができるように、選択されてもよい。
【００６９】
ロックデバイスの異なる領域は、異なる材料を含んでもよく、または同じ材料を含んでもよい。いくつかの変化例では、ロックデバイスは、第１の材料で形成されたロック要素と、第２の材料で形成された別の部分と、ロック要素と第３の材料（または材料の組み合わせ）で形成された他の部分との間の融合領域とを備えてもよい。ロックデバイスの異なる領域に異なる材料を使用することは、異なる領域が異なる材料要件を有する場合に有利であってもよい。例えば、デバイスのより遠位の領域が、相対的可撓性を提供する１つ以上の材料で形成されてもよい一方で、より近位の領域は、相対的剛性を提供する１つ以上の材料で形成されてもよく、または逆も同様である。また、１つ以上の融合領域と、複数の異なる材料とを含む、ロックデバイスが説明されているが、ロックデバイスのいくつかの変化例は、融合領域を備えてもよく、かつ完全に１つの材料または材料の組み合わせで形成されてもよく、ロックデバイスの他の変化例は、いずれの融合領域も備えることなく、複数の異なる材料（例えば、２つ、３つ、４つ、または５つの異なる材料）を含んでもよい。
【００７０】
ある変化例では、ロックデバイスは、構造的に弱体化した領域によってデバイスの他の部分に連結される、着脱可能なロック要素を備えてもよい。構造的に弱体化した領域は、例えば、折り目付き、エッチングされた、穿孔性、破砕された、しわ加工された、スロット付き、および／またはくぼみ付きであってもよい。穿孔性領域（２２０）の実施例が図２に示されている。ロック要素は、デバイスの他の部分と同じ材料でできていてもよく、またはロック要素およびデバイスの他の部分は、異なる材料でできていてもよい。十分な量の力が構造的に弱体化した領域に印加されると、ロック要素は、デバイスの他の部分から分離されてもよい。力は、例えば、プッシュ部材または任意の他の好適な機構を使用して、構造的に弱体化した領域に印加されてもよい。
【００７１】
いくつかの変化例では、ある量の力の印加が、ロック要素をロックデバイスの別の部分から分断させるように、ロック要素は、少なくとも１つの接着剤および／または摩擦嵌合を介して、ロックデバイスの別の部分に解放可能に連結されてもよい。ロックデバイスの別の部分にロック要素を解放可能に連結する付加的な非限定的方法は、融合、ろう付け、はんだ付け、およびスナップロックを含む。ロックデバイスのいくつかの変化例では、２つ以上の異なる解放可能な連結方法が、相互と併せて使用されてもよい。
【００７２】
上記で説明されるように、ある変化例では、ロック要素が、力を印加することによってデバイスの他の部分から制御可能に分断されてもよい。力は、任意の好適な方式で（例えば、プッシュ部材を押す、水圧力（生理食塩水、水、または同等物を使用する）、磁力、加圧ガス等）印加されてもよい。例えば、プラグ（２１３）を押し、ロック要素を固定するために使用される、図２の同じプッシュ部材（２１５）はまた、（例えば、付加的な力でプッシュ部材を押すことによって）デバイスの他の部分からロック要素を分断するために使用されてもよい。いくつかの変化例では、１つの力印加器（例えば、プッシュ部材）がロック要素を固定するために使用されてもよく、別の力印加器（例えば、第２のプッシュ部材）がデバイスの他の部分からロック要素を分断するために使用されてもよい。
【００７３】
デバイスの他の部分からロック要素を分断するために必要とされる力の量は、所定であってもよい。同じ力印加器（例えば、プッシュ部材、流体ライン、磁石等）が、テザーをロックするため、およびロック要素を分断するための両方に使用される変化例では、ロック要素を分断するために必要とされる力は、ロック要素を固定し、それにより、テザーをロックするために必要とされる力よりも大きくてもよい。例えば、デバイスは、約２ｌｂｓより大きい力、約３ｌｂｓより大きい力、約４ｌｂｓより大きい力、約５ｌｂｓより大きい力、約１０ｌｂｓより大きい力、約２０ｌｂｓより大きい力、または約２ｌｂｓから約５ｌｂｓの間の力の印加後に、そのロック要素が分断するために構成されてもよい。ロックデバイスの他の部分からロック要素を分断するために必要とされる力の量は、いくつかの異なる要因のうちのいずれかに依存し得る。そのような要因は、例えば、連結領域の厚さ、連結領域を形成する１つまたは複数の材料、および／または、連結領域中の折り目、穿孔、あるいは他の弱体化した点の場所を含んでもよい。場合によっては、ロックデバイスの他の部分からロック要素を分断するために必要とされる力の量、ならびにロック要素を分断するように力が印加される方法は、ロック要素、テザー、アンカ、および／または周辺組織への損傷を防止するように制御されてもよい。
【００７４】
ロックデバイスの他の部分からロック要素を分断するための力の印加が説明されているが、代替として、または加えて、他の分断方法が採用されてもよい。一実施例として、ロック要素は、例えば、カッターを使用して、ロック要素とデバイスの他の部分との間の接合部を切断することによって分断されてもよい。いくつかの変化例では、カッターは、ロック要素とデバイスの他の部分との間の接合部を剪断するように摺動する、剪断ブレードの形態であってもよい。ある変化例では、ロック要素とロックデバイスの他の部分との間の接続を切断するカッターはまた、ロックデバイスによって固定されているテザーを切断するために使用されてもよい。例えば、カッターは、テザーおよび接合部の両方を複合方式で切断してもよく、したがって、テザーが切断された状態でロック要素を完全に解放する。
【００７５】
ロックデバイスを作動させる（例えば、ロックデバイスを通してテザーを通す、ロックデバイスのロック部材の中へプラグを前進させる等)、および／またはロックデバイスの他の部分からロックデバイスの１つ以上の構成要素を分断するための、ここで説明される方法およびデバイス構成要素のうちのいずれかは、そうすることが好適であれば、ここで説明される他のロックデバイスのうちのいずれかとともに採用されてもよいことを理解されたい。
【００７６】
ある方法およびデバイスが上記で説明されているが、他の方法および／またはデバイスが、ロック要素またはロック部材およびロックデバイスの別の部分を連結および／または分断するために使用されてもよい。例えば、図３Ａ−３Ｄは、プラグを備えるロックデバイスの別の変化例を使用して、テザーをロックする方法を図示する。最初に図３Ａを参照すると、ロックデバイス（３００）は、ロック部材（３０４）に連結される遠位部分を有する、連結管（３０２）を含む。示されるように、ロック部材（３０４）は、それを通るテザーの通過のために構成される開口（３０５）を有する、ロック管の形態をしている。ロック管が示されているが、他の好適な構成がロック部材に使用されてもよい。ロック部材（３０４）は、例えば、１つ以上の金属、金属合金、ポリマー、および／またはポリマー複合材料で形成されてもよい。一実施例として、いくつかの変化例では、ロック部材（３０４）は、ナイロンおよび三酸化ビスマス複合材料で形成されてもよく、かつ１つ以上のＰＥＢＡＸ（登録商標）ポリマーを含む層を含んでもよい。
【００７７】
シース（３０６）は、連結管（３０２）ならびにロック部材（３０４）の一部分を包囲する。しかしながら、いくつかの変化例では、シースは、ロック部材の全体を覆ってもよく、かつロック部材を超えて遠位に延在さえしてもよい。また、ある変化例では、シースは、連結管の一部分のみを包囲してもよい。シース（３０６）は、連結管をロック部材に圧迫することによって、連結管（３０２）をロック部材（３０４）に連結することに役立つ。加えて、ロック部材（３０４）は、段部（３０８）を含み、連結管（３０２）は、シース（３０６）が連結管（３０２）をロック部材（３０４）に圧迫すると、段部（３０８）上に引っ掛かるように構成される。示されるように、連結管（３０２）は、段部（３０８）に引っ掛かる段部（３１１）を備える。段部（３０８）および（３１１）は、概して角度があるものとして示されているが、いくつかの変化例では、ロック部材段部および／または連結管段部は、傾斜形であってもよく、または任意の他の好適な形状を有してもよい。傾斜形の連結管段部は、例えば、ロック部材からの連結管の比較的容易な分断が所望されるときに、そのような分断を提供してもよい。
【００７８】
ロックデバイス（３００）は、シース（３０６）が近位に後退させられた場合に、ロック部材（３０４）が連結管（３０２）から分断されるように構成される。しかしながら、ある変化例では、シースは、連結管からロック部材を分断するために、連結管およびロック部材が遠位に押し進められている間に、近位に後退させられてもよい。代替として、または加えて、連結要素およびロック管は、シースが近位に後退させられる前および／または後に遠位に押されてもよい。連結管からロック部材を分断するための任意の他の好適な方法も採用されてもよい。
【００７９】
図３Ａに示されるように、プラグ（３１０）は、連結管（３０２）内に配置され、略ミサイル形の構成を有するが、他の適切な構成（例えば、円筒の形状であるプラグ、または六角形の断面を有するプラグ等の、任意の適切な幾何学形状を有するプラグ）も使用されてもよい。プラグは、１つ以上のポリマー等の任意の適切な材料で形成されてもよく、いくつかの変化例では、比較的剛性であってもよい。他の変化例では、プラグは、比較的可撓性であってもよい。ある変化例では、プラグ（３１０）は、ナイロンおよび三酸化ビスマス複合材料で形成されてもよい。図３Ａに示されるように、プラグ（３１０）は、放射線不透過性マーカー（３１４）を含有する孔（３１２）を含む。これは、Ｘ線蛍光透視法を介したプラグの即時視認を可能にしてもよい。プッシュ部材（３１６）はまた、連結管（３０２）内に配置され、かつロック部材（３０４）にプラグ（３１０）を押し込むために使用されてもよい。
【００８０】
ロックデバイス（３００）の使用中、テザー（図示せず）が、ロック部材（３０４）および連結管（３０２）を通されてもよい。例えば、以下で説明される方法のうちの１つ以上を含む、任意の好適な方法が、テザーを通すために使用されてもよい。一実施例として、ラッソが、テザーの遠位端を捕捉するため、および最初に開口（３０５）を通して、次いで連結管（３０２）を通してテザーを通すために使用されてもよい。いくつかの方法では、ロックデバイスは、テザーに沿って所望の位置まで前進させられてもよい。図３Ｂに示されるように、一旦テザーがロック部材（３０４）および連結管（３０２）を通されると、プッシュ部材（３１６）は、ロックデバイスの遠位端に向かって前進させられてもよい。このプッシュ部材（３１６）の前進は、ロック部材（３０４）にプラグ（３１０）を押し込み、プラグ（３１０）とロック部材（３０４）の内壁との間でテザーを圧縮する（例えば、プラグとロック部材との間の締まり嵌めの結果として）。連結管（３０２）がロック部材（３０４）の段部（３０８）に係合するため、プラグ前進中に抵抗力が提供される。抵抗力は、プッシュ部材（３１６）の前進の結果として、ロック部材（３０４）が連結管（３０２）から時期尚早に分断される可能性を制限することに役立ってもよい。ロック部材の遠位端における段（３１８）（図３Ｂ）は、プラグがロック部材から出ることを防止する。
【００８１】
ここで図３Ｃを参照すると、プラグ（３１０）がロック部材（３０４）に押し込まれた後に、シース（３０６）が近位に後退させられる。近位に後退させられる前に、シース（３０６）は、連結管（３０２）をロック部材（３０４）に圧迫し、それにより、連結管（３０２）をロック部材（３０４）の段部（３０８）と係合させ、連結管をロック部材に連結する。しかしながら、一旦シース（３０６）が近位に後退させられると、この圧縮力はもはや存在しなくなる。連結管（３０２）は、この圧縮力がない場合に、連結管（３０２）がロック部材（３０４）の周囲でもはや嵌合しなくなるように構成される。むしろ、圧縮力の除去は、連結管（３０２）がより弛緩した構成を成すことを可能にし、本質的に連結管（３０２）を広げ、それにより、ロック部材（３０４）の段部（３０８）から連結管（３０２）を係脱する。結果として、連結管（３０２）およびロック部材（３０４）は、相互から分断される。連結管（３０２）による、このより弛緩した構成の引受は、連結管の遠位部分の中のスリット（３２０）の存在、ならびに応力緩和を提供するスリットに沿った２つの開口（３２２）および（３２４）によって増進されてもよい。示されていないが、いくつかの変化例では、連結管は、その遠位部分に２つ以上のスリットを含んでもよく、および／または異なる数の開口（例えば、２、３、４、５等）を含んでもよい。また、開口（３２２）および（３２４）は円形であるが、ある変化例では、連結管は、代替として、または加えて、１つ以上の非円形（例えば、長方形、三角形等）開口を含んでもよい。
【００８２】
最後に図３Ｄを参照すると、上記で論議されるように、シース（３０６）の近位後退が、ロック部材（３０４）を連結管（３０２）から解放させる。以前にロック部材（３０４）に押し込まれたプラグ（３１０）は、ロック部材（３０４）とともに解放される。ここで、ロックデバイスの他の構成要素から分離されている、ロック部材およびプラグが、体内に残り、テザーを固定する一方で、ロックデバイスの他の構成要素は身体から除去される。このように、シース（３０６）は、ロック部材（３０４）が時期尚早に解放されることを防止し、ユーザにロック部材（３０４）の解放の増進された制御を提供する、安全機構として機能することができる。
【００８３】
ロック部材またはロック要素がデバイスに解放可能に連結されてもよい、方法のうちのいくつかしか説明されていないが、スナップ嵌合および他の連結機構（例えば、糸等）を含む、任意の好適な連結部が使用されてもよいことを理解されたい。加えて、本明細書で説明される連結部は、（例えば、超微細手術用途等の、経皮的用途および／または外科的用途で使用するための）非常に小さいロック部材またはロック要素を必要としてもよい用途とともに使用するためにも、容易にサイズが縮小されてもよい。デバイスに解放可能に連結されるロック部材またはロック要素は、例えば、そのそれぞれが、その全体で参照することにより本明細書に組み込まれる、米国特許出願公開第ＵＳ  ２００８／０１７２０３５  Ａ１号、ならびに２００８年１０月１７日出願の米国特許出願第１２／２５３，８８５号および２００９年６月８日出願の第１２／４８０，５６８号で説明されている。
【００８４】
プラグと、比較的固定された形状または構成を有する管状構成要素とを含む、ロックデバイスが示されている。しかしながら、いくつかの変化例では、ロックデバイスは、プラグと、比較的固定された形状または構成を持たない別の構成要素とを含んでもよい。例えば、ロックデバイスは、プラグと、その間でテザーを固定するようプラグ上に嵌合されるように構成される、調整可能なスリーブとを含んでもよい。一実施例として、図４Ａは、プラグ（４０６）と、管腔（４０４）を有するスリーブ（４０２）とを備える、ロックデバイス（４００）を示す。図４Ｂを参照すると、スリーブ（４０２）は、その間で１つ以上のテザー（図示せず）を固定するように、プラグ（４０６）上に嵌合されてもよい。例えば、スリーブ（４０２）は、プラグ（４０６）上で伸張されてもよい。いくつかの変化例では、スリーブ（４０２）は、圧縮状態であるときに、より大きい内径を有してもよく、スリーブがプラグおよびテザーを受容することを可能にするために、（例えば、カテーテルの中で）圧縮状態で保持されてもよい。一旦その圧縮状態から解放されると（例えば、カテーテルの中の要素または特徴によって）、内径が折り重なり、それにより、緊密な摩擦嵌合において、プラグとスリーブとの間でテザーを捕捉する。
【００８５】
スリーブ（４０２）は、例えば、１つ以上の超弾性材料および／または金属合金（例えば、Ｎｉｔｉｎｏｌ箔）で形成されてもよい。代替として、または加えて、プラグ（４０６）は、例えば、ナイロン、ポリカーボネート、ポリエーテルエーテルケトン（ＰＥＥＫ）、および／または被検体の体内の埋込のために好適な１つ以上の他のポリマー等の、１つ以上のポリマーで形成されてもよい。スリーブは、プラグの一部分上に嵌合するように、またはプラグ全体上に嵌合するように構成されてもよい。加えて、いくつかの変化例では、複数のスリーブが単一のプラグとともに使用されてもよい。例えば、第１のスリーブが、その間でテザーを固定するようにプラグ上に嵌合されてもよく、次いで、第２のスリーブが、その間で同じテザー（または異なるテザー）を固定するように第２のスリーブ上に嵌合されてもよい。
【００８６】
いくつかの変化例では、スリーブは、その間を通るテザーの通過のためにサイズ決定および成形された１つ以上の開口を有する、壁部分を備えてもよい。スリーブは、テザーが開口を通して送られ、その間でテザーを固定するように、プラグがスリーブに押し込まれる際に、直線または緊張構成で維持されてもよい。ある変化例では、スリーブは、（例えば、図３Ａ−３Ｄを参照して上記で説明されるように）シースを使用して直線または緊張構成で維持されてもよい。
【００８７】
ロックデバイスプラグは、ロック部材の中空部分の中に固定的に設置されるように、またはロック部材の中空部分内に移動可能に設置されるように構成されてもよい。例えば、いくつかの変化例では、ロックデバイスは、中空ロック部材と、中空ロック部材内で回転するように構成される、回転可能なプラグとを備えてもよい。図５Ａ−５Ｃに示されるように、ロックデバイス（５００）は、それを通る２つの開口（５０６）および（５０８）を有する壁部分（５０４）を備える、ロック管（５０２）を備えてもよい。ロック管（５０２）は、管腔（５１０）を有し、その内側に回転可能なプラグ（５１２）が配置される（図５Ｃに示される、一方で図５Ａおよび５Ｂは回転可能なプラグを伴わないロックデバイスを図示する）。プラグ（５１２）は、２つの平面（５１３）および（５１５）の間に位置する突起（５１４）を有する。いくつかの変化例では、突起（５１４）は、０．００３インチから０．００５インチの距離だけ平面（５１３）および（５１５）から突出してもよい。図５Ｃに示されるように、プラグ（５１２）は、寸法（Ｄ１）と、寸法（Ｄ１）よりも小さい寸法（Ｄ２）とを有する。突起（５１４）と、平面（５１３）および（５１５）とを備える、プラグ（５１２）の一部分を除いて、プラグ（５１２）の残りの部分は、形状が略円筒形である。しかしながら、任意の他の好適な回転可能プラグ構成が使用されてもよい。プラグ（５１２）が管腔（５１０）内に配置され、テザー（５１６）が開口（５０６）および（５０８）を通され、それにより、管腔を横断すると、突起（５１４）がテザーに接触する。
【００８８】
ここで図５Ｄおよび５Ｅを参照すると、プラグ（５１２）は、いくつかの変化例では、ロック管（５０２）とは別個の構成要素であってもよい。代替として、プラグは、製造中にロック部材に連結されてもよく、またはロック部材と一体的に形成されてもよい。図５Ｄおよび５Ｅに示されるように、テザー（５１６）は、プラグがロック管の管腔内にまだ配置されていないときに、壁部分（５０４）の中の開口（５０６）および（５０８）を通されてもよい。当然ながら、ある変化例では、テザーは、ロック管の中へのプラグの前進中および／または後に、開口を通されてもよい。示されるように、テザーが管腔に対して中心を外れるように、テザーはロック管の管腔を横断する。しかしながら、いくつかの変化例では、開口は、それらを通過するテザーが管腔の中心を横断するように設置されてもよい。
【００８９】
図５Ｆに示されるように、テザー（５１６）がロック管（５０２）の中の開口（５０６）および（５０８）を通された後、プラグ（５１２）上の突起（５１４）がテザーに接触するように、プラグ（５１２）は、（例えば、プッシュ部材を使用して）ロック管の管腔の中へ前進させられてもよい。典型的には、このロック管の中へのプラグの前進は、後でプラグおよびロック管から引き抜かれ、または別様に除去されてもよい、シースまたは他の細長い部材の少なくとも部分的に内側で行われてもよい。突起がテザーに接触するように、プラグがロック管の中へ嵌合されると、突起とテザーとの間の接触は、相互に対してプラグおよびテザーを適所で担持することに役立つ、摩擦を提供する（すなわち、プラグとテザーとの間の相対運動を最小限化する）。図５Ｇは、ロック管（５０２）内に配置された時のプラグ（５１２）を示す。同様にロック管内に配置されたプラグを示す、図５Ｃを再び参照すると、プラグ（５１２）は、ロック管の内面（５９２）と整列可能な外形（示されるように湾曲）を有する外面（５９０）を有する。ここで図５Ｈを参照すると、テザー（５１６）が引張られてもよく、それにより、テザーとプラグ上の突起との間の接触により、（例えば、矢印Ａ２の方向に）ロック管の管腔内でプラグを回転させる。テザーを引張ることにより、概して、テザーが引張られている方向に向かってプラグを回転させる。この回転は、次に、テザーがさらに固定されてもよいように、プラグとテザーとの間でさらなる接触をもたらす。いくつかの変化例では、プラグ（５１２）は、約１°（例えば、少なくとも約１０°、少なくとも約２０°、少なくとも約４５°、少なくとも約９０°、少なくとも約１３５°）および／または多くても約１８０°（例えば、多くても約１３５°、多くても約９０°、多くても約４５°、多くても約２０°、多くても約１０°）回転させられてもよい。
【００９０】
いくつかの変化例では、比較的低いプラグ力が、プラグ（５１２）でロック管（５０２）を塞ぐために使用されてもよい。たとえ比較的低いプラグ力が使用される場合があっても、結果として生じるロック力が比較的高い場合がある。したがって、ある変化例では、テザーは、テザーをロックするロックデバイスに最小限の力を印加することによって、非常にしっかりとロックされてもよい。
【００９１】
プラグおよび／またはロック部材の他の変化例も使用されてもよい。一実施例として、図５Ｉ−５Ｎは、プラグ（例えば、回転可能なプラグ）を受容して、その間でテザーを固定するように構成される、ロック部材の別の変化例の異なる図を示す。図５Ｉが、ロック部材（５５０）の底面に角度を付けた斜視図を示す一方で、図５Ｊは、ロック部材（５５０）の底面図を示し、図５Ｋは、ロック部材（５５０）の上面に角度を付けた斜視図を示し、図５Ｌは、ロック部材（５５０）の上面図を示し、図５Ｍは、ロック部材（５５０）の正面図を示し、図５Ｎは、ロック部材（５５０）の背面図を示す。図５Ｊおよび５Ｌで最も明確に示されるように、ロック部材（５５０）は、プラグを受容するように構成される管腔（５５２）、ならびにそれを通るテザー（５５８）の通過のために構成される２つの開口（５５４）および（５５６）を有する。ロック部材（５５０）の構成は、例えば、ロック部材を通る、比較的制御されたテザー経路指定を提供してもよい。これは次に、使用中にロック部材（５５０）が身体組織および／または１つ以上のアンカに対して位置する方法を制御することに役立ってもよい。
【００９２】
図５Ｏおよび５Ｐは、テザーを固定するために使用されてもよい、プラグの別の変化例を示す。いくつかの変化例では、プラグは、（例えば、ロック管の管腔内で）回転可能であってもよい。図５Ｏおよび５Ｐに示されるように、プラグ（５７０）は、本体（５７２）と、本体から延在する階段状構成（５７４）の形態をしている複数の突起（示されるように３つの突起であるが、より多いまたは少ない数の突起も使用されてもよい）とを備える。各突起（５７６）、（５７８）、および（５８０）の半径長さは、前の突起よりも長い。使用中、プラグ（５７０）は、（例えば、プッシュ部材で管腔の中へプラグを前進させることによって）ロック管（５８４）（図５Ｐ）または他のロック部材の管腔（５８２）の中へ嵌合されてもよい。プラグが回転させられるにつれて、次第に長い突起が、管腔を横断するテザーに接触してもよく、かつ管腔内でテザーを固定してもよい。他の構成も使用されてもよい。例えば、いくつかの変化例では、回転可能なプラグは、異なる長さの複数の歯（例えば、各歯が前の歯よりも次第に長い）を備える、歯車形状部分を備えてもよい。
【００９３】
ある変化例では、ロックデバイスは、上記で説明されるものとは異なる１つ以上の方法を使用して、テザーをロックしてもよい。１つまたは複数の方法が、回転可能なプラグを回転させ、それにより、テザーをロックするためにテザーを引張ることに加えて、またはその代替案として、使用されてもよい。
【００９４】
例えば、図５Ｑ−５Ｘは、回転可能なプラグを備えるロックデバイスの変化例を示し、ロックデバイスは、テザーをロックするために引張ワイヤ機構を使用する。そこで示されるように、ロックデバイス（５８５）は、略球状ロック部材（５８６）と、ロック部材（５８６）の管腔（５３３）内に配置される、回転可能なプラグまたはカム（５９３）と、ロック部材（５８６）（図５Ｒ）のチャネル（５３９）を通過する引張ワイヤ（５８９）とを備える。図５Ｑ−５Ｓは、その解除または開放位置にあるロックデバイス（５８５）を図示し、図５Ｖ−５Ｘは、そのロックまたは閉鎖位置にあるロックデバイス（５８５）を図示する。
【００９５】
使用時に、プラグ（５９３）は、ロック部材（５８６）の管腔（５３３）の中へ前進させられてもよく、テザー（図示せず）は、ロック部材がその解除位置にあるときに、ロック部材を通して送られてもよい。いくつかの変化例では、ロックデバイスは、ロック部材と、事前に組み立てられる回転可能なプラグとを備えてもよいことに留意されたい。ロック部材（５８６）は、それを通るテザーの通過のために構成される、２つの開口（５８７）および（５９１）を含み、プラグ（５９３）はまた、ロックデバイスがその解除位置にあるときに、テザーの通過のために構成される、スロット（５８８）も有する。
【００９６】
テザーがロックデバイス（５８５）を通して送られた後に、引張ワイヤ（５８９）は、ロックデバイス（５８５）をそのロック位置に移行させるように（例えば、引張ワイヤを引張ることによって）作動させられてもよい。プラグ（５９３）は、引張ワイヤ（５８９）上の切り込み（５９７）（図５Ｒ、５Ｓ、および５Ｗ）に干渉するように構成される、切り込み（５３１）（図５Ｕ）を含む。より具体的には、引張ワイヤ（５８９）が作動させられると、引張ワイヤ（５８９）上の切り込み（５９７）がプラグ（５９３）上の切り込み（５３１）に係合し、それにより、プラグ（５９３）を回転させる。プラグの回転は、テザーを固定させることに役立つ。加えて、プラグ（５９３）は、プラグが回転させられるにつれて、テザーに係合するように構成され、それにより、テザーを適所でロックすることに役立つ、段（５９９）を含む。回転可能なプラグを使用して、テザーをロックするための他の好適なデバイスおよび方法も、適宜に採用されてもよい。
【００９７】
上記で論議されるように、ある変化例では、ロックデバイスは、それを通るテザーの通過のために構成される、１つ以上の溝、開口等を有する、プラグを備えてもよい。一実施例として、図６は、壁部分（６０４）および管腔（６０６）を有する、管状部材（６０２）と、管状部材の管腔内で嵌合するように構成される、プラグ（６０８）とを備える、ロックデバイス（６００）を示す。示されるように、壁部分（６０４）は、それを通る２つの開口（６１０）および（６１２）を有し、プラグ（６０８）自体も、その本体（６１６）を通って延在するチャネル（６１４）を有する。テザー（６１８）は、壁部分（６０４）の開口（６１０）を通して、ならびにプラグ（６０８）のチャネル（６１４）を通して送られる。（例えば、プッシュ部材でプラグを押し進めることによって）プラグが管状部材の管腔の中へさらに前進させられると、プラグの本体と管状部材の壁部分との間でテザーを固定する。壁部分の中の穴を通り、ならびにプラグ本体の中のチャネルを通る、テザーの経路指定は、テザーをさらに固定することに役立ってもよい。
【００９８】
プラグは、特徴の周囲で、特徴を通して、および／または特徴に対して、テザーを送るために好適である、いくつかの異なる特徴のうちのいずれかを備えてもよい。一実施例として、図７は、プラグ（７０２）と、管状部材の管腔（７０６）内でプラグを受容するように構成される管状部材（７０４）とを備える、ロックデバイス（７００）を示す。プラグ（７０２）は、小さいほうの頸部分（７１２）によって分離された、２つの大きいほうの部分（７０８）および（７１０）を有するように、多少バーベル形である。管状部材（７０４）は、その中に４つの開口（７１６）、（７１８）、（７２０）、および（７２２）を有する、壁部分（７１４）を備える。図７に示されるように、テザー（７２４）は、開口（７１６）、（７１８）、（７２０）、および（７２２）を通して送られてもよく、プラグの大きいほうの部分の間を通り、小さいほうの頸部分（７１２）に対して通る。プラグが管状部材の管腔の中へさらに嵌合されるにつれて、テザーは、プラグ本体と管状部材の壁部分との間に固定されてもよい。加えて、プラグの小さい方の頸部分に沿ったテザーの経路指定は、プラグの２つの大きい方の部分の間でテザーを捕らえることにさらに役立ってもよい。示されていないが、いくつかの変化例では、プラグ（７０２）は、それを通る１つ以上の開口（例えば、チャネル等）を有してもよく、テザーは、これらの開口のうちの１つ以上を通過させられてもよい。
【００９９】
図８は、プラグを備えるロックデバイスの付加的な変化例を示す。そこで示されるように、ロックデバイス（８００）は、管状部材（８０２）と、管状部材の管腔（８０６）内で嵌合するように構成されるプラグ（８０４）とを備える。管状部材（８０２）は、それを通る４つの開口（８１０）、（８１２）、（８１４）、および（８１６）を有する、壁部分（８０８）を備え、プラグ（８０４）は、溝付き頸部分（８２０）を含む本体（８１８）を備える。示されるように、テザー（８２２）は、開口（８１０）、（８１２）、（８１４）、および（８１６）を通して、溝付き頸部分（８２０）内に送られてもよい。１つのテザー経路指定構成が図示されているが、任意の適切なテザー経路指定構成が使用されてもよい。
【０１００】
図９Ａおよび９Ｂは、ロックデバイス（９００）、および特定の経路指定構成でロックデバイスを通して送られるテザー（９０２）の別の変化例を示す。図９Ａに示されるように、ロックデバイス（９００）は、管状部材（９０４）と、プラグ（９０６）とを備える。プラグ（９０６）は、それを通るチャネル（９１０）を有する、本体（９０８）を備える。管状部材（９０４）は、それを通る４つの開口（９１４）、（９１６）、（９１８）、および（９２０）を有する壁部分（９１２）有する。テザー（９０２）は、壁部分の中の開口を通り、プラグの本体の中のチャネルを通して送られる。図９Ｂに示されるように、プラグが管状部材の中へ前進させられるにつれて、テザーは、プラグの本体と管状部材の壁部分との間に固定される。プラグの本体の中のチャネルを通るテザーの付加的な経路指定は、例えば、ロックデバイス内のテザーの固定を増進してもよい。
【０１０１】
それを通る１つのチャネルを有するプラグが示されているが、プラグは、任意の好適な数および組み合わせの開口（例えば、穴、チャネル）、溝等を有してもよい。例えば、図１０は、管腔（１００３）を有する管状部材（１００２）と、管状部材の管腔内で嵌合するように構成されるプラグ（１００４）とを備える、ロックデバイス（１０００）を示す。プラグ（１００４）は、本体（１００６）と、本体（１００６）を通る２つのチャネル（１００８）および（１０１０）とを有する。テザー（１０１２）は、管状部材の管腔の中へ送られ、チャネル（１０１０）を過ぎて、チャネル（１００８）を通して送られている。テザーは、チャネル（１０１０）を通して送られ、管状部材の管腔から外へ再び送られている。このループ上経路指定構成は、（例えば、プラグと係合しているテザーの比較的長い区分を提供することによって）、特に確実なテザーロックを提供してもよい。テザーは、プラグがロック部材内に配置されていない間に、および／またはプラグがロック部材内に配置されている間に、開口、溝等を通して送られてもよい。
【０１０２】
図１１は、デバイス（１０００）と同様であるが、異なる経路指定構成でそれを通して送られたテザーを有する、ロックデバイス（１１００）を示す。示されるように、ロックデバイス（１１００）は、管腔（１１０４）を有する管状部材（１１０２）と、その中に形成された２つのチャネル（１１１０）および（１１１２）を有する本体（１１０８）を備える、プラグ（１１０６）とを備える。テザー（１１１４）は、管腔（１１０４）の中へ送られ、チャネル（１１１２）を通り、管腔（１１０４）の中へ戻り、チャネル（１１１０）を通り、管腔（１１０４）の中へ入り、最終的に管状部材から出る。示されているテザー経路指定構成は例示的にすぎず、以下でさらに詳細に説明されるように、他のテザー経路指定構成も使用されてもよい。また、いくつかの変化例では、デバイスを通して送られているテザーは、デバイスの１つ以上の構成要素の中の１つ以上の開口を通して送られなくてもよい。それを通してテザーが送られる開口または他の特徴の数は、例えば、手技の所望の長さ、および／またはテザーの所望の安全性の程度に依存してもよい。
【０１０３】
図１２は、さらに別の経路指定構成を図示するが、図１２に示された経路指定構成は、取外し可能な外側シース内に配置されたロック管をとおるテザーの構成である。図１２に示されるように、ロックデバイス（１２００）は、シース（１２０２）と、２つの開口（１２０８）および（１２１０）を有する壁部分（１２０６）を備え、管腔（１２１２）を画定する、ロック管（１２０４）と、ロック管の管腔内で嵌合し、ロック管の壁部分に対してテザーを固定するように構成される、プラグ（図示せず）とを備える。図１２では、ロック管（１２０４）は、シース（１２０２）内に配置される。テザー（１２１４）は、ロック管の管腔を通して、ならびにロック管の壁部分の中の２つの開口を通して送られている。１つの特定の経路指定構成が示されているが、他の適切な経路指定構成も使用されてもよい。
【０１０４】
ロック管、プラグ、および他のロックデバイス構成要素は、任意の適切なサイズ、形状、および／または構成を有してもよい。例えば、図１３は、本体（１３０４）を有するプラグ（１３０２）と、本体を通るチャネル（１３０６）とを備える、ロックデバイス（１３００）を示す。ロックデバイス（１３００）はまた、壁部分（１３１０）を含み、プラグを受容するように構成される管腔（１３１２）を有する、ロック部材（１３０８）も備える。ロック部材（１３０８）は、組織および／または他のデバイスに対する非外傷性先端であってもよい、閉鎖した丸い端（１３１４）を有する。加えて、プラグ（１３０２）は、ロック部材の中の開口部（１３１８）の中へプラグを誘導することに役立ってもよい、丸い端（１３１６）を有する。使用時に、テザー（図示せず）は、チャネル（１３０６）を通して送られてもよく、プラグ（１３０２）は、テザーを固定するようにロック部材（１３０８）の中へ前進させられてもよい。プラグ（１３０２）の近位端（１３２２）は、プラグを固定し、開口部（１３１８）の内径において穴縁（１３２０）とスナップ嵌合を形成することによって、プラグがロック部材から外へ出ることを防止することに役立つ。
【０１０５】
図１４は、プラグ（１４０２）と、ロック部材（１４０４）とを備える、ロックデバイス（１４００）を示す。ロック部材（１４０４）は、管腔（１４０８）を画定し、それを通してテザーを送るための２つの開口（１４１０）および（１４１２）を有する、壁部分（１４０６）を備える。プラグ（１４０２）は、それを通るチャネル（１４１６）を有する、本体（１４１４）を備える。プラグ（１４０２）は、例えば、ロック部材（１４０４）上の端部分（１４２２）および（１４２４）と係合することができる、（例えば、フランジの形態の）突出端部分（１４１８）および（１４２０）を有する。使用時に、プラグ（１４０２）は、（例えば、プッシュ部材を使用して）ロック部材（１４０４）の中へさらに前進させられてもよく、テザー（図示せず）は、開口（１４１０）および（１４１２）および／またはチャネル（１４１６）を通して送られてもよい。場合によっては、次いで、プラグが、ロック部材から部分的に引き出されてもよく、それにより、テザーの線形経路を回旋状経路に変換し、それは、プラグとロック部材との間でテザーをさらに固定してもよい。プラグは、例えば、プラグを締付け、プラグを引き出すように近位に引かれる、締付け部材を使用して、ロック部材から部分的に引き出されてもよい。
【０１０６】
いくつかの変化例では、プラグ（１４０２）およびロック部材（１４０４）は、緩い部品を有することを回避するように、事前に組み立てられてもよい。言い換えれば、プラグおよびロック部材は、プラグ（１４０２）上の突出端部分（１４１８）とロック部材（１４０４）上の対応するスナップ嵌合端部分（１４２２）および（１４２４）との間の係合を介して、相互に対して摺動することができる構成要素を有する、単一ユニットとして事前に組み立てられてもよい。ある変化例では、プラグおよびロック部材が最終構成で固定されることを確実にするように、歯止め特徴または付加的なスナップ嵌合が実装されてもよい。
【０１０７】
プラグの中の開口を通してテザーを送るステップを含む、方法の付加的な変化例が採用されてもよい。一実施例として、いくつかの変化例では、テザーが、プラグの本体内の管腔またはチャネルを通して送られてもよく、次いで、シースまたはスリーブが、テザーを圧縮するようにプラグ上で押され、それにより、テザーを固定してもよい。
【０１０８】
他のロック部材構成も使用されてもよい。例えば、図１５は、それを通る２つの開口（１５０４）および（１５０６）を有する壁部分（１５０２）を備える、ロック管（１５００）を示す。ロック管（１５００）は、テザーを固定するためのプラグを受容するように構成される、管腔（１５０８）を有する。示されるように、管腔（１５０８）は、第１の直径（Ｄ３）と、第１の直径よりも大きい第２の直径（Ｄ４）とを有する。管腔（１５０８）内で嵌合するように設計されているプラグは、対応する形状（すなわち、小さいほうの直径部分および大きい方の直径部分）を有してもよく、または異なる形状を有してもよい。一実施例として、プラグは、１つの均一な断面直径を有してもよいが、プラグが管腔の小さい方の直径部分内で少なくとも部分的に嵌合するよう圧縮されてもよいように、圧縮性であってもよい。いくつかの変化例では、プラグは、円形断面を持たなくてもよい。例えば、プラグは、長円形または不整形の断面を有してもよい。また、ある変化例では、プラグは、丸みを帯びた縁を持たなくてもよい。例えば、プラグは、その全長に沿って、六角形の断面等の多角形の断面を有してもよい。
【０１０９】
図１６Ａおよび１６Ｂは、半管状ロック部材（１６０２）と、半管状ロック部材の中へ嵌合するように構成されるプラグ（１６０４）とを備える、ロックデバイス（１６００）を示す。プラグ（１６０４）は、それを通るテザーを送るために構成される溝（１６０６）を含む。例えば、図１６Ｂに示されるように、テザー（１６２０）は、ロック部材（１６０２）の中の開口（１６０８）、（１６１０）、（１６１２）、および（１６１４）を通して、ならびに溝（１６０６）を通して送られてもよい。テザーは、半管状ロック部材の中へプラグを前進させることによってロックされてもよい。
【０１１０】
半管状ロック部材（１６０２）の中へのプラグ（１６０４）の初期前進中に、溝（１６０６）が開口（１６０８）および（１６１２）と整列し、プラグ（１６０４）の先端（１６１６）が開口（１６１０）および（１６１４）と整列する。このときに、プラグ（１６０４）は、被検体の体内で遊離することが防止されてもよい（すなわち、プラグロック部材（１６０２）内で固定されてもよい）。同時に、プラグ（１６０４）とロック部材（１６０２）との間の空間を通し、かつ開口（１６０８）、（１６１０）、（１６１２）、および（１６１４）を通して、テザーが引かれるための十分な余地があるため、テザー（１６２０）は、ロックデバイス内で自由に移動できるようになる。テザーは、プラグがロック部材から係脱することを可能にしない一方で、依然としてテザー移動を可能にすることに十分に、溝（１６０６）とロック部材（１６０２）との間に形成される円周空間を満たす。テザー（１６２０）をロックするために、プラグは、半管状ロック部材の中へさらに前進させられてもよい。半管状ロック部材が示されているが、ある変化例では、プラグは、（例えば、上記で示されるような）管状ロック部材、または任意の他の適切な形状または構成を有するロック部材と係合してもよい。
【０１１１】
上記で説明されるように、場合によっては、ロックデバイスは、テザーをロックするようにスナップ嵌合を形成することによって相互と係合する、少なくとも２つの構成要素を備えてもよい。一実施例として、図１７Ａ−１７Ｇは、ロック管（１７０４）と、ロック管の中へのスナップ嵌合を形成するプラグ（１７０２）とを含む、ロックデバイス（１７００）を示す。より具体的には、プラグ（１７０２）は、ロック管（１７０４）上の対応する特徴（１７０８）と係合する、スナップ嵌合特徴（１７０６）を含む。スナップ嵌合特徴（１７０６）は、カンチレバーアーム（１７１０）と、カンチレバーアーム上の突起（１７１２）とを備える。カンチレバーアームは、プラグがロック管（１７０４）の中へ嵌合されるにつれて圧縮され、次いで、一旦ロック管の中に配置されると適所に跳ね返る（すなわち、突起（１７１２）がロック管上の特徴（１７０８）と係合する）。ロック管（１７０４）は、それを通る４つの開口（１７１６）、（１７１８）、（１７２０）、および（１７２２）（図１７Ｇ）を有する、壁部分（１７１４）を備える。図１６Ａおよび１６Ｂに関して上記で説明されるように、プラグ（１７０２）は、ロック管（１７０４）から外れることから拘束される。ロックデバイス（１７００）の使用中に、テザー（図示せず）がロック管（１７０４）の管腔（１７２４）（図１７Ｇ）に進入するように、テザーは、開口のうちの１つ以上を通して送られてもよい。次いで、テザーは、プラグがロック管の中へスナップ嵌合されると、プラグとロック管の壁部分との間に固定されてもよい。
【０１１２】
図１８Ａおよび１８Ｂは、ロック管（１８０４）とスナップ嵌合を形成するプラグ（１８０２）を備える、ロックデバイス（１８００）の別の変化例を示す。プラグ（１８０２）は、図１７Ａ−１７Ｇのプラグ（１７０２）とは多少異なる構成および形状を有する。しかしながら、プラグ（１８０２）はまた、プラグ（１７０２）のように、カンチレバーアーム（１８０６）と、ロック管（１８０４）上の対応する特徴（１８１０）の中へスナップ嵌合するように構成される、カンチレバーアーム上の突起（１８０８）とを備える。プラグ（１８０２）はさらに、テザーを送るために使用されてもよい、２つの領域（１８２０）および（１８２２）を備える。プラグ（１８０２）は、例えば、ロック管（１８０４）に反作用力を提供しながらプラグ（１８０２）に軸力を提供する、任意の好適なデバイスを使用して、ロック管（１８０４）の中へ前進させられてもよい。
【０１１３】
図１９Ａ−１９Ｅは、プラグ（１９０２）と、プラグを受容するように構成されるロック管（１９０４）とを備える、ロックデバイス（１９００）を示す。プラグは、（例えば、プラグがロック管に押し込まれたときに）ロック管（１９０４）上の対応する特徴（１９１０）とスナップ嵌合を形成するように構成される、その遠位部分（１９０８）上の突起（１９０６）を有する。プラグ（１９０２）はまた、テザー経路指定領域（１９２０）および（１９２２）も備える。これらのテザー経路指定領域は、例えば、ロックデバイス（１９００）によるロックのための１つ以上のテザーを設置するために、使用されてもよい。
【０１１４】
スナップ嵌合プラグのある変化例が示され、説明されているが、他の好適な構成も使用されてもよい。加えて、一般的なロックデバイスの他の好適な構成も使用されてもよい。
【０１１５】
例えば、異なる種類のロック管が、テザーロックデバイスで使用されてもよい。ロック管は、ロック管本体に沿って、任意の好適な数の開口を有してもよい。また、開口は、ロック管本体の壁部分内、および／またはロック管本体の一方の端あるいは両方の端の上に位置することを含むが、それに限定されない、任意の適切な場所にあってもよい。開口は、それを通る１つ以上のテザーの通過のためにサイズ決定および成形されてもよい。ロック管の中の開口の場所、サイズ、および数は、例えば、それを通されるテザーのサイズ、テザーによって持続される引張力の予想レベル、対応するプラグの幾何学形状、および他の関連要因に応じて、変化してもよい。いくつかの変化例では、開口の場所、サイズ、および数は、ロック管が応力を受けて崩壊する可能性が低いように、テザーを引張ることに起因し得る力（例えば、圧力、引張力、剪断）に耐えるように選択されてもよい。
【０１１６】
図２０Ａ−２０Ｈは、プラグを受容するように構成される、ロック管の異なる変化例を図示する。図２０Ａおよび２０Ｂは、例えば、摩擦嵌合のみによって、または摩擦嵌合およびスナップ嵌合の両方によって、プラグを固定してもよい、ロック管（２００１）を図示する。ロック管（２００１）は、例えば、ロック管をロックデバイスの１つ以上の他の構成要素に一時的に連結することに役立つために使用されてもよい、段部（２００４）を備える。ロック管（２００１）はまた、管本体に沿った、管の壁部分の中の２つのオフセット開口（２００２）および（２００３）、ならびにその遠位端に位置する開口（２００５）を有する。開口の全ては、ロック管（２００１）の管腔（２００６）と流体連通している。開口（２００２）、（２００３）、および／または（２００５）は、同じまたは異なる直径を有してもよい。いくつかの変化例では、開口のうちの１つ以上は、約０．０１インチから約０．０７インチ、例えば、約０．０１５インチから約０．０６インチ、または約０．０４インチの直径を有してもよい。例えば、開口（２００２）および（２００３）は、約０．０４インチの直径を有してもよく、および／または開口（２００５）は、約０．０３２インチの直径を有してもよい。他の適切な直径または他の寸法も使用されてもよい。ロック管（２００１）の長さＬ１は、約０．２インチから０．４インチ、例えば、０．２６４インチであってもよい。開口（２００２）、（２００３）、および（２００５）等の開口は、管本体が形成されるのと同時に形成されてもよく、または管本体の形成の後に形成されてもよい。
【０１１７】
図２０Ｃおよび２０Ｄは、ロック管（２０１０）の別の変化例を図示する。そこで示されるように、ロック管（２０１０）は、オフセット開口（２０１２）および（２０１３）、ならびに相互と整列した複数対の開口（すなわち、開口（２０１７ａ）および（２０１７ｂ）と、開口（２０１８ａ）および（２０１８ｂ））を備える。ロック管（２０１０）はまた、その遠位端に位置する開口（２０９０）も有する。いくつかの変化例では、開口のうちの１つ以上は、約０．０１インチから約０．０７インチ、例えば、約０．０１５インチから０．０６インチ、または約０．０４インチの直径を有してもよい。例えば、開口（２０１７ａ）および（２０１７ｂ）、ならびに開口（２０１８ａ）および（２０１８ｂ）は、約０．０２８インチであってもよく、および／または開口（２０９０）は、約０．０３２インチであってもよい。開口のうちの１つ以上は、ロック管（２０１０）の管腔（２０１６）と流体連通していてもよい。いくつかの変化例では、オフセット開口（２０１２）および（２０１３）は、ロック管（２０１０）の中へ成形されてもよく、および／または開口（２０１７ａ）、（２０１７ｂ）、（２０１８ａ）、および（２０１８ｂ）は、管本体が形成された後に（例えば、管本体にドリルで穴を開けることによって）形成されてもよい。開口は、０．０２８インチ等の任意の適切な直径を有してもよい。図２０Ｃおよび２０Ｄを参照すると、開口（２０１７ａ）および（２０１７ｂ）は、相互に直接向かっており（整列されている）、開口（２０１８ａ）および（２０１８ｂ）も、相互に直接向かっている（すなわち、整列されている）。これらの開口は、中心線から０．０１インチ離れる等、線２０Ｄ−２０Ｄによって示される中心線からある距離に（すなわち、ロック管の縦軸に沿って）位置してもよい。加えて、開口（２０１７ａ）および（２０１７ｂ）は、開口（２０１８ａ）および（２０１８ｂ）から離れた距離（ｄ１）を置いて位置し、（ｄ１）は、例えば、０．０８５インチであってもよい。ロック管（２０１０）の長さＬ２は、約０．２インチから０．４インチ、例えば、０．２６４インチであってもよい。
【０１１８】
ロック管の他の変化例は、異なる構成で整列されてもよい、他の場所にある開口を含んでもよい。例えば、図２０Ｅおよび２０Ｆは、整列した開口（２０２７ａ）および（２０２７ｂ）、ならびに整列した開口（２０２８ａ）および（２０２８ｂ）を含む、ロック管（２０２０）を示す。ロック管（２０１０）はまた、オフセット開口（２０２２）および（２０２３）も含む。複数対の整列した開口は、図２０Ｃおよび２０Ｄに示された開口よりも相互に近い。ここで示されるように、複数対の整列した開口は、距離（ｄ２）によって分離され、（ｄ２）は、例えば、０．０６インチであってもよい。距離（ｄ２）は、例えば、日常的な使用中に（例えば、それを通されるテザーが引張られるときに）ロック管にかかる予期される圧力に従って、選択されてもよい。距離（ｄ２）は、０．０６インチから０．０８５インチ、または０．０８５インチを上回る（例えば、それを通されるテザーが引張られるときに、大きい圧力が予期される場合）等の、任意の適切な距離であってもよい。ロック管（２０２０）はまた、その遠位端に位置する開口（２０９２）も有する。いくつかの変化例では、開口のうちの１つ以上は、約０．０１インチから約０．０７インチ（例えば、約０．０１５インチから約０．０６インチ、または約０．０４インチ）の直径を有してもよい。例えば、開口（２０２７ａ）、（２０２７ｂ）、（２０２８ａ）、および／または（２０２８ｂ）は、約０．０２６インチであってもよく、開口（２０２２）および／または（２０２３）は、約０．０４インチであってもよく、および／または開口（２０９２）は、約０．０３２インチであってもよい。代替として、または加えて、ある変化例では、ロック管（２０２０）の長さＬ３は、約０．２インチから０．４インチ、例えば、０．２６４インチであってもよい。
【０１１９】
図２０Ｇおよび２０Ｈは、開口（２０３７）がオフセット開口（２０３２）および（２０３３）と整列している、ロック管（２０３０）の別の変化例を図示する。ロック管（２０３０）はまた、その遠位端に開口（２０９４）も有する。いくつかの変化例では、開口のうちの１つ以上は、約０．０１インチから約０．０７インチ（例えば、約０．０１５インチから約０．０６インチ、または約０．０４インチ）の直径を有してもよい。例えば、開口（２０３２）および（２０３３）は、約０．０４インチであってもよく、開口（２０３７）は、約０．０２８インチであってもよく、開口（２０９４）は、約０．０３２インチであってもよい。代替として、または加えて、ある変化例では、ロック管の長さＬ４（２０３０）は、約０．２インチから０．４インチ、例えば、０．２６４インチであってもよい。
【０１２０】
それらの直径、相対位置、および／または形成の方法等の、ロック管の開口の特性は、所望に応じて修正されてもよい（例えば、使用中に、ロック管が特定の引張られたテザーの圧力を持続させることが可能であることを確実にするように）。ロック管のある変化例が示され、説明されているが、他の好適な構成も使用されてもよい。
【０１２１】
いくつかの変化例では、ロックデバイスプラグは、プラグを１つ以上の他のロックデバイス構成要素と係合させることに役立つ、１つ以上の一方向特徴を備えてもよい。一実施例として、図２１Ａは、プラグ（２１０２）と、管腔（２１０６）内でプラグを受容するように構成されるロック管（２１０４）とを備える、ロックデバイス（２１００）を示す。プラグ（２１０２）は、本体（２１０８）と、本体（２１０８）の遠位端におけるロック部分（２１１０）とを備える。ロック部分（２１１０）は、球形先端（２１１４）を有する、細長い部材（２１１２）を備える。プラグ（２１０２）が管腔（２１０６）に押し込まれると、球形先端（２１１４）は、管腔（２１０６）内の係合特徴（２１１６）を通過する。その形状により、球形先端（２１１４）は、係合特徴から係脱することができない。したがって、プラグ（２１０２）は、（例えば、テザーロックの前に、またはそれと併せて）ロック管（２１０４）に連結されてもよい。そのような一方向特徴を有する、プラグの他の変化例が使用されてもよい。例えば、図２１Ｂは、ロック管（２１５２）と、プラグ（２１５４）とを備える、ロックデバイス（２１５０）を示す。ロック管（２１５２）は、管腔（２１５６）と、内側周縁（２１５８）とを有する。プラグ（２１５４）は、プラグがロック管の中へ前進させられると、内側周縁（２１５８）を通過するように構成され、それにより、プラグをロック管と係合させる、球形頭部（２１６０）を有する。一旦この係合が発生すると、プラグが、概して、近位方向に移動してロック管から係脱しないように、球形頭部は、一方向特徴として機能する。
【０１２２】
他のプラグおよびロック部材構成も可能である。一実施例として、図２２は、周縁（２２０４）と、壁部分（２２０８）によって画定される管腔（２２０６）とを有する、ロック管（２２０２）を備えるロックデバイス（２２００）を示す。ロックデバイス（２２００）はさらに、ロック管の管腔内で嵌合するように構成される、プラグ（２２１０）を備える。プラグ（２２１０）は、係合部分（２２１４）および（２２１６）と、尖頭部（２２１２）とを備える。係合部分は、プラグ（２２１０）が管腔（２２０６）の中へ前進させられると周縁（２２０４）と係合する、一方向特徴として機能する。プラグ（２２１０）は、係合部分（２２１４）を周縁（２２０４）と係合させることに十分遠く前進させられてもよく、または係合部分（２２１６）を周縁（２２０４）と係合させるようにさらに前進させられてもよい。
【０１２３】
別の実施例として、図２３は、管腔（２３０６）を画定する壁部分（２３０４）を有し、その内面（２３１０）上に環状溝（２３０８）を含む、ロック管（２３０２）を備える、ロックデバイス（２３００）を示す。ロックデバイス（２３００）はさらに、本体（２３１４）と、本体の周辺の周縁（２３１６）とを備える、プラグ（２３１２）を備える。プラグ（２３１２）がロック管（２３０２）の管腔（２３０６）の中へ前進させられると、周縁（２３１６）は、環状溝（２３０８）と係合し、それにより、プラグをロック管に固定する。同様に、図２４は、プラグ（２４０２）と、管腔（２４０６）内でプラグを受容するように構成されるロック管（２４０４）とを備える、ロックデバイス（２４００）を示す。プラグ（２４０２）は、その端のそれぞれに環状突起（２４１０）および（２４１２）を有する、本体（２４０８）を備える。ロック管（２４０４）は、環状突起（２４１０）または（２４１２）とスナップ嵌合を形成するように構成される溝（２４１６）を含む、内面（２４１４）を有し、それにより、プラグをロック管に連結する（および、例えば、その間でテザーを固定する）。
【０１２４】
上述のように、ロックデバイスプラグは、任意の好適なサイズ、形状、および／または構成を有してもよい。例えば、図２５は、中空部分（２５０４）を有するロック部材（２５０２）と、ロック部材の中空部分内で少なくとも部分的に嵌合するように構成されるプラグ（２５０６）とを備える、ロックデバイス（２５００）を示す。プラグ（２５０６）は、（例えば、プラグがロック部材の中空部分の中へ嵌合されるにつれて）相互に向かって圧縮されることが可能な２つの可撓性脚部（２５０８）および（２５１０）を備える。プラグ（２５０６）はまた、その背面（２５１５）上の隆起（２５１２）および（２５１４）、ならびに隆起（２５８０）および（２５８２）も備える。隆起は、プラグがロック部材の中へ前進させられるにつれて、ロック部材（２５０２）の内面（２５１９）上の対応する溝（２５１６）および（２５１８）と係合するように構成される。最初に、隆起（２５８０）および（２５８２）が、溝（２５１８）に係合してプラグをロック部材に固定する（それにより、プラグが体内で遊離することを防止する）。次いで、プラグが前進させられると、隆起（２５１２）が溝（２５１８）に係合し、隆起（２５１４）が溝（２５１６）に係合する。したがって、プラグ（２５０６）は、ロック部材（２５０２）と確実な嵌合を形成してもよく、それにより、その間でテザーをしっかりとロックしてもよい。
【０１２５】
ロック部材（２５０２）は、そのようなテザーの通過のために好適である、それを通る開口（２５２２）を有する、壁部分（２５２０）を備える。壁部分（２５２０）はまた、ロック部材（２５０２）の遠位端（２５６２）に開口（２５６０）も備える。ある変化例では、開口（２５６０）は、それを通してテザーを送るためにサイズ決定および成形されてもよい。場合によっては、ロックデバイス（２５００）は、使用前にプラグ（２５０６）がロック部材（２５０２）に連結されるように、事前に組み立てられてもよい。使用中に、プラグは、例えば、テザーを固定するように、ロック部材の中へさらに前進させられてもよい。プラグおよびロック部材の事前組立は、例えば、ロックデバイスが使用中であるときに、プラグが標的部位から変位されることを防止してもよい。
【０１２６】
プラグの付加的な異なる構成が、図２６Ａ−２９Ｂに示されている。図２６Ａおよび２６Ｂに示されるように、プラグ（２６００）は、丸みを帯びた端（２６０２）を有する略円筒形を有する。丸みを帯びた端は、プラグの遠位端であってもよく、またはいくつかの変化例では、プラグの近位端であってもよい。図２７Ａおよび２７Ｂは、プラグ（２７００）の別の変化例を示す。そこで示されるように、プラグ（２７００）は、側面図（図２７Ａ）において略矢印形であり、細長い部分（２７０２）と、尖頭部分（２７０４）とを備える。図２８Ａおよび２８Ｂは、細長い部分（２８０２）および球形頭部（２８０４）を有する、キノコ形であるプラグ（２８００）を図示する。最後に、図２９Ａおよび２９Ｂは、細長い部分（２９０２）と、尖状先端（２９０６）および複数の一方向特徴（２９０８）、（２９１０）、および（２９１２）を有する頭部分（２９０４）とを備える、プラグ（２９００）を示す。プラグ（２９００）は、例えば、ポリエチレン管の外面を切り込み、それにより、細片を管の外面から剥離させる（例えば、管を薄く剥ぐ）ことによって形成されてもよい。一方向特徴は、例えば、プラグがロック部材の中空部分（例えば、管腔）内で１つの方向に並進させられることを可能にしてもよい一方で、プラグがロック部材の中空部分内で別の方向（例えば、反対方向）に並進させられることを可能にしなくてもよい。
【０１２７】
図２７Ａ、２７Ｂ、２８Ａ、および２８Ｂに示されたプラグの頭部分は、同様の機能を果たしてもよい。例えば、それらは、ロック部材の中空部分の中へ圧搾されてもよいように、圧縮性であってもよい。しかしながら、一旦中空部分内にあると、それらは、元のサイズおよび形状に戻ってもよく、それは、それらが中空部分の外へ逆行することを防止してもよい。結果として、プラグは、ロック部材との比較的確実な連結を形成してもよい。
【０１２８】
あるプラグ構成が示されているが、他の構成が可能である。例えば、いくつかの変化例では、プラグは、プラグの縦軸に対して中心が外れている尖状先端を有してもよい。先端の中心を外れた場所は、例えば、プラグが、ロック管の管腔の中心を横断するテザーを不注意に突き刺すことを防止することに役立ってもよい。
【０１２９】
プラグは、任意の好適な材料で形成されてもよく、場合によっては、プラグは、膨潤性および／または別様に膨張性の材料で形成されてもよい。例えば、プラグは、経時的に水を吸収して増進したロックを提供する、ヒドロゲルで形成されてもよい。いくつかの変化例では、（例えば、Ｎｉｔｉｎｏｌロック管とともに）ナイロンプラグが採用されてもよい。
【０１３０】
ある変化例では、プラグは、１つ以上のアンカ部分を備えてもよい。アンカ部分は、例えば、使用中にプラグを身体組織に固着することに役立ってもよい。一実施例として、プラグは、複数のアンカに連結されるテザーをロックするために使用されてもよい。アンカは、組織に埋め込まれてもよく、プラグのアンカ部分も、組織に埋め込まれてもよい。これは、例えば、プラグが標的部位から変位され、非標的域に移動する可能性を制限してもよい。一実施例として、図３０Ａは、本体部分（３００２）と、本体部分から延在するアンカ部分（３００４）とを備える、プラグ（３０００）を示す。アンカ部分（３００４）は、例えば、本体部分（３００２）に成形されるか、または本体部分（３００２）に埋め込まれてもよい。アンカ部分（３００４）は、反対方向に延在する２つの鉤状部分（３００６）および（３００８）を備える。鉤状部分は、例えば、組織に係合するために好適な鋭い先端を有してもよい。図３０Ｂに示されるように、使用中に、プラグ（３０００）は、（例えば、プラグの本体部分とロック部材の壁部分（３０１４）との間でテザーを固定するように）ロック部材（３０１２）の管腔（３０１０）の中へ前進させられてもよい。図３０Ｃに示されるように、次いで、プラグは、プラグの遠位部分（３０１６）（アンカ部分（３００４）を含む）がロック部材の管腔から出るように、さらに前進させられてもよい。次いで、アンカ部分（３００４）は、組織（３０１８）に係合してもよい。図３０Ｂを再び参照すると、アンカ部分（３００４）の鉤状部分（３００６）および（３００８）は、中空部分のプラグの前進中にロック部材の中空部分内で圧縮されてもよいように、圧縮性であってもよい。ある変化例では、１つ以上のリング（図示せず）が、ロック部材をプラグにさらに固定するように、ロック部材（３０１２）上に前進させられてもよい。
【０１３１】
いくつかの変化例では、テザーは、テザーが身体組織に係合することに役立つ、１つ以上の特徴を備えてもよい。例えば、図３１Ａは、テザーの中心領域（３１０６）から延在するコイル（３１０２）を有する、テザー（３１００）を示す。コイルは、標的部位で組織に係合し、それにより、テザーを標的部位に固定することに役立ってもよい。任意の数のコイルまたは他の係合機構、あるいはそれらの組み合わせが、使用されてもよい。テザー上で使用されてもよい、他の係合機構または特徴の非限定的実施例は、段差、隆起等を含む。加えて、コイルおよび／または他の係合機構は、テザーに沿った任意の好適な位置に位置してもよい。例えば、図３１Ｂは、その遠位端（３１１４）から延在するコイル（３１１２）を有する、テザー（３１１０）を示す。当然ながら、１つ以上の他のロックデバイス構成要素は、代替として、または加えて、１つ以上のコイルおよび／または他の係合機構を含んでもよい。例えば、図３２は、プラグ（３２０２）と、プラグを受容するように構成される管腔（３２０６）を有するロック管（３２０４）とを備える、ロックデバイス（３２００）を示す。プラグ（３２０２）は、その遠位端（３２１０）にコイル（３２０８）を備える。図３２に示されるように、コイルは、ロック管の壁部分（３２１８）の中の２つの開口（３２１４）および（３２１６）を通される、テザー（３２１２）に係合してもよい。したがって、コイルは、ロックデバイス内でテザーをさらにロックすることに役立ってもよい。
【０１３２】
ある変化例では、プラグは、その間で１つ以上のテザーに係合するように、相互に向かって閉鎖されることが可能である、２つ以上の部分を備えてもよい。例えば、図３３Ａおよび３３Ｂは、プラグ（３３００）を示し、図３３Ｂは、図３３Ａの線３３Ｂ−３３Ｂに沿って得られたプラグの断面図である。プラグ（３３００）は、ヒンジ（３３０６）によって相互に接続される、２つの部分（３３０２）および（３３０４）を備える。ヒンジが示されているが、代替として、または加えて、他の好適な接続機構が使用されてもよい。部分（３３０２）は内面（３３０８）を有し、部分（３３０４）は内面（３３１０）を有する。使用時に、１つ以上のテザー（図示せず）が、表面（３３０８）および（３３１０）の間に通されてもよい（例えば、表面のうちの一方または両方に接触する）。次いで、部分（３３０２）は、内面（３３０８）が内面（３３１０）に接触するように、ヒンジ（３３０６）の周囲で部分（３３０４）に向かって折り畳まれてもよい。１つまたは複数のテザーは、相互に向かって折り畳まれると、２つの部分の間で捕捉されてもよい。いくつかの変化例では、次いで、プラグは、（例えば、テザーを固定するように）ロック部材または別のデバイス構成要素の中へ前進させられてもよい。
【０１３３】
ある変化例では、部分のうちの１つ以上は、部分間の連結を維持することに役立つ、修正された表面および／または１つ以上の他の特徴を有してもよい。例えば、図３３Ｃおよび３３Ｄは、プラグ（３３２０）を示し、図３３Ｄは、図３３Ｃの線３３Ｄ−３３Ｄに沿って得られたプラグの断面図である。プラグ（３３２０）は、内面（３３２４）を有する第１の部分（３３２２）と、内面（３３２８）を有する第２の部分（３３２６）とを有する。内面は、２つの部分がヒンジ（３３６０）の周囲で相互に向かって折り畳まれるときに、内面間の増進した係合を提供するように型押加工される。他の好適な係合機構が使用されてもよい。一実施例として、図３３Ｅは、内面（３３５４）を有する第１の部分（３３５２）と、内面（３３５８）を有する第２の部分（３３５６）とを備える、プラグ（３３５０）を示す。表面が相互に接触し、かつ相互に連結し、それにより、その間に１つ以上のテザー（図示せず）を封入するように、第１および第２の部分は、ヒンジ（３３３０）の周囲で相互に向かって折り畳まれてもよい。内面（３３５４）は、穴（３３６２）、（３３６４）、（３３６６）、（３３６８）、および（３３７０）を備え、内面（３３５８）は、内面（３３５４）上の穴の中へスナップ留めするようにサイズ決定される、対応する突起（３３７２）、（３３７４）、（３３７６）、（３３７８）、および（３３８０）を備え、それにより、第２の部分（３３５６）が第１の部分（３３５２）に固定することに役立つ。
【０１３４】
図３３Ａ−３３Ｅに示されたプラグの第１および第２の部分は、左右対称像であるが、いくつかの変化例では、プラグは、相互の左右対称像ではない、２つ以上の部分を備えてもよい。また、プラグの異なる部分が、異なるサイズを有してもよい。
【０１３５】
ある変化例では、ロックデバイスは、相互に連結される、プラグおよびロック部材を備えてもよい。ロック部材およびプラグは、いくつかの異なる方法のうちのいずれかで連結されてもよい。一実施例として、図３４Ａは、プラグ（３４０２）と、プラグを受容するように構成されるロック部材（３４０４）とを備えるロックデバイス（３４００）を示す。ロック部材およびプラグは、連結部材（３４０６）によって相互に連結される（示されるように、テザーの形態をしているが、代替として、または加えて、他の好適な連結部材が使用されてもよい）。１つの連結部材が示されているが、いくつかの変化例では、ロック部材およびプラグは、複数の連結部材によって連結されてもよい。連結部材（３４０６）は、プラグ（３４０２）およびロック部材（３４０４）のうちの少なくとも１つに取り付けられてもよく、および／またはプラグ（３４０２）およびロック部材（３４０４）のうちの少なくとも１つと一体であってもよい。ロックデバイス（３４００）は、例えば、射出成形を使用して形成されてもよい。
【０１３６】
図３４Ｂに示されるように、使用中に、プラグ（３４０２）は、（例えば、その間でテザーを固定するように）ロック部材（３４０４）の中へ嵌合されてもよい。プラグ（３４０２）がロック部材（３４０４）から不注意に分断された場合、プラグとロック部材との間の連結が、構成要素のうちの一方または両方が非標的場所に移動する可能性を制限してもよい。例えば、ロック部材は、それを通してテザーが通される、壁部分の中の１つ以上の開口を有してもよい。プラグがロック部材から抜けた場合、プラグは、テザーに連結されるロック部材に連結されているため、依然として標的部位にとどまってもよい。いくつかの変化例では、連結されたプラグおよびロック部材は、プラグおよびロック部材が、デバイスまたはカテーテル等のデバイス構成要素内に含有されない、手技で使用されてもよい。ある変化例では、図３４Ｂに示されるように、連結部材（３４０６）は、標的部位で組織に付加されてもよいアンカ（３４０８）に、摺動可能に、または固定的に取り付けられてもよく、それにより、標的部位でロックデバイス（３４００）を保持することに役立つ。
【０１３７】
少なくとも１つの連結部材によって相互に連結される構成要素を備える、ロックデバイスは、任意の好適な構成を有してもよい。例えば、図３４Ｃは、プラグ（３４２２）と、管腔（３４２６）内でプラグ（３４２２）を受容するように構成されるロック管（３４２４）と、プラグ（３４２２）をロック管（３４２４）に連結する連結部材（３４２８）とを備える、ロックデバイス（３４２０）を示す。ロック管（３４２４）は、それを通るテザーの通過のための２つの開口（３４３２）および（３４３６）を有する、壁部分（３４３０）を備える。加えて、プラグ（３４２２）およびロック管（３４２４）はそれぞれ、テザーリング（３４３８）および（３４４０）リングをそれぞれ備える。テザー（図示せず）は、これらのテザーリングのうちの一方または両方を通過させられてもよく、次いで、（例えば、標的部位でテザーを組織に取り付けることによって）標的部位に固定されてもよい。これは、標的部位でロックデバイス（３４２０）を保持することに役立ってもよい。テザーリングは、以下でさらに詳細に説明される。
【０１３８】
連結部材は、構成要素上の任意の適切な場所で、ロックデバイスの少なくとも２つの構成要素に取り付けられてもよい。例えば、図３５Ａは、連結部材（３５０６）によってプラグ（３５０４）に連結されるロック部材（３５０２）を備える、ロックデバイス（３５００）の変化例を示す。図３５Ｂは、連結部材（３５２６）によってプラグ（３５２４）に連結されるロック部材（３５２２）を備える、デバイス（３５２０）の別の変化例を示す。図３５Ｃは、連結部材（３５４６）によってプラグ（３５４４）に連結されるロック部材（３５４２）を備える、デバイス（３５４０）の付加的な変化例を示す。最後に、図３５Ｄは、連結部材（３５６６）によってプラグ（３５６４）に連結されるロック部材（３５６２）を備える、デバイス（３５６０）の変化例を示す。他の連結部材構成および取付位置も使用されてもよい。
【０１３９】
図３６は、相互に連結されるプラグおよびロック部材を備える、ロックデバイスの付加的な変化例を示す。そこで示されるように、ロックデバイス（３６００）は、中空部分（３６０４）を有する、ロック部材（３６０２）を備える。ロックデバイス（３６００）はまた、プラグをロック部材に連結するように構成される、２つの可撓性連結部分（３６０８）および（３６１０）を備える、プラグ（３６０６）も備える。より具体的には、連結部分は、プラグ（３６０６）がロック部材（３６０２）の中へ摺動することを柔軟に可能にするように（すなわち、ロック部材（３６０２）の中空部分（３６０４）の中へプラグ（３６０６）を前進させるように）構成される。いくつかの変化例では、ロックデバイス（３６００）は、中空部分（３６０４）およびプラグ（３６０６）を成形することによって形成されてもよい。ある変化例では、中空部分およびプラグは、２つの異なるレベルで成形されてもよい（例えば、プラグの形成を妨害しないマンドレルを使用して、中空部分が形成されてもよいように）。他の構成が使用されてもよい。例えば、プラグが、シースの中に配置されてもよく、管状部材が、プラグに係合するようにシースの中へ前進させられてもよい。
【０１４０】
ロックデバイス（３７００）の別の変化例が、図３７で図示されている。そこで示されるように、ロックデバイス（３７００）は、細長い部分（３７０６）と、プラグ部分（３７０８）とを備える、プラグ部材（３７０４）を包囲する、リング状ロック部材（３７０２）を備える。プラグ部分（３７０８）は、プラグ部分（３７０８）がリング状ロック部材（３７０２）に向かって前進させられ、および／またはリング状ロック部材（３７０２）がプラグ部分（３７０８）に向かって前進させられると、リング状ロック部材（３７０２）の中の切り欠き（３７１０）内で嵌合するように構成される。リング状ロック部材（３７０２）およびプラグ部分（３７０８）は、その間でテザーを固定するように構成される。
【０１４１】
ある変化例では、ロックデバイスの１つ以上の構成要素は、ロックデバイスの１つ以上の他の構成要素に係合されるように構成される、少なくとも１つのフックを備えてもよい。例えば、図３８は、中空部分（図示せず）を有するロック部材（３８０２）を備える、ロックデバイス（３８００）を示す。ロックデバイス（３８００）はまた、ロック部材の中空部分内で少なくとも部分的に嵌合するように構成される、プラグ（３８０４）も備える。プラグ（３８０４）は、プラグがロック部材の中へ前進させられると、ロック部材（３８０２）上の周縁（３８０８）の上に引っ掛かる、鉤状遠位領域（３８０６）を有する。この鉤状遠位領域は、鉤状遠位領域が周縁（３８０８）の周囲で嵌合することを可能にする、プラグ本体の残りの部分とのリビングヒンジを形成する。周縁が示されているが、いくつかの変化例では、ロック部材が切り込みを含んでもよく、鉤状遠位領域が切り込みに連結してもよい。これは、例えば、ロックデバイスが比較的薄型外形を維持することを可能にしてもよい。
【０１４２】
上記で説明されるように、ある変化例では、ロックデバイスの１つ以上の構成要素は、それを通るテザーの通過のために構成される、少なくとも１つのテザーリングを備えてもよい。例えば、図３９Ａは、本体部分（３９０２）および周縁（３９０４）、ならびに周縁（３９０４）に連結されるか、または周縁（３９０４）と一体であるテザーリング（３９０６）を備える、ロック部材（３９００）を示す。図３９Ｂは、本体部分（３９１２）および周縁（３９１４）、ならびに本体部分（３９１２）に連結されるか、または本体部分（３９１２）と一体であるテザーリング（３９１６）を備える、ロック部材（３９１０）を示す。いくつかの変化例では、ロック構成要素は、複数の（例えば、２つ、３つ、４つ、５つ）テザーリングを有してもよい。テザーリングは、全て同じサイズであってもよく、または異なるサイズを有してもよい。例えば、図３９Ｃは、本体部分（３９２２）および周縁（３９２４）、ならびに本体部分（３９２２）に連結されるか、または本体部分（３９２２）と一体であるテザーリング（３９２６）と、周縁（３９２４）に連結される、および／または周縁（３９２４）と一体である２つのテザーリング（３９２８）および（３９３０）とを備える、ロック部材（３９２０）を示す。使用中に、１つ以上のテザー（図示せず）は、テザーリングのうちの１つ以上を通されてもよく、例えば、標的組織で組織（例えば、心室壁）に固定されてもよい。
【０１４３】
テザーリングを備えるロック部材が示されているが、代替として、または加えて、ロックデバイスの他の構成要素が、１つ以上のテザーリングを含んでもよい。例えば、図３９Ｄは、プラグ（３９５２）と、プラグを受容するように構成されるロック部材（３９５４）とを備える、ロックデバイス（３９５０）を示す。プラグ（３９５２）は、プラグがロック部材の中へ前進させられると、ロック部材（３９５４）上の周縁（３９５８）の上に引っ掛かる、鉤状遠位領域（３９５６）を有する。また、プラグ（３９５２）は、例えば、テザーを介してプラグ（３９５２）を身体組織に固定するために使用されてもよい、テザーリング（３９６０）を備える。いくつかの変化例では、テザーリングは、正しいロック場所でロックデバイスの１つ以上の構成要素を設置することに役立つために使用されてもよい。例えば、テザーは、プラグ上のテザーリングを通されてもよく、プラグは、テザーに沿って標的ロック部位まで前進させられてもよい。ある変化例では、ロックデバイスは、テザーリングを有する、複数の構成要素を備えてもよい。一実施例として、図３９Ｅは、プラグ（３９７２）と、プラグを受容するように構成されるロック部材（３９７４）とを備える、ロックデバイス（３９７０）を示す。ロック部材およびプラグの両方は、テザーリングを備える。より具体的には、ロック部材（３９７４）は、テザーリング（３９７６）を備え、プラグ（３９７２）は、テザーリング（３９７８）を備える。
【０１４４】
プラグと、種々のロック部材構成とを備える、ロックデバイスが示されているが、場合によっては、他の種類のロックデバイスが、１つ以上のテザーを固定するために使用されてもよい。例えば、図４０Ａ−４０Ｃは、ロックデバイス（４０００）および関連方法の変化例を示す。図４０Ａおよび４０Ｂに示されるように、ロックデバイス（４０００）は、管状部材（４００２）と、ロック部材（４００４）とを備える。図４０Ａおよび４０Ｂでは、ロック部材は、開放構成である。ロック部材（４００４）は、第１の締付け部分（４００６）と、第２の締付け部分（４００８）と、その間の中空領域（４０１０）とを備える。中空領域（４０１０）は、ロック部材が開放構成であるときに管状部材（４００２）の少なくとも一部分を受容するように構成される。テザー（４０１２）は、管状部材を通される。
【０１４５】
ここで図４０Ｃを参照すると、ロック部材（４００４）は、中空領域（４０１０）から管状部材（４００２）を引き抜くことによって、開放構成から閉鎖構成に変化させることができる。示されるように、管状部材は、テザーも引き抜くことなく、引き抜かれている。これは、例えば、テザー上の管状部材を引き抜きながら、（例えば、クランプを用いて）テザーを適所に一時的に担持することによって達成されてもよい。閉鎖構成では、第１の締付け部分（４００６）は、第２の締付け部分（４００８）に対して締付け、それにより、その間にテザー（４０１２）を固定する。
【０１４６】
ロックデバイス（４０００）は、例えば、シースと、プッシュ部材と、プッシュ部材の管腔内で摺動可能である管状部材とを備える、カテーテルを使用して、配備されてもよい。ロックデバイスは、最初に、カテーテル内に拘束されてもよい。管状部材が後退させられると、管状部材とロックデバイスとの間の摩擦力が、プッシュ部材に対して近位にロックデバイスを引張り得る。これは、ロックデバイスのさらなる移動を防止してもよく、管状部材は、近位に摺動し、それにより、ロックデバイス（４０００）にテザーを締付けさせてもよい。後に、プッシュ部材は、カテーテルからロックデバイスを遠位に解放するように押されてもよい。
【０１４７】
ロック部材（４００４）は、特定の構成を有する締付け部分（４００６）および（４００８）を備えるが、異なる構成を有する締付け部分を備えるロック部材も使用されてもよい。例えば、図４１は、管状部材（４１０２）と、２つの締付け部分（４１０６）および（４１０８）、ならびにその間の中空領域（４１１０）を有する、ロック部材（４１０４）とを備える、ロックデバイス（４１００）を示す。その開放構成（図４１に示される）では、ロック部材（４１０４）は、中空領域（４１１０）の中で管状部材（４１０２）の少なくとも一部分を担持するように構成される。しかしながら、管状部材（４１０２）がロック部材（４１０４）から引き抜かれるか、または別様に除去されると、ロック部材（４１０４）は、ロック部材の締付け部分がともに締付ける（例えば、それにより、その間でテザー（図示せず）を固定する）、その閉鎖構成を成す。
【０１４８】
図４２Ａ−４２Ｇは、ロックデバイス（４２００）の別の変化例を示し、この変化例は、コレット（４２０１）と、コレットの少なくとも一部分を包囲して、コレット内でテザーを締付けるように構成されるスリーブ（４２０３）とを備える。コレット（４２０１）および／またはスリーブ（４２０３）は、例えば、１つ以上の金属（例えば、チタン）、金属合金（例えば、Ｎｉｔｉｎｏｌ、ステンレス鋼）、および／または１つ以上のポリマー（例えば、ＰＥＥＫ）で形成されてもよい。コレットおよびスリーブは、同じ材料または異なる材料で形成されてもよい。それらは、例えば、従来の機械加工方法、放電機械加工（ＥＤＭ）、レーザ切断、金属射出成形、および／または位相射出成形を使用して、形成されてもよい。コレット（４２０１）は、デバイス（４２００）の他の部分への取付を可能にする近位特徴（４２２０）、ならびに半径状遠位端（４２２２）、およびその間のコレット本体（４２２１）を有する、単一スリット設計である。単一スリット構成が示されているが、以下でさらに詳細に論議されるように、他のコレット構成も使用されてもよい。スリーブ（４２０３）は、コレット本体（４２２１）の外形に密接に合致する内径を有する、剛性または半剛性管を備える。スリーブ（４２０３）は、細長い管状部分（４２０４）に連結される。ロックデバイス（４２００）の使用中に、スリーブ（４２０３）は、コレット本体（４２２１）上で摺動し、それにより、コレット本体を強制的に圧縮させてもよい。これは、コレット本体に、スリット（４２３０）を通して送られるテザー（４２０８）を固定させてもよい。
【０１４９】
特に図４２Ｂを参照すると、テザーは、例えば、ラッソまたはスネア（以下でさらに詳細に説明される）を使用して、ロックデバイスの中へ送られてもよい。ロックデバイス（４２００）は、テザーをロックするためにコレットが使用された後に、相互に対して摺動し、ロックデバイスの残りの部分からコレットを分断する、一連の同心シャフトを備える。解放管（４２０９）は、テザースネア（４２０７）およびテザー（４２０８）の通過のための管腔を提供する。解放管（４２０９）はまた、ロックデバイスの残りの部分からコレットを押しのけることによって、ロックデバイス（４２００）の残りの部分からコレット（４２０１）を分断するために使用されてもよい。
【０１５０】
使用中に、テザー（４２０８）は、スネア（４２０７）を使用して、解放管（４２０９）を通してロックデバイス（４２００）に引き込まれる。次いで、ロックデバイスは、コレット（４２０１）が所望のロック場所に到達するまで、テザー（４２０８）上を前進させられる。所望のロック場所で、テザー（４２０８）は、締め上げ効果を提供するように引張られてもよく、スリーブ（４２０３）は、プッシュ部材（４２０５）を使用して、コレット（４２０１）上で押されてもよい。スリーブ（４２０３）がコレット（４２０１）上の停止部（４２１０）と接触すると、プッシュ部材（４２０５）は、後退して、連結コレット特徴（４２０６）および引張管（４２０２）の遠位端を露出させる。次いで、解放管（４２０９）は、遠位に前進させられ、コレット（４２０１）をロックデバイス（４２００）の残りの部分から分断させてもよい。
【０１５１】
テザーをロックするためにロックデバイス（４２００）を使用する方法が、図４２Ｃ−４２Ｇでより詳細に示されている。最初に、図４２Ｃは、配備前のコレット（４２０１）を含むロックデバイス（４２００）を示す。図４２Ｄは、スリーブ（４２０３）がコレット（４２０１）上で摺動し、コレットを強制的に折り重ならせ、それにより、テザー（４２０８）（図４２Ｂ）を固定した時の、配備後のロックデバイス（４２００）を示す。図４２Ｅに示されるように、次いで、プッシュ管（４２０５）は、引張管（４２０２）の遠位端を露出させるように後退させられてもよい。図４２Ｆを参照すると、次いで、解放管（４２０９）は、コレット（４２０１）を解放するために使用されてもよい。最後に、ここで図４２Ｇを参照すると、コレット（４２０１）およびスリーブ（４２０３）がロックデバイス（４２００）の残りの部分から解放された後に、解放管（４２０９）が後退させられてもよい。
【０１５２】
コレットのある変化例が示され、説明されているが、任意の他の好適な変化例が使用されてもよい。一実施例として、いくつかの変化例では、コレットは、コレットおよび／またはロックデバイスの１つ以上の他の構成要素に螺合することによって、ロックデバイスに解放可能に連結されてもよい。コレットおよび／または１つまたは複数の他の構成要素上のネジ山の数は、コレットを解放するために必要とされる旋回の量を最小化するように選択されてもよく、例えば、１個から３個のネジ山であってもよい。螺合が使用される変化例では、コレットは、コレットを解放するためにロックデバイスを回転させることによって、（例えば、テザーをロックするためにコレットが使用された後に）ロックデバイスから分断されてもよい。ある変化例では、コレットは、コレットをロックデバイスの残りの部分に連結する、スロット付きキー特徴を有してもよい（例えば、コレット上の突起がロックデバイスの他の構成要素のうちの１つの上のスロットの中へ入る、または逆も同様）。いくつかの変化例では、ここで図４３Ａを参照すると、コレット（４３００）は、コレットの内側のテザーの配置を制御するように、ガイド穴（４３０２）を含んでもよい。このガイド穴は、例えば、コレット内の中心にテザーを設置し続けてもよい。ある変化例では、ここで図４３Ｂを参照すると、コレット（４３５０）は、特に広く開く必要なく、コレットがテザーを受容することを可能にする間隙切り込み（４３５２）を含んでもよい。間隙切り込みの縁は、例えば、（例えば、テザーの摩耗を制限するために）半径状（ｒａｄｉｕｓｅｄ）であってもよい。
【０１５３】
ロックデバイスのいくつかの変化例は、１つ以上の比較的剛性の構成要素を備えるコレット配備機構（例えば、ロックデバイス（４２００）の遠位部分）を備えてもよい。代替として、または加えて、コレット配備機構は、１つ以上の比較的可撓性の構成要素を備えてもよい。比較的剛性のコレット配備機構は、例えば、コレット構成要素を押すために特に有利であってもよい高い構造的完全性を呈してもよい。比較的剛性のコレット配備機構が使用されるいくつかの場合において、コレット配備構成要素は、長さが比較的短くてもよい。構成要素の長さが減少するにつれて、ロックデバイスの可撓性およびその遠位部分の操縦性が増加し得る。
【０１５４】
コレット配備機構の一変化例が、図４４Ａに示されている。そこで示されるように、ロックデバイス（４４００）は、スリーブ（４４０６）とともにコレット（４４０５）を配備するために使用されてもよい。テザーは、例えば、テザーを適所に担持するためにスリットを押下するスリーブを有し、コレット（４４０５）とスリーブ（４４０６）との間で、および／またはコレットの中のスリット内で、それを捕捉することによって固定されてもよい。コレット（４４０５）の近位端（４４０３）は、ロックデバイス（４４００）のシース（４４０４）に少なくとも部分的に収納されてもよく、連結コレット特徴（４４０１）によって拘束されるようにサイズ決定および成形されてもよい。連結コレット特徴（４４０１）は、次に、シース（４４０４）に少なくとも部分的に取り囲まれる。連結コレット特徴（４４０１）は、コレット（４４０５）の近位端（４４０３）に引っ掛かり、それにより、コレットを保持する、２つのラッチ（４４０７ａ）および（４４０７ｂ）を含む。コレット（４４０５）を解放することが所望されるときに、連結コレット特徴（４４０１）は、近位に引き抜かれ得、コレット（４４０５）をスリーブ（４４０６）に引き込む（たとえば、それにより、テザーを固定し、ロックする）。ラッチ（４４０７ａ）および（４４０７ｂ）が、もはや拘束されなくなり、したがって、相互から分離してコレット（４４０５）を解放するように、連結コレット特徴は、近位方向にさらに引き抜かれ得る。次いで、ロックデバイス（４４００）のプッシュ部材（図示せず）を使用して、組み合わせたコレットおよびスリーブが配備されてもよい。連結コレット特徴（４４０１）は、図４４Ｃにも示されており、図中、そのコレット連結領域（４４０８）は、長さ（４４０２）を有するものとして示されている。いくつかの変化例では、長さ（４４０２）は、例えば、約０．１インチから約０．７５インチであってもよい。
【０１５５】
コレット配備機構の別の変化例が、図４４Ｂで図示されている。図４４Ｂは、コレット（４４１５）と、スリーブ（４４１６）とを備えるロックデバイス（４４５０）を示す。コレット（４４１５）の近位部分は、デバイス（４４５０）の連結コレット特徴（４４１１）と係合するように構成される溝（４４１３）を有する。連結コレット特徴（４４１１）は、シース（４４１４）に少なくとも部分的に取り囲まれる。シース（４４１４）、ならびにここで説明される任意の他のシースは、編組ポリイミドまたは任意の同様の編組材料、あるいは同等物等の、１つまたは複数の任意の好適に可撓性の材料で形成されてもよい。連結コレット特徴（４４１１）は、溝（４４１３）の中へ嵌合する単一のラッチ（４４１７）を介して、コレット（４４１５）を保持してもよい。
【０１５６】
連結コレット特徴（４４１１）は、図４４Ｄにも示されており、図中、そのコレット連結領域（４４１８）は、長さ（４４１２）を有する。場合によっては、その単一のラッチ（４４１７）を有する連結コレット特徴（４４１１）は、長さ（４４０２）（図４４Ｃ）との長さ（４４１２）（図４４Ｄ）の比較によって実証されるように、その二重ラッチ（４４０７ａ）および（４４０７ｂ）を有する連結コレット特徴（４４０１）よりも短いコレット連結領域を有してもよい。例えば、長さ（４４０２）が約０．５インチであってもよい一方で、長さ（４４１２）は約０．２５インチであってもよい。この長さの違いは、２つ以上のラッチの上でシースを引き抜くことによってコレットを配備することと比較して、１つだけのラッチの上でシースを引き抜くことによってコレットを配備することがより容易であることに起因し得る。コレット連結領域中のラッチの数が増加するにつれて、コレット解放を達成するために必要とされ得るラッチのより大きい外側拡張に適応するために、コレット連結領域の長さも増加し得る。連結コレット特徴のある変化例が説明されているが、連結コレット特徴の他の変化例が、コレットに解放可能に係合するための他の好適な構成を有してもよい。
【０１５７】
ロックデバイスの遠位部分の長さを短縮するために、コレットの幾何学形状および／または連結コレット特徴の他の修正が行われてもよい。例えば、コレットのいくつかの変化例には、遠位キャップ（図４４Ａおよび４４Ｂのドーム形構造）がなくてもよい。
【０１５８】
コレットを通されたテザーにかかる圧縮力を調整するために、種々のコレットおよび／またはシース寸法の修正も行われてもよい。一実施例として、図４４Ｅは、シース（４４２１）によって拘束された本体（４４２３）を有するコレットを示す。コレット本体（４４２３）が寸法（４４２４）を有するスリット（４４２５）を有する一方で、コレット本体（４４２３）は寸法（４４２２）を有する。加えて、シース（４４２１）は、内径（４４２０）を有する。コレット本体（４４２３）の寸法（４４２２）に対してシース（４４２１）の内径（４４２０）を修正することにより、コレット（４４２３）のスリット（４４２５）を通されたテザーにかかる圧縮力を改変してもよい。いくつかの変化例では、内径（４４２０）および寸法（４４２２）は、両方とも０．０８５インチであってもよく、または寸法（４４２２）は、内径（４４２０）よりも小さくてもよく、それは、テザーにかかる圧縮力を低減してもよい。ある変化例では、シース（４４２１）は、第１および第２の内径を有してもよく、その場合、第１の内径は、コレットを受容するために好適なサイズであり、第２の内径は、所望の圧縮力でコレットを保持するために好適なサイズである。いくつかの変化例では、シースは、１つ以上の弾性材料を含んでもよい。スリット寸法（４４２４）を修正することによっても、テザーにかかる圧縮力を改変してもよい。スリット寸法（４４２４）は、任意の適切な値（例えば、０．００６インチ）を有してもよく、その場合、より小さい幅が、より大きい圧縮力をもたらしてもよい一方で、より大きい幅は、より小さい圧縮力をもたらしてもよい。
【０１５９】
代替として、または加えて、スリット（４４２５）を介して、コレットを通されたテザーにかかる異なるレベルの圧縮力を達成するために、コレットの他の特徴が修正されてもよい。また、ある修正が、コレットのスリット（４４２５）内でテザーを固定し、ロックすることに役立ってもよい。例えば、増加した表面摩擦を有する材料が、コレットを形成するために使用されてもよく、スリットの中の表面摩擦が増加させられてもよく、テザー上の表面摩擦を増加させるために、テザーが被覆または別様に修正されてもよく、および／またはテザーが比較的大きい直径を有してもよい。これらの修正または他の適切な修正等の修正は、テザーにかかるコレットの圧縮力（またはコレットの中でテザーを保持するために関連する他の力）が、例えば、約２ｌｂｓであってもよい、使用中に持続される力に耐えることに十分であることを確実にするために、コレット、シース、および／またはテザーに行われてもよい。
【０１６０】
テザーを締付けるために使用されるコレットは、任意の適切な構成を有してもよい。上記で示されるように、いくつかの変化例では、スリーブは、テザー上でコレットを偏心的に締付けるために使用されてもよい。例えば、図４５Ａ−４５Ｆは、分岐突起（４５０３）と、それを通る管腔（４５０７）とを備えるコレット（４５０２）を備える、デバイス（４５００）を図示する。管腔（４５０７）は、図示されるように、コレット（４５０２）の縦方向アクセスに沿って配向されてもよく、または任意の他の好適な様式で配向されてもよい。図４５Ａは、コレット（４５０２）の全長に沿って延在する管腔（４５０７）を図示するが、他の変化例では、管腔は、コレットの一部分のみを通って延在してもよく、および／またはコレットは、複数の（例えば、２つ、３つ、４つ、５つ）管腔を有してもよい。ロックデバイス（４５００）はまた、分岐突起（４５０３）を保持するようにサイズ決定および成形される開口（４５０５）を含むスリーブ（４５０４）も備える。図４５Ａおよび４５Ｃに示されるように、使用中、テザー（４５１０）は、スリーブ（４５０４）の開口（４５０５）を通して、コレット（４５０２）の管腔（４５０７）を通して送られてもよい。
【０１６１】
いくつかの変化例では、ロックデバイス（４５００）は、また、細長い管状部材（４５０６）を備えてもよく、コレット（４５０２）およびスリーブ（４５０４）の両方は、図４５Ｂおよび４５Ｃに示されるように、細長い管状部材内に含有されてもよい。図４５Ｂおよび４５Ｃは、コレット（４５０２）の配備前の、コレット（４５０２）、スリーブ（４５０４）、および細長い管状部材（４５０６）の可能な配設を図示する。ここで図４５Ｄを参照すると、１つの配備の方法によれば、コレット（４５０２）、スリーブ（４５０４）、および棒（４５０８）は、少なくとも部分的に細長い管状部材（４５０６）の内側に配設されてもよい。テザー（４５１０）は、テザーの一部分が分岐突起（４５０３）を通過するように、スリーブ（４５０４）およびコレット（４５０２）を通されてもよい。テザーは、スリーブおよびコレットを通される前に引張られてもよく、および／またはそのように通した後に引張られてもよい。テザー（４５１０）を固定するためには、スリーブ（４５０４）に向かってコレット（４５０２）を押すように、棒（４５０８）が遠位方向に作動させられてもよく、それにより、分岐突起（４５０３）をスリーブ（４５０４）の開口（４５０５）と係合させる。結果として、図４５Ｅに示されるように、テザー（４５１０）が締付けられ得る。分岐突起（４５０３）は、任意の好適な機構によって、スリーブ（４５０４）の開口（４５０５）内に固定されてもよい。例えば、分岐突起（４５０３）は、開口（４５０５）とスナップ嵌合または摩擦嵌合を形成してもよい。図４５Ｆで図示されるように、一旦結果として生じるコレット・スリーブアセンブリ（４５２０）が、テザー（４５１０）をしっかりと固定すると、細長い管状部材（４５０６）は、引き抜かれてもよく、および／またはコレット・スリーブアセンブリ（４５２０）は、棒（４５０８）をさらに遠位に前進させることによって、細長い管状部材（４５０６）から押し出されてもよい。
【０１６２】
図４５Ｇで説明されるように、いくつかの変化例では、コレットを備えるロックデバイスは、また、コレットとロックデバイスのコレットスリーブとの間の相互作用を促進してもよいコレット連結器を備えてもよい。図４５Ｇは、コレット連結器（４５５６）（示されるように、突起（４５５９）を備えるが、他の適切な構成が使用されてもよい）を備える、ロックデバイス（４５５０）を示す。コレット（４５５２）は、コレット連結器（４５５６）の突起（４５５９）と機械的に連結するように成形される曲線溝（４５５１）を備える。コレット連結器（４５５６）は、さらに、スリット（４５６４）と、突起（４５５９）および溝（４５５１）に係合する働きをし、それにより、コレット（４５５２）をコレット連結器（４５５６）によって保持させ得るバネ（４５５８）とを備える。バネ（４５５８）は、曲線溝（４５５１）内に突起（４５５９）を楔着する力を印加することによって、コレット（４５５２）をコレット連結器（４５５６）上に係合することに役立ち得る（例えば、バネ荷重圧縮力が曲線溝（４５５１）内に突起（４５５９）を保持してもよい）。
【０１６３】
使用中に、テザー（４５６０）は、コレット（４５５２）を通ってコレット連結器（４５５６）の中へ、スリット（４５６４）を通されてもよい。テザーがコレットおよびコレット連結器を通された後、コレットおよびコレット連結器は、（例えば、僧帽弁修復手技において末端アンカに向かって）遠位に摺動されてもよい。ロックデバイス（４５５０）はまた、プッシュ部材（４５６２）と、スリーブ（４５５４）とを備える。プッシュ部材（４５６２）は、コレット（４５５２）が開口（４５５５）の中に定着されるように、スリーブ（４５５４）を遠位に押すために使用されてもよい。いくつかの変化例では、コレット（４５５２）がスリーブ（４５５４）の中に保持されると圧縮されるように、コレット（４５５２）の直径は、開口（４５５５）の直径よりわずかに大きくてもよい。コレットの圧縮は、テザー（４５６０）を挟持するように作用し、それにより、コレットの中でそれを固定してもよい。テザーの固定中および／または後に、プッシュ部材（４５６２）は、近位に後退させられてもよい。次いで、コレット（４５５２）は、例えば、曲線溝（４５５１）から外へ突起（４５５９）を摺動させながら、バネ（４５５８）を圧縮することによって、コレット連結器（４５５６）から係脱されてもよい。これは、コレット（４５５２）とコレット連結器（４５５６）との間の制御された可逆的な係合を可能にしてもよい。例えば、バネが圧縮されると、コレット（４５５２）は、コレット連結器（４５５６）に対して移動させられ得、バネが拡張されると、コレット（４５５２）は、突起（４５５９）を介してコレット連結器（４５５６）によって保持され得る。格納式バネシステムの一変化例が示されているが、場合によっては、コレット（４５５２）とコレット連結器（４５５６）との間の係合を制御するために、格納式バネシステムの他の好適な変化例が使用されてもよい。
【０１６４】
スリーブが示され、説明されているが、いくつかの変化例では、スリーブを使用することなく、テザーをロックするためにコレットが使用されてもよい。そのようなコレットは、例えば、テザーを受容するように一時的に拡張され、次いで、テザーをロックするようにテザー上に再び折り重なることが可能となってもよい。一実施例として、図４６Ａおよび４６Ｂは、細長い管状部材（４６０６）と、マンドレル（４６０４）と、コレット（４６０２）とを備えるロックデバイス（４６００）を示す。マンドレル（４６０４）は、細長い管状部材（４６０６）内に配置され、また、コレット（４６０２）の突起（４６０５）の間に挿入される。示されるように、マンドレル（４６０４）は、テザーの通過に対してサイズ決定および成形される、それを通る縦管腔（４６０７）を有してもよい。マンドレルは、図４６Ａに示されるように、略円筒形であってもよく（マンドレルが実際に２つの円筒形部分を備える）、または任意の他の好適な幾何学形状を有してもよい（例えば、長方形、三角形、または同等物）。
【０１６５】
コレット（４６０２）は、開放構成（図４６Ａ）と、閉鎖構成（図４６Ｂ）とを有する。開放構成では、突起（４６０５）が相互に接触しておらず、テザー（４６１０）がコレット（４６０２）を通って摺動し得る。対照的に、閉鎖構成では、突起（４６０５）が相互に接触し、それにより、適所にテザー（４６１０）をロックする。任意の好適な機構が、コレット（４６０２）をその開放構成からその閉鎖構成に変換するために使用されてもよい。１つの機構によれば、コレット（４６０２）が、図４６Ｂに示されるように、突起（４６０５）が相互に完全に接触する弛緩状態（すなわち、閉鎖構成）を有するように、コレット（４６０２）は、弾性または形状記憶材料、例えば、Ｎｉｔｉｎｏｌ等のニッケル・チタン合金で形成されてもよい。コレットは、突起（４６０５）の間にマンドレル（４６０４）を楔着することによって、図４６Ａに示されるような開放構成に変換されてもよい。開放構成では、テザー（４６１０）は、コレット（４６０２）を通って摺動可能であってもよい。コレット（４６０２）内にテザー（４６１０）を固定するために、マンドレル（４６０４）は、もはや突起（４６０５）の間に位置しなくなるように、近位に引き出されてもよい。そのような引き出し中に、テザーは、例えば、それも引き出されないように、適所に担持されてもよい（例えば、締付けられる）。図４６Ｂで図示されるように、マンドレルがない場合、突起（４６０５）は、相互に接触し、それにより、テザー（４６１０）を締付けるように閉鎖し得る。
【０１６６】
図４６Ｃおよび４６Ｄは、それぞれ、スリーブレスコレット（４６５０）および（４６８０）の付加的な変化例をそれぞれ示す。スリーブレスコレット（４６５０）は、それを通るテザー（４６５２）の通過のためにサイズ決定および成形される水平スロット（４６５４）および垂直スロット（４６５６）を有し、スリーブレスコレット（４６８０）は、それを通るテザー（４６８２）の通過のためにサイズ決定および成形される水平スロット（４６８４）を有する。コレットは、水平スロットに展開マンドレルを押し込むことによって、および／または、展開マンドレル上にコレットを装填することによって、一時的に拡張され得る。スリーブレスコレットは、例えば、バネ鋼および／または１つ以上の他の好適な材料で形成されてもよい。
【０１６７】
テザーロックデバイスのさらに他の変化例が使用されてもよい。いくつかの変化例では、ロックデバイスは、テザー上で摺動され、次いで、内側に捕捉されたテザーとともに適所に圧着される単一部品のロック構成要素を備えてもよい。より小さい直径を有するカテーテルにロック構成要素を引き込むことによって、ロック構成要素が折り畳まれてもよいように、ロック構成要素は、例えば、可鍛性金属で形成されてもよい。別の実施例として、ポリマーロック構成要素が、カテーテルに引き込まれると、ともにスナップ留めしてロックするように構成されてもよい。ある変化例では、ロック構成要素が、送達中に開放して保たれ、次いで、テザーをロックするようにテザー上に折り重なることが可能となってもよいように、ロック構成要素は、形状記憶合金（例えば、Ｎｉｔｉｎｏｌ）で形成されてもよい。
【０１６８】
いくつかの変化例では、ロック構成要素は、カテーテルシャフトによって支えられて開いている自己折り畳み式管の形態であってもよい。使用時に、管は、管が折り重なり、テザーを締付けることを可能にするように、カテーテルシャフトから押し外されてもよい。管は、例えば、バネ状材料（例えば、Ｎｉｔｉｎｏｌ）または任意の他の好適な材料でできていてもよい。いくつかの変化例では、管は、最初に、楕円形断面を有してもよい。ある変化例では、管は、管の内側のあらゆる間隙を充填する、１つ以上のポリマー（例えば、ポリウレタン）でできている裏地を備えてもよい。管は、カテーテルシャフトによって、より円形の形状に支えられて開いていてもよい。テザーは、テザー上でカテーテルシャフトを前進させることによって、管がテザー上で標的ロック部位まで前進させられてもよいように、カテーテルシャフトの内側管腔を自由に通り抜けてもよい。標的ロック部位では、締め上げ効果を提供するために、引張力がテザーに印加されてもよく、次いで、管が送達カテーテルシャフトから押し外され、テザー上に折り重なってもよい。
【０１６９】
いくつかの変化例では、テザーロック効果は、外側管に対してテザーを締付けるように外向きに拡張するバネ要素を配備することによって、達成されてもよい。例えば、ロックデバイスは、内側バネ要素と外側管との間の空間を支えるカテーテルシャフトとともに、外側管内に配置される内側バネ要素を備えてもよい。使用中に、テザーは、カテーテルシャフトの内側管腔を通して送られてもよく、管・バネの組み合わせは、カテーテルシャフトの圧縮効果を除去し、バネが外向きに拡張することを可能にし、それにより、外側管に対してテザーを締付けるように、カテーテルシャフトの端から押し外されてもよい。
【０１７０】
テザーロック管状部材のある変化例が示されているが、テザーをロックするために、管状部材の付加的な変化例が使用されてもよい。一実施例として、図４７Ａおよび４７Ｂは、ロック管（４７００）を示す。ロック管（４７００）は、壁部分（４７０２）と、管腔（４７０４）とを備える。４つの開口（４７０６）、（４７０８）、（４７１０）、および（４７１２）が、壁部分（４７０２）に形成される。開口のうちの２つ（４７０６）および（４７１０）が、略円形である一方で、他の２つの開口（４７０８）および（４７１２）は、馬蹄形である。使用時に、テザーは、開口のうちの少なくとも１つを通され得る。馬蹄形の開口のうちの１つ以上を通してテザーを通すことは、少なくとも、テザーが１つまたは複数の開口の壁によって多少圧縮され得るので、テザーを固定することに役立ち得る。加えて、いくつかの変化例では、ロック効果は、例えば、１つの方向（例えば、図４７Ａの矢印（４７０３）の方向）に馬蹄形の開口のうちの１つを通してテザーを通し、次いで、馬蹄形を効果的にテザーに食い込ませて固定させるように、反対方向にテザーを引くことによって増進されてもよい。示されていないが、ある変化例では、テザーに付加的なロック効果を提供するために、プラグがロック管の管腔の中へ前進させられてもよい。
【０１７１】
図４７Ａおよび４７Ｂはロック管の一変化例を示すが、他の変化例が使用されてもよい。例えば、図４８が、馬蹄形の開口（４８０２）および（４８０４）のみを有するロック管（４８００）を示す一方で、図４９は、細長いスリット（４９０２）、（４９０４）、（４９０６）、および（４９０８）のみを有するロック管（４９００）を示す。ロック管は、任意の好適な数、組み合わせ、サイズ、形状、および開口の構成（例えば、穴、スリット等）を有してもよい。
【０１７２】
図５０Ａおよび５０Ｂは、ロックデバイスの付加的な変化例を示す。示されるように、ロックデバイス（５０００）は、第１端（５００４）および第２端（５００６）と、その間のストラップ（５００８）とを有する細片（５００２）を備えるバックル構成を有する。テザー（５０１０）は、細片（５００２）の表面（５０２０）および（５０２２）の上で、かつストラップ（５００８）の下に送られている。第２端（５００６）は、第１端（５００４）（図５０Ａ）に向かって矢印（Ａ３）の方向に移動して、それ自体の上に細片を閉鎖し、それにより、テザー（５０１０）（図５０Ｂ）を固定するように優先的に跳ね上げられる。テザーは、細片がそれ自体の上に閉鎖するにつれて、直線構成から自由に摺動しにくい巻き込み構成にテザーを変換するので固定され得る。いくつかの変化例では、第１端（５００４）および／または第２端（５００６）は、第１端を第２端に固定することに役立ち、それにより、テザーのロックを強化する１つ以上の特徴を備えてもよい。ある変化例では、第２端（５００６）は、ロックデバイス（５０００）がカテーテル等の送達デバイスから配備されると、第１端（５００４）に向かって移動するように構成されてもよい。
【０１７３】
テザーをロックするように相互に向かって閉鎖する異なる部分を備える、ロックデバイスの他の変化例が使用されてもよい。例えば、図５０Ｃ−５０Ｆは、溝（５０５２）と、歯（５０５４）と、開口（５０５６）を含むヒンジ（５０５８）と、テザー受容域（５０５５）とを有する、本体（５０５１）を備えるロックデバイス（５０４０）を図示する。示されるように、溝（５０５２）および歯（５０５４）は、スナップ嵌合を形成するようにサイズ決定および成形される。しかしながら、他の変化例では、ロックデバイスの異なる部分が、摩擦嵌合または任意の他の好適な機構によって連結してもよい。図５０Ｃおよび５０Ｄの両方を参照すると、テザー（５０６０）は、テザー受容域（５０５５）を通過し、ロックデバイス（５０４０）の長さを通過し、開口（５０５６）を通過するように通され得る。開放構成であるときに、歯（５０５４）は、溝（５０５２）の中で完全に係合されなくてもよく、または溝（５０５２）の中で全く係合されなくてもよく、ロックデバイスは、テザー上を摺動可能であってもよい。閉鎖構成では、テザー（５０６０）は、相互に向かって部分（５０５０）および（５０６２）を移動させ、テザー受容域（５０５５）の中に突起（５０５３）を設置し、それにより、テザーを締付けることによって固定されてもよい。ロックデバイス（５０４０）は、種々の機構によって閉鎖構成を成してもよい。例えば、いくつかの変化例では、ロックデバイス（５０４０）は、管状部材内に配置されてもよく、デバイスを閉鎖するように管状部材の中でウェッジに対して前進させられてもよい。ロックデバイスは、例えば、スナップ嵌合を形成するように、歯（５０５４）が溝（５０５２）に挿入されると、その閉鎖構成で保持されてもよい。ロックデバイス（５０４０）は、任意の適切な方法を使用して製造されてもよい。例えば、いくつかの変化例では、ロックデバイス（５０４０）は、図５０Ｅの扁平構成で示されるような、単一の成形プラスチックまたは金属部品から形成されてもよい。ヒンジ（５０５８）は、例えば、点線（５０６１）に沿って部品を屈曲させることによって形成されてもよい。
【０１７４】
図５０Ｆは、テザー（５０６０）を固定するためにロックデバイス（５０４０）を使用する方法の一変化例を図示する。そこで示されるように、管状部材（５０６５）の内径が矢印（５０６７）の方向に減少するように、ロックデバイス（５０４０）は、角度が付いた壁（５０６４）を有する管状部材（５０６５）内に、少なくとも部分的に配置されてもよい。引張特徴（５０７０）が、ロック特徴（５０４０）に解放可能に連結されてもよい。引張特徴（５０７０）が矢印（５０６７）の方向に（例えば、近位に）引き出されるにつれて、ロックデバイス（５０４０）は、より大きい直径を有する管状部材の領域から、より小さい直径を有する領域まで、角度が付いた壁（５０６４）に沿って前進させられ得る。ロックデバイスが、より小さい直径を有する領域に押し込まれるにつれて、ロックデバイスは、歯（５０５４）および溝（５０５２）が相互に固定されるように圧縮され得る。歯と溝との間の係合は、テザー（５０６０）上にロックデバイスをしっかりと固定し得る。いくつかの変化例では、次いで、（例えば、引張特徴を引張ることによって）矢印（５０６７）の方向に引張特徴（５０７０）を作動させることにより、ロックデバイス（５０４０）を引張特徴から分断させてもよい。しかしながら、代替として、または加えて、引張特徴および／または管状部材からロックデバイスを分断するために、他の好適な機構が使用されてもよい。一実施例として、いくつかの変化例では、引張特徴は、十分な力が印加されると壊れ得る壊れやすい領域または穿孔領域によって、ロックデバイスに取り付けられてもよい。別の実施例では、ある変化例では、引張特徴とロックデバイスとの間の接続を切断するために切断要素が使用されてもよい。
【０１７５】
いくつかの変化例では、図５１Ａおよび５１Ｂで概略的に示されるように、ロックデバイス（５１００）は、部材の中の開口（ここでは、それぞれ開口（５１０６）および（５１０８））を通して送られるテザーを固定するために、相互に対して移動することが可能である２つ以上の部材（ここでは、プレート（５１０２）および（５１０４））を備えてもよい。ロックデバイス（５１００）がそのロック構成（図５１Ａ）にあるときに、プレートは、それらの開口が一直線に整列させられないように設置される。結果として、開口を通して送られるテザー（５１１０）は、デバイスによって効果的にロックされ得る。ロックデバイス（５１００）は、また、開口（５１０６）および（５１０８）が一直線に整列させられる開放構成（図５１Ｂ）も有する。この直線整列は、テザーが開口をより自由に通過することを可能にし、それにより、テザーを効果的に解除し得る。テザーをロックおよび解除するために、開口を整列させ、整列から開口を外すというこの概念を組み込む、デバイスの異なる構成が使用されてもよい。テザーは、そのような場合において、いくぶん引きひものように機能してもよい。
【０１７６】
ある場合では、複数（すなわち、少なくとも２つの）テザーが、ともに巻装され、ロック効果を提供するように効果的に絡められてもよい。これは、例えば、各テザーが脚部に連結されているＹ字形棒等の、カテーテル上の巻装特徴にテザーを一時的に連結することによって、達成されてもよい。次いで、棒は、テザーをともに巻装するように（例えば、複数の軸上で）回転させられてもよい。
【０１７７】
いくつかの変化例では、テザーは、適所でテザーを効果的にロックする特徴を有してもよい。一実施例として、図５２は、その端（５２０４）のうちの１つにおいて球形部材（５２０２）を有するテザー（５２００）を示す。球形部材は、例えば、テザーが連結されるアンカの１つ以上の小穴をテザーが通過することを防止してもよい。ある変化例では、例えば、テザーをロックするロックデバイスが故障した場合に、球形部材は、テザーが完全に解除されることを防止し得る。球形部材（５２０２）は、例えば、（例えば、生体内で）テザー（５２００）の端に接着剤（例えば、フィブリン、ヒドロゲル等）を塗布することによって形成されてもよい。球形部材が示されているが、代替として、または加えて、他の適切な構成が使用されてもよい。また、いくつかの変化例では、テザーとロックデバイス構成要素のうちの１つ以上との間の摩擦を増加させることに役立つように、（例えば、生体内で切断要素を使用して）テザーが擦り切れさせられてもよく、それによってテザーの固定を向上させる。
【０１７８】
図５３Ａおよび５３Ｂは、テザーをロックするために使用され得るカムベースのロック機構を図示する。そこで示されるように、カムベースのロック機構（５３００）は、第１の構成要素（５３０２）と、第２の構成要素（５３０４）とを備える。図５３Ａは、第１の構成要素（５３０２）と第２の構成要素（５３０４）との間に配置されたテザー（５３０６）が構成要素の間を自由に移動することができるときの解除状態の機構を示す。しかしながら、第２の構成要素（５３０４）は、矢印（Ａ４）の矢印に回転させられると、図５３Ｂに示されるように、テザー（５３０６）に係合し、第１の構成要素（５３０２）に対してテザーをロックする。いくつかの変化例では、第２の構成要素（５３０４）は、最初に、矢印（Ａ４）の方向とは反対の方向に回転させられ得、次いで、テザーを固定するために解放され得る。１つのカムベースのロック機構が示されているが、ある変化例では、ロックデバイスは、２つ以上のカムベースのロック機構、または１つ以上の他の種類のロック機構と組み合わせた少なくとも１つのカムベースのロック機構を備えてもよい。
【０１７９】
図５４は、ロックデバイス（５４００）の別の変化例を示す。ロックデバイス（５４００）は、可撓性細片（５４０６）によって第２の管状部材（５４０４）によって接続される第１の管状部材（５４０２）を備える。管状部材のうちの一方が、時計回り方向に回転させられる一方で、他方の管状部材は、反時計回り方向に回転させられ（矢印によって示されるように）、管状部材を通されたテザー（５４０８）がロックされ得る。管状部材の回転は、管状部材を相互に対して軸外にさせ得る。いくつかの変化例では、可撓性細片（５４０６）は、例えば、Ｎｉｔｉｎｏｌでできていてもよく、回転を生成するように形状設定されてもよい。最初に、ロックデバイス（５４００）は、管状部材（５４０２）および（５４０４）の軸が整列された状態で、カテーテル内に拘束されてもよい。これは、例えば、管状部材の内部の整列棒、管状部材の外部の整列スリーブ、および／または管状部材の端を整列構成で維持するカテーテル内の１つ以上の整列特徴を使用することによって、達成されてもよい。ロックデバイス（５４００）がカテーテルから解放された後に、管状部材（５４０２）および（５４０４）が相互に対して軸外にあるように、可撓性細片（５４０６）がその非拘束位置に跳ね返ってもよい。同じ効果は、ポリマー可撓性細片を使用することによって達成することができる。ポリマー可撓性細片は、非拘束状態において、管状部材が相互に対して軸外にあるように成形または形状設定されてもよい。
【０１８０】
いくつかの方法は、テザーをロックするためにテザーを締付けるステップを含んでもよい。一実施例として、図５５は、締付け部材（５５０２）と、管腔（５５０６）の中で締付け部材を受容するように構成される管状部材（５５０４）とを備えるロックデバイス（５５００）を示す。締付け部材（５５０２）は、細長い操作部材（５５１１）に接続されるジョー（５５０８）および（５５１０）を備える。ジョー（５５０８）および（５５１０）は、歯（５５１６）と、棒（５５１８）とを備える、部分（５５１２）および（５５１４）を有する。ジョー（５５０８）および（５５１０）はそれぞれ、一部分のみに歯を有するが、いくつかの変化例では、ジョーは、それらの全長に沿って歯を有してもよく、または複数の異なる部分に歯を有してもよい。細長い操作部材は、管状部材の管腔からジョーを押し出すように押されてもよく、または管状部材の管腔に締付けアームを引き込むように引かれてもよい。ジョーは、管状部材の外側のテザー（図示せず）を締付けるために使用されてもよく、次いで、テザー上に締付けを維持するために、管状部材の管腔の中へ後退させられてもよい。より具体的には、管状部材は、ジョーを押下し、次いで、それらを相互に向かって締付けられた状態に保つことによって、テザーをロック位置に維持することに役立ち得る。ロックデバイス（５５００）は、例えば、１つ以上のテザーの比較的容易に制御されたロックを提供してもよい。
【０１８１】
さらに他のロックデバイスが採用されてもよい。例えば、図５６Ａは、管腔（５６０４）を備える管状部材（５６０２）と、管状部材の管腔内に配置されるコイル（５６０６）とを備えるロックデバイス（５６００）を示す。コイル自体は、テザー（５６０８）が通されている管腔（図示せず）を有する。コイルは、管状部材の管腔内に配置されているとき、その１次構成にある（図５６Ａ）。図５６Ｂに示されるように、コイルは、管状部材の管腔内にもはや配置されなくなると、（例えば、管状部材がコイルから引き出された、および／またはコイルが管状部材の管腔から押し出された後に）２次構成を成す。１次および２次構成を有するコイルは、例えば、最初に１次マンドレル上で、次いで２次マンドレルまたは成形ブロック上で、コイルを熱成形することによって形成されてもよい。図５６Ｂに示された２次構成は、らせん状であり、テザーの運動が制限されてもよいように、テザーを巻き上げさせる。したがって、テザーは、コイルによってロックされ得る。コイルは、異なる２次構成を有してもよい。例えば、図５７は、コイルの管腔（図示せず）を通して送られるテザー（５７０２）をロックする円錐の２次構成を有するコイル（５７００）を示す。いくつかの変化例では、テザーは、自然にコイル状になるように構成されてもよい。例えば、テザーは、熱成形を使用して事前形成されてもよく、マンドレルは、テザーを一時的に直線に保つように、テザーの中心を通して送られてもよい。マンドレルは、テザーがコイル状になることが所望される場合、後において除去されてもよい。
【０１８２】
いくつかの方法では、ロックデバイス、切断デバイス、またはロックおよび切断デバイスの組み合わせ等のデバイスに、テザーを装填することが必要であってもよい。この装填を達成するために、種々の方法および／またはデバイスが使用されてもよい。
【０１８３】
一実施例として、ここで図５８Ａおよび５８Ｂを参照すると、いくつかの変化例では、テザー（５８３４）は、一方の端にループ（５８０６）を備えるラッソ（ｌａｓｓｏ）（５８０４）を使用して、デバイス（５８００）の中に装填されてもよい。テザー（５８３４）の一方の端は、ラッソ（５８０４）のループ（５８０６）を通される。次いで、ラッソ（５８０４）は、デバイス（５８００）にテザー（５８３４）を装填するために、デバイス（５８００）の縦軸に沿って引かれ得る（図５８Ａ）。図５８Ｂに示された代替的実装では、デバイスにテザー（５８８０）を装填するために、ループ（５８５５）を有するラッソ（５８５４）が、デバイス（５８５０）の中の側孔（５８５８）を通して引かれてもよい。デバイス（５８００）またはデバイス（５８５０）は、（以下でさらに詳細に説明されるように）ロックおよび／または切断等の１つ以上の機能を果たすために使用されてもよい。ラッソは、例えば、ワイヤ、縫合糸、ケーブル、ひも、またはモノフィラメント等の、従来の材料からできていてもよい。ラッソは、ループ（図５８Ａおよび５８Ｂに示されるような）、フック、コイル、管、穴を有する細長い要素、またはテザーを「把持」することができる任意の他の構造あるいは材料を備えてもよい。
【０１８４】
ロックデバイスにテザーを装填するテザー装填デバイスの使用が説明されているが、そのようなテザー装填デバイスは、切断デバイスまたはロックおよび切断デバイスの組み合わせにテザーを装填すること等の、他の用途を有してもよい（以下でさらに詳細に説明される）。他の用途も該当してもよい。また、ロックデバイスに関して本明細書で説明される特徴のうちのいずれかも、適宜に、切断デバイスで、または複合ロックおよび切断デバイスで使用されてもよい。
【０１８５】
加えて、テザー装填デバイスのある変化例が説明されているが、ロックデバイスおよび／または他のデバイスにテザーを装填するために、デバイスの他の変化例が使用されてもよい。例えば、いくつかの変化例では、テザーは、磁性構成要素を使用して、ロックデバイスまたは切断デバイス等のデバイスに装填されてもよい。一実施例として、図５８Ｃは、それを通るテザー（５８２４）の通過に対してサイズ決定および成形される２つの開口（５８２７）および（５８２８）を含む、ロックデバイス（５８２６）の一変化例を示す。テザー（５８２４）は、その先端に第１の磁性構成要素（５８２２）を備える。第１の磁性構成要素（５８２２）は、（第１の極性の）磁石または１つ以上の磁性材料（例えば、ニッケルまたはコバルト等の金属、金属合金、それらの組み合わせ、または同等物）を含んでもよい。第２の磁性構成要素は、ロックデバイスの開口に近接して位置してもよい。例えば、図５８Ｃでは、第２の磁性構成要素（５８２１）は、開口（５８２８）の付近で、ロックデバイス（５８２６）の外面上に位置する。第２の磁性構成要素（５８２１）は、例えば、第１の磁性構成要素（５８２２）の反対極性の磁石であってもよく、または、第１の磁性構成要素（５８２２）を実質的に引きつける、１つまたは複数の任意の磁性材料を含んでもよい。いくつかの変化例では、第２の磁性構成要素（５８２１）は、図５８Ｃに示されるように、ロックデバイス（５８２６）に直接取り付けられてもよい。磁性構成要素（５８２２）および（５８２１）は、放射線不透過性であってもよく、それは、Ｘ線透視法を使用して、ロックデバイス（５８２６）の場所が追跡されることを可能にしてもよい。代替として、または加えて、他の適切な画像診断法が使用されてもよい。
【０１８６】
使用中に、テザー（５８２４）は、例えば、開口（５８２７）を通してテザーを挿入し、第１および第２の磁性構成要素（５８２２）および（５８２１）の間の誘引によって誘導され得るテザーを前進させることによって、ロックデバイス（５８２６）を通されてもよい。テザー（５８２４）およびロックデバイス（５８２６）は、特定の位置に１つの磁性構成要素をそれぞれ有するものとして示されているが、ロックデバイスおよびテザーの他の変化例は、異なる数および／または配設の磁性構成要素を有してもよい。いくつかの変化例では、磁性構成要素およびそれらの構成は、ロックデバイスを通るテザーの所望の経路指定に基づいて選択されてもよい。また、ロックデバイスを通るテザーの経路は、誘引および反発磁力の両方を使用して決定されてもよい。
【０１８７】
状況によっては、患者に磁性材料を導入することが不適切であるか、または望ましくない場合がある。いくつかのそのような場合において、図５８Ｄに示されるように、ロックデバイス（５８３６）は、ロックデバイスが被検体の体外にあるときに（すなわち、取外し可能な磁性構成要素が被検体の体内に埋め込まれないように）、ロックデバイスの一部となることのみを目的とする、取外し可能な磁性構成要素（５８２３）を備えてもよい。ロックデバイス（５８３６）が患者に挿入される前に、取外し可能な磁性構成要素（５８２３）は、開口（５８３７）から開口（５８３８）までテザー（５８２４）を通すために使用されてもよい。一旦所望のテザー経路が捕捉されると、取外し可能な磁性構成要素（５８２３）がロックデバイス（５８３６）から除去されてもよく、次いで、ロックデバイスが被検体の体内で使用されてもよい。取外し可能な磁性構成要素を有するロックデバイスの一変化例が説明されているが、他の好適な変化例も使用されてもよいことを理解されたい。いくつかの変化例では、テザーも１つ以上の磁石を備えるときに、ロックデバイスを通してテザーを通すために、磁性「ワンド」（例えば、その遠位端に磁石を有する細長い部材を備える）が使用されてもよい。
【０１８８】
テザーは、いくつかの異なる構成のうちのいずれかによって、ロックデバイスまたは切断デバイス等のデバイスを通して送られてもよい。例えば、図５９Ａおよび５９Ｂは、ロックデバイスの変化例（示されるように、ロックカテーテル（５９００））を示す。ロックカテーテル（５９００）は、それに形成される４つの開口（５９０４）、（５９０６）、（５９０８）、および（５９１０）を有する壁（５９１２）を有する管状部材（５９０２）を含む。例えば、テザーの引張力を維持するため、および切断のためにテザーを安定させるために、ロックカテーテル（５９００）等のロックカテーテルが使用されてもよい。図５９Ａおよび５９Ｂでは、テザー（５９１４）は、開口（５９０４）、（５９０６）、（５９０８）、および（５９１０）を通して、ロックカテーテル（５９００）の中へ通されている。テザーは、例えば、上記で説明されるラッソのうちの１つ等のラッソを使用して、ロックカテーテルの中へ通されてもよい。ラッソは、ロックカテーテルの中の開口を通るラッソの操縦性を向上し得る比較的可撓性のループを有してもよい。
【０１８９】
ロックカテーテル（５９００）は、それを通してテザー（５９１４）が通される４つの開口を含むものとして示されているが、ロックカテーテルは、他の数の開口を含むことができる。例えば、ロックカテーテルのいくつかの変化例が、より少ない開口（例えば、２つの開口）を含んでもよい一方で、ロックカテーテルの他の変化例は、より多くの開口（例えば、６つの開口、８つの開口等）を含んでもよい。ロックカテーテルの中の開口の数が増加するにつれて、開口を通されるテザーの移動の可能性が減少し得る。
【０１９０】
上述のように、テザーは、任意の適切なテザー経路指定構成で、管状部材または他の細長い部材を通して送られてもよい。テザー経路指定構成の異なる非限定的実施例が、例えば、図６０Ａ−６０Ｒに示されている。そこで示されるように、テザーの近位端が図の右側に位置する図６０Ｒを除いて、各テザーの近位端は、図の左側に位置する。
【０１９１】
図６０Ａは、ループ（６００５）を形成するように管状部材（６００８）の壁部分（６００６）の中の２つの開口（６００２）および（６００４）を通して送られるテザー（６０００）を示す。図６０Ｂのテザー（６０１０）も、ループ（６０１１）を形成するが、管状部材（６０２０）の壁部分（６０１８）の中の３つの開口（６０１２）、（６０１４）、および（６０１６）を通して送られる。図６０Ｃは、ループ（６０２３）を形成するが、また、管状部材（６０３２）の壁部分（６０３０）の中の３つの開口（６０２４）、（６０２６）、および（６０２８）を通して送られるテザー（６０２２）を同様に示す。
【０１９２】
図６０Ｄは、管状部材（６０４１）の壁部分（６０４０）の中の２つの開口（６０３６）および（６０３８）を通して、また、開口（６０３６）および（６０３８）の向かいの第３の開口（６０４２）を通しても送られるテザー（６０３４）を示す。図６０Ｅでは、テザー（６０４４）は、管状部材（６０５２）の壁部分（６０５０）の中の４つの開口（６０４６）、（６０４７）、（６０４８）、および（６０４９）を通して送られる。テザーは、任意の適切なサイズおよび／または形状を有する任意の数の開口を通して送られ得る。それを通してテザーが送られる１つまたは複数の開口の数、サイズ、および／または形状は、例えば、テザーロックの所望の安全性レベルに基づいて選択されてもよい。
【０１９３】
場合によっては、テザーは、管状部材の管腔の中および外へ、複数回送られてもよい。例えば、図６０Ｆは、テザーが管状部材の管腔（６０５８）に進入するように、管状部材（６０５７）の壁部分（６０５６）の中の第１の開口（６０５５）を通して送られるテザー（６０５４）を示す。次いで、テザー（６０５４）は、壁部分（６０５６）の中の第２の開口（６０５９）を通って管腔を出て、管状部材の遠位端（６０５３）を通って管腔に再進入するようにループして元に戻る。次いで、テザーは、壁部分（６０５６）の第３の開口（６０６０）を通って、もう一度管腔から出る。
【０１９４】
なおさらなるテザー経路指定構成が可能である。例えば、図６０Ｇは、管状部材（６０６４）を通して送られるテザー（６０６２）を示し、図６０Ｈは、管状部材（６０６８）を通して送られるテザー（６０６５）を示し、図６０Ｉは、テザーがその中心部分に沿って摺動可能に係合されたアンカ（６０７６）とともにループ（６０７４）を形成するように、管状部材（６０７２）を通して送られるテザー（６０７０）を示し、図６０Ｊは、管状部材（６０８０）を通して送られるテザー（６０７８）を示し、図６０Ｋは、管状部材（６０８２）を通して送られるテザー（６０８１）を示す。
【０１９５】
種々の異なるロックデバイス構成要素を通る付加的なテザー経路指定構成が採用されてもよい。例えば、図６０Ｌは、ロック管（６０８４）を通り、ロック管と係合されたシース（６０８５）を通して送られるテザー（６０８３）を示し、図６０Ｍは、ロック管（６０８７）を通して送られるテザー（６０８６）を示し、図６０Ｎは、ロック管（６０８９）を通して送られるテザー（６０８８）を示す。図６０Ｏは、テザー経路がロック管の縦軸に対して角度を形成するように、ロック管（６０９７）を通して送られるテザー（６０９６）を示す。角度は、例えば、約５°から約７０°（例えば、約１０°から約４５°、または約４５°）であってもよい。この経路指定構成は、例えば、比較的低い通過力を可能にし得、および／または、テザーの引張力が比較的容易に解放されることを可能にし得る。図６０Ｐは、ロック管（６０９１）を通り、その周囲に送られるテザー（６０９０）を示し、図６０Ｑは、同様に、ロック管（６０９３）を通り、その周囲に送られるテザー（６０９２）を示し、図６０Ｒは、ロック管（６０９５）を通り、かつその周囲に送られるテザー（６０９４）を示す。
【０１９６】
テザーは、ロック管または他のロック部材の管腔または中空部分の中心を通して送られてもよく、または、（例えば、プラグ先端によって穿刺される可能性を限定するように）管腔または中空部分の中心を横断しないように送られてもよい。
【０１９７】
いくつかの変化例では、テザーは、ロック部材（例えば、ロック管）の外面に沿って送られてもよい。テザーは、例えば、外面上の１つ以上の開口および／または溝の中へ、またはそれらを通して送られてもよい。ある変化例では、テザーは、ロック部材（例えば、ロック管）の外面の周囲に巻装されてもよい。ロック部材の外面は、テザーを保持することに役立つ１つ以上の特徴（例えば、鈎、型押し等）を含んでもよい。例えば、外面は、ビーズブラストされてもよい。いくつかの変化例では、テザーは、（例えば、テザーにＲＦエネルギーを印加することによって）ロック部材の外面に溶融されてもよい。代替として、テザーがロック部材の外面と係合しないことが所望される場合、外面は、例えば、超研磨されてもよい。
【０１９８】
場合によっては、ロックデバイスの１つ以上の構成要素は、繋留されたアンカと連結するように構成されてもよい。一実施例として、ロック管は、アンカを受容し、アンカに連結するように構成されるスロットを備えてもよい。これは、例えば、標的部位でロックデバイス構成要素を固定的に設置することに役立ってもよい。
【０１９９】
１つのロックデバイスを使用する方法が説明されているが、１つ以上のテザーをロックするために、複数のロックデバイスが採用されてもよいことを理解されたい。ロックデバイスは、相互に同じか、または相互に異なっていてもよい。
【０２００】
上記で説明されるように、動作中に、テザーを固定してテザーの長さを固定するために、および／またはテザーが移動することを防止するために、ロックデバイスが使用されてもよい。テザーがロックされた後、テザーの過剰な長さが切断され、除去されてもよい。着脱可能なロック部材が使用されるいくつかの変化例では、デバイスの残りの部分からロック部材を着脱する前または後に、過剰な材料を除去するために、テザーが切断されてもよい。概して、テザーは、ロック機構の近位で切断されてもよい。多くの場合において、発生し得る滑動を可能にするために、十分な過剰な長さを残しながら、可能な限りロック機構に接近してテザーを切断することが望ましくてもよい。テザーを切断するために使用されてもよい種々の方法およびデバイスの実施例を、以下でさらに詳細に説明する。
【０２０１】
図６１Ａは、アンカ（６１２６）を通って延在するテザー（６１００）を切断するために使用されてもよい切断デバイス（６１０１）を示す。切断デバイス（６１０１）は、カテーテル（６１０５）と、カテーテル（６１０５）内に配置される管状カッター（６１０７）とを備える。図６１Ａに示されるように、テザー（６１００）は、ロック要素（６１０４）によって固定されており、カテーテルの中の側面開口（６１０６）を通って出るようにカテーテル（６１０５）の中へ通されている。テザー（６１００）は、例えば、上記で説明される方法のうちの１つ以上を含む、任意の好適な方法によって、カテーテル（６１０５）の中へ通されてもよい。管状カッター（６１０７）は、テザーを切断するように十分鋭い、刃（６１０８）を有する。例えば、管状カッター（６１０７）は、尖った刃を有する金属管の形態であってもよい。使用中に、可撓性管または棒に取り付けられ得る管状カッター（６１０７）は、管状カッターが側面開口（６１０６）上を通過するようにカテーテル（６１０５）内を前進させられてもよい。管状カッター（６１０７）がテザー（６１００）上を前進させられるにつれて、管状カッター（６１０７）は、テザーの過剰な部分を削ぎ取る。管状カッター（６１０７）は形状が管状であるが、カッターの他の構成が使用されてもよい。例えば、カッターは、半管状であってもよく（例えば、半パイプと同様の形状を有する）、または任意の他の好適な構成を有してもよい。いくつかの変化例では、カッターは、管状または半管状でなくてもよい。一実施例として、カッターは、平坦ブレードの形態であってもよい。
【０２０２】
いくつかの変化例では、図６１Ｂに示されるように、切断デバイス（６１４３）は、カテーテル（６１４５）と、カテーテルの内面上に設置される基部（６１４９）と、カテーテル内に同心円上に配置される管状カッター（６１４７）とを備える。管状カッター（６１４７）は、テザーを切断するように十分鋭い、刃（６１４８）を有する。カッター（６１４７）は管状であるが、カッターの他の構成が使用されてもよい。基部（６１４９）は、例えば、カテーテル（６１４５）の内面に取り付けられるか、またはカテーテル（６１４５）の内面と一体であるブロックの形態であってもよい。基部（６１４９）は、任意のエラストマーまたは剛性材料等の、１つまたは複数の任意の好適な材料で形成されてもよい。図６１Ｂは、アンカ（６１９０）を通ってカテーテル（６１４５）の中に延在し、カテーテル（６１４５）の中の側面開口（６１４６）を通って延在するテザー（６１３４）を切断するために使用されている切断デバイス（６１４３）を示す。切断される前に、テザー（６１３４）は、ロック要素（６１４４）によって適所に固定される。次いで、管状カッター（６１４７）は、テザー（６１３４）を切断するために前進させられる。管状カッター（６１４７）は、切断テザー（６１３４）において管状カッター（６１４７）を支援する基部（６１４９）に対して前進させられる。いくつかの変化例では、管状カッター（６１４７）は、切断を向上させるために転回または回転させられてもよい。
【０２０３】
管状カッターは、任意の好適な切断刃構成を有してもよい。例えば、管状カッターは、図６１Ｃの管状カッター（６１５５）によって例示されるような勾配付き切断刃、図６１Ｄの管状カッター（６１５６）によって例示されるような尖った外側切断刃、または図６１Ｅの管状カッター（６１５７）によって例示されるような尖った内側切断刃を有してもよい。加えて、管状カッターは、切断に役立つように、その周囲に鋭い突起の鋸歯状または鋸歯パターンを有してもよい。そのような変化例は、例えば、切断過程中に管状カッターが転回または回転させられるときに使用され得る。
【０２０４】
いくつかの変化例では、図６１Ｆに示されるように、管状カッター（６１６０）は、カテーテル（６１６４）の中の側面開口（６１６２）の遠位に設置されてもよい。次いで、管状カッター（６１６０）は、ロック要素（６１７４）によって固定されている、側面開口（６１６２）を通って延在するテザー（６１７０）を切断するために、側面開口（６１６２）に向かう近位方向（実線の矢印によって示される）に引かれてもよい。近位にカッターを引くことにより、テザーを切断する比較的容易および／または効率的な方法、および／または比較的制御されたテザー切断を提供してもよい。
【０２０５】
図６２は、切断デバイスの別の変化例を示す。そこに示されるように、切断デバイス（６２００）は、管腔（６２０３）を有する管状の細長い部材（６２０２）と、細長い部材の管腔内に配置されるカッター（６２０４）とを備える。カッター（６２０４）は、近位方向に対面する切断ブレード（６２０６）を有する。細長い部材（６２０２）は、テザーが細長い部材の管腔を横断するように、それを通してテザー（６２１４）が通されてもよい２つの開口（６２１０）および（６２１２）を有する、側壁（６２０８）を備える。２つの側壁開口が示されているが、デバイスの他の変化例は、３つまたは４つの側壁開口等の、異なる数の側壁開口を含んでもよい。テザー（６２１４）を切断することが所望されるときに、カッター（６２０４）は、カッター（６２０４）に取り付けられた引張部材（６２１６）を使用して、近位に引かれ得る。このことは、切断ブレード（６２０６）をテザー（６２１４）に接触させて切断させる。カッター（６２０４）は、引張部材（６２１６）を使用して近位に引かれ得るが、いくつかの変化例では、代替として、または加えて、細長い部材の管腔内に配置されるカッターは、近位方向に押されてもよい。例えば、プッシュ部材は、その遠位端において細長い部材の中へ配置されてもよく、細長い部材の近位端に向かってカッターを押すために使用されてもよい。
【０２０６】
図６１Ａ−６１Ｆおよび６２において上記に示される切断デバイスは、それらのカテーテルの内部に位置するカッターを備える。しかしながら、切断デバイスのいくつかの変化例は、カテーテルと、カテーテルの外部に位置する１つ以上のカッターとを備える。例えば、図６３Ａに示されるように、切断デバイス（６３２０）は、カテーテル（６３４５）と、カテーテル（６３４５）の外部に沿って摺動するように構成される管状カッター（６３５０）とを含む。管状カッター（６３５０）は、例えば、尖った金属管（例えば、勾配付きの刃を有する）の形態であってもよい。いくつかの変化例では、示されるように、管状カッター（６３５０）は、同様にカテーテル（６３４５）の外部に沿って摺動するように構成される第２の管（６３５１）に取り付けられる。ある変化例では、第２の管（６３５１）は、可撓性となり得る。
【０２０７】
切断デバイス（６３２０）の使用中に、テザー（６３００）は、カテーテル（６３４５）の中へ通されてもよく、側面開口（６３４６）を通してカテーテル（６３４５）から出てもよい。テザー（６３００）は、本明細書で説明される方法を含む、任意の好適な方法を使用して、カテーテル（６３４５）の中へ通されてもよい。管状カッター（６３５０）が側面開口（６３４６）に向かって遠位方向に前進させられるにつれて、管状カッター（６３５０）の端（６３５３）は、テザー（６３００）を切断する。
【０２０８】
図６３Ｂに示されるように、いくつかの変化例では、基部（６３５４）は、テザー切断過程を支援するために、カテーテル（６３４５）に沿って設置されてもよい。使用中に、テザー（６３００）は、管状カッター（６３５０）が側面開口（６３４６）に向かって前進させられるにつれて、基部（６３５４）に押し付けられてもよい。ある変化例では、図６３Ｂにも示されるように、尖った端（６３５３）が組織または同等物に引っ掛かる可能性を制限するように、カバーまたはシュラウド（６３９０）が、管状カッター（６３５０）の周囲に提供されてもよい。いくつかの変化例では、カバー（６３９０）が第２の管（６３５１）に取り付けられる。
【０２０９】
ある構成を有する管状カッターが示されているが、管状カッターは、任意の好適な構成を有してもよい。例えば、図６４Ａに示されるように、管状カッター（６４１０）は、テザー（６４００）等のテザーを導くように設計されているＶ字形切断刃を有してもよい。管状カッター（６４１０）は、側面開口（６４１４）を有するカテーテル（６４１２）に対して外部に配置される。管状カッター（６４１０）の使用中に、テザー（６４００）は、管状カッター（６４１０）によって切断されるように設置されるために、側面開口（６４１４）を通される。
【０２１０】
管状カッター（６４１０）は、Ｖ字形切断刃を有するが、任意の他の適切な切り込み特徴がカッター上に使用されてもよく、他の切断刃構成も使用されてもよい。一実施例として、図６４Ｂは、曲線切断刃を有する管状カッター（６４２０）を示す。管状カッター（６４２０）は、側面開口（６４２４）を有するカテーテル（６４２２）に対して外部に配置される。使用中に、テザー（６４２６）は、管状カッター（６４２０）によって切断され得るように、側面開口（６４２４）を通されてもよい。別の実施例として、図６４Ｃは、角度付き切断刃を有する管状カッター（６４３０）を示す。管状カッター（６４３０）は、それを通してテザー（６４３６）が通される側面開口（６４３４）を有するカテーテル（６４３２）の外部にある。付加的な実施例として、図６４Ｄは、鋸歯状刃を有する管状カッター（６４４０）を示す。管状カッター（６４４０）は、それを通してテザー（６４４６）が通される側面開口（６４４４）を有するカテーテル（６４４２）の外部にある。鋸歯切断刃（図示せず）等の付加的な切断刃構成が使用されてもよい。後者の２つの変化例は、例えば、切断過程中に管状カッターが回転または転回させられるときに有用であり得る。いくつかの変化例では、切断カテーテルの中の側面開口の周囲は、テザーを切断することに役立つように尖っていてもよい。管状カッター、ならびに他の種類のカッターは、カテーテルの外部または内部で動作するように構成されてもよい。
【０２１１】
いくつかの変化例では、管状カッターは、カテーテルの縦軸とほぼ垂直の方向に切断することによって、テザーを切断するために使用されてもよい。例えば、１つの同心管が、テザーを切断するために、第２の同心管に対して回転させられてもよい。一実施例として、図６５Ａでは、テザー（６５００）が、カテーテル（６５０２）に進入し、カテーテルの中の側面開口（６５０４）を通って出る。管状カッター（６５０６）は、カテーテル（６５０２）の縦軸Ａ−Ａ’の周りを回転させられると、テザー（６５００）を薄く切ることができるように構成される。例えば、管状カッター（６５０６）は、縦軸Ａ−Ａ’の周りを回転するテザー（６５００）を切断することができるように、角度付き形状を有してもよい。いくつかの変化例では、管状カッター（６５０６）は、図６５Ａに示されるように、可撓性管（６５０８）に取り付けられてもよい。ある変化例（図６５Ａにも示される）では、遮断構造（６５１０）がカテーテル（６５０２）上に配置されてもよい。遮断構造（６５１０）は、任意の好適な形状を有してもよく、切断過程中にテザー（６５００）が押し付けられてもよい、基部としての機能を果たしてもよい。遮断構造（６５１０）は、カテーテル（６５０２）に取り付けられ、カテーテル（６５０２）の一部であるか、またはカテーテル（６５０２）と一体であってもよい。
【０２１２】
他の変化例も使用されてもよい。一実施例として、図６５Ｂは、カテーテル（６５２２）を通され、カテーテルの中の側面開口（６５２４）を通って出るテザー（６５２０）を示す。管状カッター（６５２６）は、カテーテル（６５２２）の周囲に配置される。管状カッター（６５２６）は、縦軸Ａ−Ａ’の周りを回転させられるにつれて、カテーテル（６５２２）の縦軸Ａ−Ａ’に対して略直角の方向にテザー（６５２０）を切断するように成形される切断刃を有する。随意で、遮断構造（６５２８）は、切断過程中にテザー（６５２０）が遮断構造（６５２８）に押し付けられるように、カテーテル（６５２２）上に提供することができる。遮断構造（６５２８）は、任意の好適な形状であってもよく、または任意の好適な構成を有してもよく、カテーテル（６５２２）に取り付けられ、カテーテル（６５２２）の一部であり、またはカテーテル（６５２２）と一体であってもよい。示されていないが、いくつかの変化例では、図６５Ａおよび６５Ｂに示されたもの等の管状カッターは、カテーテルの内部にあるように構成されてもよい。
【０２１３】
いくつかの変化例では、テザーを切断するために、１対の同心管状カッターが使用されてもよい。同心管状カッターは、カテーテルの内部または外部にあってもよい。例えば、図６５Ｃに図示されるように、２つの同心管状カッター（６５５０）および（６５５２）は、カテーテル（６５５４）に対して外部に配置される。管状カッター（６５５０）および（６５５２）は、反対方向（実線の矢印によって示される）にカテーテル（６５５４）の縦軸の周囲で回転させられてもよい。したがって、管状カッターの切断刃（６５５６）および（６５５８）は、鋏のような様式で、カテーテル（６５５４）の中の側面開口（６５６２）を通して送られるテザー（６５６０）を切断してもよい。切断刃（６５５６）および（６５５８）は、切断刃（６５５６）および（６５５８）が可能な限り接近して入れ違いになるように、尖っていてもよい。
【０２１４】
管状テザーカッターが説明されている。しかしながら、いくつかの変化例では、代替として、または加えて、テザー切断デバイスは、１つ以上の非管状テザーカッターを備えてもよい。例えば、図６６Ａおよび６６Ｂは、筐体（６６０４）と、筐体の中の開口（６６０２）と、マンドレル（６６０１）と、開口（６６１０）を有するブレード（６６０３）とを備えるテザー切断デバイス（６６００）を示す。ブレード開口（６６１０）の内周（６６０５）が、切断刃としての機能を果たしてもよい。筐体（６６０４）は、ブレード（６６０３）を遮蔽および／または安定化してもよい。示された変化例では、ブレード（６６０３）は、リング状であるが、他の変化例では、ブレードは、任意の他の好適な形状またはサイズを有してもよい。マンドレル（６６０１）は、ブレード（６６０３）に連結され、筐体（６６０４）内で摺動可能である。
【０２１５】
テザー切断デバイス（６６００）は、少なくとも２つの構成を有してもよい。第１の構成が図６６Ａに示されている。この構成において、ブレード（６６０３）の内周（６６０５）は、筐体開口（６６０２）と実質的に整列されるように設置される。テザーは、開口（６６０２）を通して、ブレード（６６０３）の内周（６６０５）を通されてもよい。テザーを切断するために、テザー切断デバイス（６６００）は、図６６Ｂに示された第２の構成に変換されてもよく、その場合、マンドレル（６６０１）は、矢印（６６０８）の方向に作動させられてもよく、それは次に、矢印（６６０８）の方向にブレード（６６０３）を作動させてもよい。テザーは、ブレード（６６０３）の内周（６６０５）が開口（６６０２）の縁に接触または横断するときに切断されてもよい。
【０２１６】
代替的ブレード幾何学形状が、テザー切断デバイスの他の変化例において使用されてもよい。例えば、図６６Ｃは、相互に実質的に接触して、その間でテザーを切断し得るように角度を成す、ブレード（６６５１）および（６６５２）を備えるテザー切断デバイス（６６５０）を示す。テザー切断デバイス（６６５０）は、ブレード（６６５１）および（６６５２）を安定させ、および／または使用中にブレードが組織を不注意に切断することを防止してもよい筐体（６６５６）、およびブレード（６６５１）に連結されるマンドレル（６６５４）を備える。マンドレルが示されているが、代替として、または加えて、任意の他の適切な作動機構が使用されてもよい。示されるように、使用中に、テザー（６６７０）は、ブレード（６６５１）および（６６５２）の間に設置されてもよく、マンドレル（６６５４）は、ブレード（６６５１）がブレード（６６５２）に接触してテザー（６６７０）を切断するように、ブレード（６６５１）を作動させるために使用されてもよい。
【０２１７】
テザー切断デバイス（６６８０）の別の変化例が、図６６Ｄに示されている。そこで示されるように、テザー切断デバイス（６６８０）は、ブレード（６６８１）および（６６８２）、ならびに、ブレード（６６８１）に接触し、それにより、テザー（６６７０）を切断するようにブレード（６６８２）を作動させる、１対のマンドレル（６６８４）を備える。異なるブレード幾何学形状、角度、および／または構成を有する、二重ブレードテザー切断デバイスの他の配設も、テザーを切断するために使用されてもよい。また、単一および二重ブレードテザー切断デバイスが説明されているが、テザー切断デバイスのいくつかの変化例は、３つ、４つ、または５つのブレード等の、２つより多くのブレードを備えてもよい。
【０２１８】
上記で説明されるように、テザー切断デバイスは、任意の適切な構造または材料を備えてもよい。加えて、テザー切断デバイスは、上記で説明されるように、１つ以上の管状カッター、および／または、熱、電気、化学反応、または同等物によって切断する１つ以上のテザーカッターを備えてもよい。例えば、いくつかの変化例では、テザー切断デバイスは、テザーを切断するように、それを通して電気エネルギーが印加される、電極またはフィラメントを備えてもよい。
【０２１９】
いくつかの変化例では、１つ以上のテザーを切断するために、複数の切断デバイスが使用されてもよい。切断デバイスは、相互と同じ、または相互とは異なってもよい。また、テザー切断が説明されているが、いくつかの変化例では、テザーが切断されなくてもよく、またはテザーが切断されてもよいが、いくらかの長さを依然として維持してもよい。余分なテザーの長さは、例えば、テザーをロック状態で維持することに役立ってもよい。
【０２２０】
ロックデバイスおよび切断デバイスが説明されているが、いくつかの変化例では、単一のデバイスが、ロックおよび切断機能の両方を提供してもよい。
【０２２１】
例えば、図６７Ａは、カテーテルの形態であり、着脱可能なロック要素を備える、デバイス（６７０１）を示す。デバイスはまた、尖った外側刃（６７０４）を有する管状テザーカッター（６７０２）と、カッター（６７０２）を通過するプッシュ部材（６７１５）とを含む。デバイス（６７０１）はさらに、デバイスを通してテザー（６７００）を誘導し、切断のためにテザーを位置付けてもよい、ガイドを含む。図６７Ａに示されるように、テザー（６７００）は、（例えば、カッターを遠位に移動させることによって）カッターが前方に運ばれると、カッター（６７０２）によって容易に切断することができるように、デバイスを通して設置される。図６７Ａでは、カッター（６７０２）は、テザーの少なくとも１つの端（例えば、テザーのより近位端に接触する端）がカッターによって切断されるように、（例えば、カッターの円周の半分にわたって）少なくとも１つの刃を有する。
【０２２２】
上記で説明されるように、他の種類のテザーカッターも使用されてもよい。例えば、図６７Ｂは、カッターが近位に後退させられると、テザーを切断するように構成される、同様の管状テザーカッター（６７１０）を備えるデバイス（６７２１）を示す。図６７Ｂでは、カッター（６７１０）は、テザー（６７２０）が通過し、カッターの少なくとも一部分（６７１４）が鋭い、通路（６７１２）を有する。テザー（６７２０）はまた、デバイス（図６７Ｂではカテーテルとして構成されているが、他の好適な構成が使用されてもよい）の壁を通過する。テザーの端は、デバイスのロック要素を固定した後にテザーを張り詰めて引き、次いで、切断されるようにテザーに対してカッターを移動させることによって、切断されてもよい。
【０２２３】
いくつかの変化例では、ロックおよび切断デバイスは、プラグの外面上に位置するテザーカッターを備えてもよい。例えば、図６８Ａ−６８Ｊは、例示的な複合テザーロックおよび切断デバイス（６８００）を示す。そこで示されるように、デバイス（６８００）は、管状ロック部材（６８０１）と、ロック部材（６８０１）内で嵌合するように構成されるプラグ（６８０３）とを備える。管状ロック部材（６８０１）は、それを通るテザー（６８２０）の通過のためにサイズ決定および成形される、いくつかの開口（６８０２ａ）および（６８０２ｂ）を含む。いくつかの変化例では、開口（６８０２ｃ）も、それを通るテザーの通過のためにサイズ決定および成形されてもよい。しかしながら、以前に説明されているように、任意の方法で設置される、任意の数の開口が使用されてもよい（例えば、図５９Ａ、５９Ｂ、および６０Ａ−６０Ｒを参照）。プラグ（６８０３）は、プラグ本体（６８０４）と、プラグ本体（６８０４）の遠位部分（６８０６）の中のブレード（６８０５）とを備える。しかし、代替として、または加えて、プラグの他の適切な変化例が使用されてもよいことに留意されたい。使用中に、プラグ（６８０３）は、プラグ（６８０３）とロック部材（６８０１）の内壁との間でテザー（６８２０）を固定するように、ロック部材（６８０１）の中へ前進させられてもよい。プラグ（６８０３）は、任意の好適な機構を使用して、近位部分（６８０７）で押すことによって前進させられてもよい。加えて、プラグ（６８０３）がロック部材（６８０１）の中へ前進させられるにつれて、ブレード（６８０５）は、テザー（６８２０）と接触してもよく、それにより、テザーを切断してもよい。プラグ（６８０３）は、以前に説明されている機構および方法のうちのいずれか、または任意の他の好適な機構および方法を使用して、ロック部材（６８０１）の中へ前進させられてもよい。
【０２２４】
テザーカッターは、プラグ上の任意の場所に設置されてもよい。テザーカッターのいくつかの非限定的実施例が、図６８Ｂ−６８Ｊに図示されている。最初に、図６８Ｂは、プラグの外周の外形を描く切断部材（６８２４）を備える、プラグ（６８２２）を示す。切断部材（６８２４）は、プラグ（６８２２）の一方の端に位置するが、プラグは、随意で、その近位および遠位部分の一方または両方に切断部材を有してもよい。図６８Ｃおよび６８Ｊは、それぞれ、プラグの遠位部分（６８２７）および（６８５５）に向かって角度を成す、テザー切断部材（６８２８）および（６８５６）をそれぞれ有する、プラグ（６８２６）および（６８５４）を図示する。図６８Ｈおよび６８Ｉは、それぞれ、プラグの近位部分（６８４７）および（６８５１）に向かって角度を成す、テザー切断部材（６８４８）および（６８５２）をそれぞれ有する、プラグ（６８４６）および（６８５０）を図示する。図６８Ｄ−６８Ｇは、異なる形状および場所の切断部材を有する、プラグの変化例を図示する。例えば、切断部材は、図６８Ｄおよび６８Ｅの切断部材（６８３２）および（６８３６）等の鋭角を備えてもよく、または、図６８Ｆおよび６８Ｇの切断部材（６８４０）および（６８４４）等の丸みを帯びた刃を備えてもよい。切断部材はまた、図６８Ｄおよび６８Ｆのプラグ（６８３０）および（６８３８）について示されるように、プラグの一方の端に向かって位置するか、または、図６８Ｅおよび６８Ｇのプラグ（６８３４）および（６８４２）について示されるように、プラグの反対の端に向かって位置してもよい。上記の図は、単純に、切断部材を備えるプラグの実施例を提供し、他の適切な変化例および構成も使用されてもよい。
【０２２５】
プラグが１つ以上の切断部材を備える、いくつかの変化例では、切断部材は、プラグの本体の中へ形成されてもよく、および／またはプラグの本体と一体であってもよい。例えば、図６９Ａは、プラグ（６９００）と、プラグを受容するように構成されるロック部材（６９１０）とを備える、デバイス（６９９９）を示す。プラグ（６９００）は、尖った部分（６９０６）を有する刃（６９０４）を有する、本体（６９０２）を備える。プラグ（６９００）がロック部材（６９１０）の管腔（６９１２）の中へ前進させられると、テザー（６９１４）は、プラグ（６９００）と管腔（６９１２）の壁との間に固定されてもよい。プラグ（６９００）がさらに前進させられると、刃（６９０４）の尖った部分（６９０６）がテザー（６９１４）に接触し、切断してもよい。プラグ本体（６９０２）内の尖った部分（６９０６）の場所は、比較的流線形のプラグ本体を提供してもよい。これは、次に、その間を通過するテザーをさらに固定してもよい、プラグと管腔との間の良好な表面接触を提供してもよい。
【０２２６】
デバイス（６９９９）が説明されているが、適宜に、ロックおよび切断デバイスの他の変化例が使用されてもよい。一実施例として、図６９Ｂは、角度付きの尖った部分（６９２６）とともに刃（６９２４）を有するプラグ本体（６９２２）を備える、プラグ（６９２０）を示す。尖った部分（６９２６）の角度は、任意の好適な角度、例えば、約１°から約１８０°（例えば、約３０°から約１５０°、約４５°から約１３５°、約６０°から約１２０°、約７５°から約１０５°等）であってもよい。別の実施例として、図６９Ｃは、尖った部分（６９３６）とともに切り込み（６９３４）を含むプラグ本体（６９３２）を備える、プラグ（６９３０）を示す。プラグの他の変化例は、異なる形状および／または位置の切り込みを有してもよく、その場合、尖った部分は、切り込みに沿った、または切り込みの中のどこにでも位置してもよい。また、プラグのいくつかの変化例は、複数の異なる尖った部分を有してもよい。両方のプラグ（６９２０）および（６９３０）は、最初に、テザーを固定し、次いで、テザーに接触して切断部材でテザーを切断するように、ロック部材の中へ前進させられてもよい。
【０２２７】
プラグの他の変化例は、プラグの周囲を取り巻く切断部材を備えてもよい。例えば、図７０Ａは、プラグ（７０００）と、プラグを受容するように構成されるロック部材（７００４）とを備える、ロックデバイス（７０９９）を示す。図７０Ａに示されるように、プラグ（７０００）は、プラグ本体（７００１）と、プラグ本体（７００１）の周囲に外接する切断部材（７００２）とを備える。プラグ（７０００）は、最初にテザー（７００８）を固定し、次いで切断するように、プッシュ要素（７００６）によってロック部材（７００４）の中へ前進させられてもよい。プラグ（７０００）は円筒形であるが、切断部材を有するプラグの他の変化例は、正方形、多面体等の種々の異なる形状のうちのいずれかを有してもよく、切断部材は、プラグの外周を包囲するようにサイズ決定および成形されてもよい。プラグの周囲を辿る切断部材を備える、プラグの別の変化例が、図７０Ｂに示されている。そこで示されるように、プラグ（７０３９）は、プラグの近位部分（７０３８）に位置する切断部材（７０２１）を備える。切断部材は、テザーを切断するために好適であってもよい、任意の尖った刃を有してもよい。例えば、切断部材は、図７０Ｂで図示されるように、角度付きの尖った刃を有してもよく、および／または、勾配付き、直線、または鋸歯状の尖った刃、または同等物を有してもよい。
【０２２８】
いくつかの変化例では、プラグは、尖った刃を備える切断要素を備えてもよく、その場合、切断要素は、プラグに連結されるが、プラグとは別に作動させられる。そのようなプラグの実施例が、図７１に示されている。そこで示されるように、テザー切断およびロックデバイス（７１００）は、プラグ（７１０３）と、プラグ（７１０３）を受容するように構成されるロック部材（７１０１）とを備える。ロック部材（７１０１）は、それを通してテザー（７１１１）が通されてもよい、２つの開口（７１０４）および（７１０５）を備える。ロック部材（７１０１）の管腔はまた、切り込み（７１１３）を備えてもよい。プラグ（７１０３）は、切断要素（７１０７）の尖った刃（７１１５）がプラグに向かって、またはプラグから離れて移動させられてもよいように、切断要素（７１０７）に連結される。例えば、切断要素（７１０７）は、図７１に示されるように、プラグ（７１０３）の中のチャネル内で摺動可能であってもよい。
【０２２９】
いくつかの変化例では、プラグ（７１０３）は、第１のプッシュ部材（７１０９）によって作動させられてもよく、切断要素（７１０７）は、第２のプッシュ部材（７１０８）によって作動させられてもよい。ロック部材（７１０１）を通されるテザー（７１１１）をロックし、切断するために、プラグ（７１０３）は、最初に、プッシュ部材（７１０９）でプラグ（７１０３）を押し進めることによって、ロック部材（７１０１）の中へ前進させられてもよい。切断要素（７１０７）は、プラグ（７１０３）の方向に前進させられてもよいが、場合によっては、プラグほどロック部材（７１０１）の中へ遠くに前進させられなくてもよい。一旦テザー（７１１１）がプラグとロック部材の壁との間に固定されると、切り込み（７１１３）を横断するように通されるテザーは、尖った刃（７１１５）がテザーに接触し、切り込みに対してテザーを切断するように、ロック部材（７１０１）に切断要素（７１０７）をさらに押し込むことによって切断されてもよい。テザー（７１１１）がロックされ、切断された後に、両方のプッシュ部材（７１０８）および（７１０９）が引き出されてもよい。いくつかの変化例では、切断要素（７１０７）も引き出されてもよい。ロックおよび切断デバイスのそのような変化例は、例えば、ロックおよび切断機能のそれぞれの特異的制御を可能にし、それにより、完全に固定される前にテザーが切断される可能性を制限してもよい。
【０２３０】
いくつかの複合ロックおよび切断デバイスでは、ロック部材が切断部材を備えてもよい。そのようなデバイスの一実施例が、図７２Ａおよび７２Ｂで図示されている。そこで示されるように、複合ロックおよび切断デバイス（７２９９）は、プラグ（７２０６）と、プラグを受容するように構成されるロック部材（７２００）とを備える。ロック部材（７２００）は、管腔（７２０８）と、開口（７２１４）と、切断部材（７２０２）とを備える。示されるように、切断部材（７２０２）は、その遠位端（７２１２）において管腔（７２０８）内に位置する。切断部材（７２０２）は、図７２Ａのテザー（７２１０）を参照して示されるように、それを通る少なくとも１つのテザーの通過のためにサイズ決定および成形される開口（７２０４）を有する。使用中に、プラグ（７２０６）は、プラグの壁とロック部材との間でテザー（７２１０）を固定するように、管腔（７２０８）の中へ前進させられてもよい。ロック部材（７２００）の中へプラグ（７２０６）を前進させることにより、最初にテザーを固定してもよく、次いで、テザーを切断部材（７２０２）に接触させることによってテザーを切断してもよい。図７２Ａに示されるように、切断部材（７２０２）は、管腔（７２０８）の大部分を占有するが、切断部材の他の変化例は、管腔のより小さい部分を占有してもよい。
【０２３１】
ここで図７２Ｂを参照すると、ロック部材（７２２０）の別の変化例は、管腔（７２２４）と、管腔（７２２４）内に配置される切断部材（７２２２）とを備え、その場合、切断部材のみが管腔の上部分を占有する。これは、例えば、テザーがより容易に固定されてもよいように、プラグ、テザー、およびロック部材管腔壁の間の増進した接触を提供してもよい。当然ながら、ロック部材内の切断部材の他の形状、場所、および構成も使用されてもよい。
【０２３２】
ロック部材と、プラグとを備える、複合ロックおよび切断デバイスのいくつかの変化例では、ロック部材およびプラグはそれぞれ、切断部材を備えてもよい。例えば、図７３Ａおよび７３Ｂは、プラグ（７３１４）と、プラグ（７３１４）を受容するように構成されるロック部材（７３００）とを備える、複合ロックおよび切断デバイス（７３９８）を示す。ロック部材（７３００）は、管腔（７３０６）と、２つの開口（７３０８）および（７３１０）と、第１の切断部材（７３０２）とを備える。プラグ（７３１４）は、尖った刃の形態をしている第２の切断部材（７３０４）を備える。第１および第２の切断部材（７３０２）および（７３０４）は、プラグ（７３１４）がロック部材（７３００）の中へ前進させられたときに、各切断部材の尖った部分が相互に実質的に接触してもよい（すなわち、プラグおよびロック部材がともに相互嵌合する相補形状を有してもよい）ように、サイズ決定および成形される。例えば、第１および第２の切断部材（７３０２）および（７３０４）の角度は、図７３Ａおよび７３Ｂで図示されるように、相互と整列してもよい。テザー（７３１２）は、例えば、開口（７３１０）から管腔（７３０６）を通って開口（７３０８）から外へ、（以前に説明されているような）任意の好適な方式でロック部材（７３００）を通されてもよい。使用中に、プラグ（７３１４）は、管腔の壁に対してテザーを固定するように管腔（７３０６）に押し込まれてもよい（図７３Ｂに示された斜線部分を参照）。加えて、プラグ（７３１４）が前進させられるにつれて、第１および第２の切断部材（７３０２）および（７３０４）は、その間にテザー（７３１２）を伴って接合されてもよく、テザー（７３１２）は、切断されてもよい（例えば、図７３Ｂに示されるように、第１および第２の切断部材が相互に接触すると、テザーが切断されてもよい）。
【０２３３】
それぞれ切断部材を備える、ロック部材およびプラグを備える、複合ロックおよび切断デバイスの別の変化例が、図７３Ｃおよび７３Ｄに示されている。そこで図示されるように、複合ロックおよび切断デバイス（７３９９）は、プラグ（７３３４）と、プラグを受容するように構成されるロック部材（７３２０）とを備える。ロック部材（７３２０）は、管腔（７３２６）と、２つの開口（７３２８）および（７３３０）と、第１の切断部材（７３２２）とを備える。この変化例では、第１の切断部材（７３２２）は、管腔（７３２６）の断面の大部分を占有し、例えば、切断部材（７３２２）は、その断面が管腔（７３２６）の断面の３分の１以上であるようにサイズ決定されてもよい。比較的大きい断面を有する切断部材は、例えば、プラグ（７３３４）とロック部材（７３２０）との間に固定されたテザーが切断されることを確実にすることに役立ってもよい。プラグ（７３３４）は、第１の切断部材（７３２２）と同様に角度を成す、第２の切断部材（７３２４）を備える。この切断部材（７３２２）および（７３２４）の配設は、テザーが完全に切断されてもよいように、テザー（７３１２）との増加した接触を提供してもよい。複合ロックおよび切断デバイスの他の変化例は、任意の好適な構成を有する他の切断部材を備えてもよい。
【０２３４】
上記で説明されるように、複合ロックおよび切断デバイスのいくつかの変化例では、プラグは、ロック部材を通されるテザーを固定するように、ロック部材の管腔の中へプッシュ部材によって前進させられてもよい。ある変化例では、プッシュ部材は、（例えば、ロックされた後に）テザーを切断してもよい、切断部材を備えてもよい。切断部材を備えるプッシュ部材のいくつかの変化例が、図７４Ａおよび７４Ｂに示されている。最初に、図７４Ａは、プラグ（７４０７）と、プラグ（７４０７）を受容するように構成されるロック部材（７４０１）とを備える、複合ロックおよび切断デバイス（７４００）を示す。ロック部材（７４０１）は、図７４Ａで図示されるように、それを通してテザー（７４０３）を通すためにサイズ決定および成形されてもよい、２つの開口（７４０５）および（７４０６）を備える。プラグ（７４０７）は、ロック部材（７４０１）と係合され、プッシュ部材（７４０９）を使用してロック部材の中へ前進させられてもよい。プッシュ部材（７４０９）は、次に、棒（７４１３）と、切断部材（７４１１）とを備えてもよい。プラグ（７４０７）がロック部材に押し込まれるにつれて、プラグは、ロック部材管腔の壁に対してテザー（７４０３）を捕捉／楔着してもよい。プラグが引き続き前進させられるにつれて、切断部材（７４１１）は、側面開口（７４０５）から出るテザー（７４０３）の一部分に接触し、切断してもよい。棒（７４１３）の長さは、テザーが切断される前に十分に楔着／捕捉されてもよいように、例えば、側面開口（７４０５）の場所に従って調整されてもよい。テザー（７４０３）がロック部材（７４０１）の中で固定され、要素（７４１１）によって切断された後、プッシュ部材（７４０９）は、ロック部材（７４０１）から引き出されてもよい。
【０２３５】
図７４Ｂは、プラグ（７４１７）と、プラグを受容するように構成されるロック部材（７４２０）とを備える、複合ロックおよび切断デバイス（７４９８）の別の変化例を示す。そこで示されるように、ロック部材（７４２０）は、それを通る管腔を有するが、側面開口がない。プラグ（７４１７）は、切断要素（７４２１）を備えるプッシュ部材（７４１９）によってロック部材（７４２０）の管腔に押し込まれてもよい。ロック部材にプラグを押し込むことにより、プラグ（７４１７）の全長に沿ってテザー（７４０３）を楔着し、固定してもよい。テザーがロック部材の中で固定された後、ロック部材（７４２０）から出るテザーの一部分は、切断要素（７４２１）によって接触され、切断されてもよい。切断要素（７４２１）は、プッシュ部材（７４１９）に沿った任意の適切な場所に設置されてもよい。図７４Ｂに図示されるように、切断要素（７４２１）は、プッシュ部材（７４１９）の本体上に位置する。しかしながら、いくつかの変化例では、それは、プッシュ部材（７４１９）の近位部分上に位置してもよい。この配設は、例えば、切断する前に、テザーのより長い長さがロック部材に固定されることを可能にし、それにより、比較的きつくテザーを固定する一方で、テザー（７４０３）がプッシュ部材（７４１９）に対して切断されることも可能にしてもよい。以前に説明されているいくつかの変化例等の、いくつかの変化例では、ロック部材およびプラグは、テザー（７４０３）が剪断されるように配設されてもよい。
【０２３６】
切断要素を備えるプッシュ部材の別の変化例が、図７５Ａおよび７５Ｂに示されている。そこで示されるように、複合ロックおよび切断デバイス（７５００）は、プラグ（７５０７）と、プラグ（７５０７）を受容するように構成されるロック部材（７５０１）と、プッシュ部材（７５０９）とを備える。プッシュ部材（７５０９）は、切断要素（７５１３）を覆ってもよい可撓性フラップ（７５１１）を、その遠位部分（７５０５）に備える。切断要素（７５１３）は、フラップ（７５１１）がロック部材（７５０１）の切り込み（７５０２）に接触する点までプッシュ部材（７５０９）が前進させられるまで、フラップ（７５１１）によって覆われてもよい。これは、フラップ（７５１１）を後方に剥離させ、それにより、切断要素（７５１３）を露出してもよい。テザー（７５０３）はまた、切り込み（７５０２）においてロック部材（７５０１）から出てもよい。露出した切断要素（７５１３）は、切り込み（７５０２）においてテザーに接触し、切断してもよい。フラップ（７５１１）は、例えば、切断要素（７５１３）との偶発的な接触を防止するように、ならびに切断要素の鋭さを保存するように機能してもよい。フラップは、シリコーン、ゴム、ポリマー、および同等物等の任意の適切な材料でできていてもよい。フラップのある変化例が示されているが、代替として、または加えて、フラップの他の変化例が使用されてもよい。例えば、いくつかの変化例では、フラップは、フラップ後退機構を作動させることによって（例えば、近位コントローラを使用して）切断要素を露出させるように後退させられてもよい。これは、切断要素（７５１３）が完全に露出され、テザーを切断する準備ができていることを比較的確実に確保してもよい。
【０２３７】
切断要素を備えるプッシュ部材のさらに別の変化例が、図７６に示されている。そこで示されるように、複合ロックおよび切断デバイス（７６００）は、プラグ（７６０７）と、プラグを受容するように構成されるロック部材（７６０１）と、プッシュ部材（７６０９）とを備える。プッシュ部材（７６０９）は、ロック部材（７６０１）上の切り込み（７６０２）内に嵌合するようにサイズ決定および成形されてもよい切断部材（７６１１）を備える、遠位部分（７６０５）を備える。プッシュ部材（７６０９）がロック部材（７６０１）の管腔の中へプラグ（７６０７）を押し進めるにつれて、管腔を通して送られているテザー（７６０３）が、プラグと管腔壁との間で楔着され、固定されてもよい。テザー（７６０３）は、切り込み（７６０２）においてロック部材から出る。プッシュ部材が押し進められるにつれて、切断要素（７６１１）は、切り込み（７６０２）に挿入されてもよく、その場合、切断要素は、テザー（７６０３）に接触し、切断する。テザーが切断された後に、プッシュ部材（７６０９）が引き出されてもよい。当然ながら、以前に示されているように、切り込みを有するロック部材が説明されているが、ロック部材のいくつかの変化例には、切り込みがなくてもよい（例えば、図７４Ａ）一方で、ロック部材の他の変化例は、複数の切り込みを有してもよい。
【０２３８】
テザーロック機能およびテザー切断機能の両方を果たすデバイスの付加的な変化例が、適宜に使用されてもよい。
【０２３９】
ロックおよび／または切断デバイスおよび方法のある変化例が上記で説明されているが、他の変化例が使用されてもよい。一実施例として、いくつかの変化例では、１つ以上のロックおよび／または切断デバイス構成要素は、１つ以上の放射線不透過性マーカー（例えば、白金マーカー）を含んでもよい。マーカーは、構成要素の可視化、および手技中の（例えば、Ｘ線透視法下での）それらの場所の識別を増進してもよい。別の実施例として、ある変化例では、ロックデバイスは、管状ロック部材と、プラグとを備えてもよく、その場合、プラグは、プラグの下のウェッジによって管状ロック部材内で前進させられてもよい。テザーは、プラグと管状ロック部材の内壁との間に送られてもよく、ウェッジは、プラグを移動させて、プラグと内壁との間でテザーを固定するために使用されてもよい。付加的な実施例として、いくつかの変化例では、切断デバイスは、引張力を受けていないテザーを切断するために使用されてもよい。そのような変化例では、テザーは、例えば、切断デバイスの壁に対してテザーを押し進め、テザーを切断するためのバッキングとして壁を使用することによって、切断されてもよい。また、デバイスのいくつかの変化例が、テザーに締め上げ効果を提供するために使用されてもよい。これらのデバイスは、これらの機能（またはそれらの組み合わせ）が所望される、任意の手技に使用されてもよい。ロック、切断、および締め上げデバイスは、例えば、その全てが、それらの全体で参照することにより以前に組み込まれた、米国特許出願公開第２００６／０１９００３０Ａ１号、同第２００６／０１２２６３３Ａ１、および同第２００８／０１７２０３５Ａ１号で説明されている。
【０２４０】
方法およびデバイスが、例証および実施例として、ここでいくらか詳細に説明されているが、そのような例証および実施例は、理解を明確にする目的のためであるにすぎない。本明細書の教示を踏まえて、添付の請求項の精神および範囲から逸脱することなく、ある変更および修正が行われてもよいことが、当業者にとって容易に明白になるであろう。
【図１Ａ】
2012505048.tif 000003
【図１Ｂ】
2012505048.tif 000004
【図２】
2012505048.tif 000005
【図３Ａ】
2012505048.tif 000006
【図３Ｂ】
2012505048.tif 000007
【図３Ｃ】
2012505048.tif 000008
【図３Ｄ】
2012505048.tif 000009
【図４Ａ】
2012505048.tif 000010
【図４Ｂ】
2012505048.tif 000011
【図５Ａ】
2012505048.tif 000012
【図５Ｂ】
2012505048.tif 000013
【図５Ｃ】
2012505048.tif 000014
【図５Ｄ】
2012505048.tif 000015
【図５Ｅ】
2012505048.tif 000016
【図５Ｆ】
2012505048.tif 000017
【図５Ｇ】
2012505048.tif 000018
【図５Ｈ】
2012505048.tif 000019
【図５Ｉ】
2012505048.tif 000020
【図５Ｊ】
2012505048.tif 000021
【図５Ｋ】
2012505048.tif 000022
【図５Ｌ】
2012505048.tif 000023
【図５Ｍ】
2012505048.tif 000024
【図５Ｎ】
2012505048.tif 000025
【図５Ｏ】
2012505048.tif 000026
【図５Ｐ】
2012505048.tif 000027
【図５Ｑ】
2012505048.tif 000028
【図５Ｒ】
2012505048.tif 000029
【図５Ｓ】
2012505048.tif 000030
【図５Ｔ】
2012505048.tif 000031
【図５Ｕ】
2012505048.tif 000032
【図５Ｖ】
2012505048.tif 000033
【図５Ｗ】
2012505048.tif 000034
【図５Ｘ】
2012505048.tif 000035
【図６】
2012505048.tif 000036
【図７】
2012505048.tif 000037
【図８】
2012505048.tif 000038
【図９Ａ】
2012505048.tif 000039
【図９Ｂ】
2012505048.tif 000040
【図１０】
2012505048.tif 000041
【図１１】
2012505048.tif 000042
【図１２】
2012505048.tif 000043
【図１３】
2012505048.tif 000044
【図１４】
2012505048.tif 000045
【図１５】
2012505048.tif 000046
【図１６Ａ】
2012505048.tif 000047
【図１６Ｂ】
2012505048.tif 000048
【図１７Ａ】
2012505048.tif 000049
【図１７Ｂ】
2012505048.tif 000050
【図１７Ｃ】
2012505048.tif 000051
【図１７Ｄ】
2012505048.tif 000052
【図１７Ｅ】
2012505048.tif 000053
【図１７Ｆ】
2012505048.tif 000054
【図１７Ｇ】
2012505048.tif 000055
【図１８Ａ】
2012505048.tif 000056
【図１８Ｂ】
2012505048.tif 000057
【図１９Ａ】
2012505048.tif 000058
【図１９Ｂ】
2012505048.tif 000059
【図１９Ｃ】
2012505048.tif 000060
【図１９Ｄ】
2012505048.tif 000061
【図１９Ｅ】
2012505048.tif 000062
【図２０Ａ】
2012505048.tif 000063
【図２０Ｂ】
2012505048.tif 000064
【図２０Ｃ】
2012505048.tif 000065
【図２０Ｄ】
2012505048.tif 000066
【図２０Ｅ】
2012505048.tif 000067
【図２０Ｆ】
2012505048.tif 000068
【図２０Ｇ】
2012505048.tif 000069
【図２０Ｈ】
2012505048.tif 000070
【図２１Ａ】
2012505048.tif 000071
【図２１Ｂ】
2012505048.tif 000072
【図２２】
2012505048.tif 000073
【図２３】
2012505048.tif 000074
【図２４】
2012505048.tif 000075
【図２５】
2012505048.tif 000076
【図２６Ａ】
2012505048.tif 000077
【図２６Ｂ】
2012505048.tif 000078
【図２７Ａ】
2012505048.tif 000079
【図２７Ｂ】
2012505048.tif 000080
【図２８Ａ】
2012505048.tif 000081
【図２８Ｂ】
2012505048.tif 000082
【図２９Ａ】
2012505048.tif 000083
【図２９Ｂ】
2012505048.tif 000084
【図３０Ａ】
2012505048.tif 000085
【図３０Ｂ】
2012505048.tif 000086
【図３０Ｃ】
2012505048.tif 000087
【図３１Ａ】
2012505048.tif 000088
【図３１Ｂ】
2012505048.tif 000089
【図３２】
2012505048.tif 000090
【図３３Ａ】
2012505048.tif 000091
【図３３Ｂ】
2012505048.tif 000092
【図３３Ｃ】
2012505048.tif 000093
【図３３Ｄ】
2012505048.tif 000094
【図３３Ｅ】
2012505048.tif 000095
【図３４Ａ】
2012505048.tif 000096
【図３４Ｂ】
2012505048.tif 000097
【図３４Ｃ】
2012505048.tif 000098
【図３５Ａ】
2012505048.tif 000099
【図３５Ｂ】
2012505048.tif 000100
【図３５Ｃ】
2012505048.tif 000101
【図３５Ｄ】
2012505048.tif 000102
【図３６】
2012505048.tif 000103
【図３７】
2012505048.tif 000104
【図３８】
2012505048.tif 000105
【図３９Ａ】
2012505048.tif 000106
【図３９Ｂ】
2012505048.tif 000107
【図３９Ｃ】
2012505048.tif 000108
【図３９Ｄ】
2012505048.tif 000109
【図３９Ｅ】
2012505048.tif 000110
【図４０Ａ】
2012505048.tif 000111
【図４０Ｂ】
2012505048.tif 000112
【図４０Ｃ】
2012505048.tif 000113
【図４１】
2012505048.tif 000114
【図４２Ａ】
2012505048.tif 000115
【図４２Ｂ】
2012505048.tif 000116
【図４２Ｃ】
2012505048.tif 000117
【図４２Ｄ】
2012505048.tif 000118
【図４２Ｅ】
2012505048.tif 000119
【図４２Ｆ】
2012505048.tif 000120
【図４２Ｇ】
2012505048.tif 000121
【図４３Ａ】
2012505048.tif 000122
【図４３Ｂ】
2012505048.tif 000123
【図４４Ａ】
2012505048.tif 000124
【図４４Ｂ】
2012505048.tif 000125
【図４４Ｃ】
2012505048.tif 000126
【図４４Ｄ】
2012505048.tif 000127
【図４４Ｅ】
2012505048.tif 000128
【図４５Ａ】
2012505048.tif 000129
【図４５Ｂ】
2012505048.tif 000130
【図４５Ｃ】
2012505048.tif 000131
【図４５Ｄ】
2012505048.tif 000132
【図４５Ｅ】
2012505048.tif 000133
【図４５Ｆ】
2012505048.tif 000134
【図４５Ｇ】
2012505048.tif 000135
【図４６Ａ】
2012505048.tif 000136
【図４６Ｂ】
2012505048.tif 000137
【図４６Ｃ】
2012505048.tif 000138
【図４６Ｄ】
2012505048.tif 000139
【図４７Ａ】
2012505048.tif 000140
【図４７Ｂ】
2012505048.tif 000141
【図４８】
2012505048.tif 000142
【図４９】
2012505048.tif 000143
【図５０Ａ】
2012505048.tif 000144
【図５０Ｂ】
2012505048.tif 000145
【図５０Ｃ】
2012505048.tif 000146
【図５０Ｄ】
2012505048.tif 000147
【図５０Ｅ】
2012505048.tif 000148
【図５０Ｆ】
2012505048.tif 000149
【図５１Ａ】
2012505048.tif 000150
【図５１Ｂ】
2012505048.tif 000151
【図５２】
2012505048.tif 000152
【図５３Ａ】
2012505048.tif 000153
【図５３Ｂ】
2012505048.tif 000154
【図５４】
2012505048.tif 000155
【図５５】
2012505048.tif 000156
【図５６Ａ】
2012505048.tif 000157
【図５６Ｂ】
2012505048.tif 000158
【図５７】
2012505048.tif 000159
【図５８Ａ】
2012505048.tif 000160
【図５８Ｂ】
2012505048.tif 000161
【図５８Ｃ】
2012505048.tif 000162
【図５８Ｄ】
2012505048.tif 000163
【図５９Ａ】
2012505048.tif 000164
【図５９Ｂ】
2012505048.tif 000165
【図６０Ａ】
2012505048.tif 000166
【図６０Ｂ】
2012505048.tif 000167
【図６０Ｃ】
2012505048.tif 000168
【図６０Ｄ】
2012505048.tif 000169
【図６０Ｅ】
2012505048.tif 000170
【図６０Ｆ】
2012505048.tif 000171
【図６０Ｇ】
2012505048.tif 000172
【図６０Ｈ】
2012505048.tif 000173
【図６０Ｉ】
2012505048.tif 000174
【図６０Ｊ】
2012505048.tif 000175
【図６０Ｋ】
2012505048.tif 000176
【図６０Ｌ】
2012505048.tif 000177
【図６０Ｍ】
2012505048.tif 000178
【図６０Ｎ】
2012505048.tif 000179
【図６０Ｏ】
2012505048.tif 000180
【図６０Ｐ】
2012505048.tif 000181
【図６０Ｑ】
2012505048.tif 000182
【図６０Ｒ】
2012505048.tif 000183
【図６１Ａ】
2012505048.tif 000184
【図６１Ｂ】
2012505048.tif 000185
【図６１Ｃ】
2012505048.tif 000186
【図６１Ｄ】
2012505048.tif 000187
【図６１Ｅ】
2012505048.tif 000188
【図６１Ｆ】
2012505048.tif 000189
【図６２】
2012505048.tif 000190
【図６３Ａ】
2012505048.tif 000191
【図６３Ｂ】
2012505048.tif 000192
【図６４Ａ】
2012505048.tif 000193
【図６４Ｂ】
2012505048.tif 000194
【図６４Ｃ】
2012505048.tif 000195
【図６４Ｄ】
2012505048.tif 000196
【図６５Ａ】
2012505048.tif 000197
【図６５Ｂ】
2012505048.tif 000198
【図６５Ｃ】
2012505048.tif 000199
【図６６Ａ】
2012505048.tif 000200
【図６６Ｂ】
2012505048.tif 000201
【図６６Ｃ】
2012505048.tif 000202
【図６６Ｄ】
2012505048.tif 000203
【図６７Ａ】
2012505048.tif 000204
【図６７Ｂ】
2012505048.tif 000205
【図６８Ａ】
2012505048.tif 000206
【図６８Ｂ】
2012505048.tif 000207
【図６８Ｃ】
2012505048.tif 000208
【図６８Ｄ】
2012505048.tif 000209
【図６８Ｅ】
2012505048.tif 000210
【図６８Ｆ】
2012505048.tif 000211
【図６８Ｇ】
2012505048.tif 000212
【図６８Ｈ】
2012505048.tif 000213
【図６８Ｉ】
2012505048.tif 000214
【図６８Ｊ】
2012505048.tif 000215
【図６９Ａ】
2012505048.tif 000216
【図６９Ｂ】
2012505048.tif 000217
【図６９Ｃ】
2012505048.tif 000218
【図７０Ａ】
2012505048.tif 000219
【図７０Ｂ】
2012505048.tif 000220
【図７１】
2012505048.tif 000221
【図７２Ａ】
2012505048.tif 000222
【図７２Ｂ】
2012505048.tif 000223
【図７３Ａ】
2012505048.tif 000224
【図７３Ｂ】
2012505048.tif 000225
【図７３Ｃ】
2012505048.tif 000226
【図７３Ｄ】
2012505048.tif 000227
【図７４Ａ】
2012505048.tif 000228
【図７４Ｂ】
2012505048.tif 000229
【図７５Ａ】
2012505048.tif 000230
【図７５Ｂ】
2012505048.tif 000231
【図７６】
2012505048.tif 000232
【国際調査報告】
2012505048.tif 000233